(57)【要約】【課題】遊技の興趣が向上する遊技機を提供する。【解決手段】高ベース状態に制御されていないときには、特定期間内に大当り遊技状態に制御すると事前決定されたことを、高ベース移行条件として、当該制御すると決定された大当り遊技状態の終了後に高ベース状態に制御する。高ベース状態に制御されているときに転落抽選に当選した場合には高ベース状態の制御を継続する一方で、高ベース状態に制御されておりかつカウント回数が所定の回数に達しているときに大当り遊技状態に制御すると事前決定された場合には当該大当り遊技状態の終了後に前記所定の割合よりも低い割合で高ベース状態の制御を継続する。【選択図】図２１
2014068864.tif 000002
【特許請求の範囲】
【請求項１】
所定の始動条件が成立したことに基づいて、各々を識別可能な複数種類の識別情報の可変表示を行い、表示結果を導出表示する可変表示手段に、前記表示結果として特定表示結果が導出表示されたときに遊技者にとって有利な特定遊技状態に制御する遊技機において、
前記始動条件が成立したことに基づいて、特定遊技状態に制御するか否かを前記表示結果が導出表示される以前に決定する事前決定手段と、
特定遊技状態の終了後、低確率状態よりも前記事前決定手段が特定遊技状態に制御すると決定する確率が高い高確率状態に制御する高確率状態制御手段と、
前記高確率状態制御手段が前記高確率状態に制御する回数をカウント初期値からカウントしていく高確率状態カウント手段と、
前記高確率状態において前記低確率状態に転落させるか否かの転落抽選を行う転落抽選手段と、
前記高確率状態カウント手段でカウントされるカウント回数が所定の回数に達したときに、前記高確率状態制御手段が前記高確率状態に制御することを禁止するとともに、前記カウント回数を前記カウント初期値に設定する高確率状態禁止手段と、
前記転落抽選手段による前記転落抽選に当選した場合、前記低確率状態に制御する転落当選時低確率状態制御手段と、
特定遊技状態に制御する制御期間を期間の異なる複数種類から選択する制御期間選択手段と、
所定の高ベース移行条件が成立したことにより、通常ベース状態よりも前記始動条件が成立しやすい高ベース状態に制御するベース状態制御手段と、
を備え、
前記制御期間選択手段は、前記カウント回数と前記所定の回数との差に応じて異なる選択割合で前記制御期間を選択し、
前記高確率状態カウント手段は、前記カウント回数が前記所定の回数に達する前に前記転落抽選に当選した場合、前記カウント回数を前記カウント初期値にリセットし、
前記ベース状態制御手段は、前記高ベース状態に制御されていないときには、前記事前決定手段によって特定遊技状態に制御すると決定されたが当該特定遊技状態の終了後に前記高確率状態に制御することが前記高確率状態禁止手段によって禁止され、かつ、当該特定遊技状態後の特定期間内に前記事前決定手段によって特定遊技状態に制御すると決定されたことを、前記高ベース移行条件として、当該制御すると決定された特定遊技状態の終了後に前記高ベース状態に制御し、
前記ベース状態制御手段は、前記高ベース状態に制御されているときに前記転落抽選に当選した場合には所定の割合で前記高ベース状態の制御を継続する一方で、前記高ベース状態に制御されておりかつ前記カウント回数が前記所定の回数に達しているときに前記事前決定手段によって特定遊技状態に制御すると決定された場合には当該特定遊技状態の終了後に前記所定の割合よりも低い割合で前記高ベース状態の制御を継続する、
ことを特徴とする遊技機。
【請求項２】
所定の始動条件が成立したことに基づいて、各々を識別可能な複数種類の識別情報の可変表示を行い、表示結果を導出表示する可変表示手段に、前記表示結果として特定表示結果が導出表示されたときに遊技者にとって有利な特定遊技状態に制御する遊技機において、
前記始動条件が成立したことに基づいて、特定遊技状態に制御するか否かを前記表示結果が導出表示される以前に決定する事前決定手段と、
特定遊技状態の終了後、低確率状態よりも前記事前決定手段が特定遊技状態に制御すると決定する確率が高い高確率状態に制御する高確率状態制御手段と、
前記高確率状態制御手段が前記高確率状態に制御する回数をカウント初期値からカウントしていく高確率状態カウント手段と、
前記高確率状態において前記低確率状態に転落させるか否かの転落抽選を行う転落抽選手段と、
前記高確率状態カウント手段でカウントされるカウント回数が所定の回数に達したときに、前記高確率状態制御手段が前記高確率状態に制御することを禁止するとともに、前記カウント回数を前記カウント初期値に設定する高確率状態禁止手段と、
前記転落抽選手段による前記転落抽選に当選した場合、前記低確率状態に制御する転落当選時低確率状態制御手段と、
特定遊技状態に制御する制御期間を期間の異なる複数種類から選択する制御期間選択手段と、
所定の高ベース移行条件が成立したことにより、通常ベース状態よりも前記始動条件が成立しやすい高ベース状態に制御するベース状態制御手段と、
を備え、
前記制御期間選択手段は、前記カウント回数と前記所定の回数との差に応じて異なる選択割合で前記制御期間を選択し、
前記高確率状態カウント手段は、前記カウント回数が前記所定の回数に達する前に前記転落抽選に当選した場合、前記カウント回数を前記カウント初期値にリセットし、
前記ベース状態制御手段は、前記高ベース状態に制御されていないときには、前記事前決定手段によって特定遊技状態に制御すると決定されたが当該特定遊技状態の終了後に前記高確率状態に制御することが前記高確率状態禁止手段によって禁止されたことを、前記高ベース移行条件として、当該特定遊技状態の終了後に前記高ベース状態に制御し、
前記ベース状態制御手段は、前記高ベース状態に制御されているときに前記転落抽選に当選した場合には所定の割合で前記高ベース状態の制御を継続する一方で、前記高ベース状態に制御されておりかつ前記カウント回数が前記所定の回数に達しているときに前記事前決定手段によって特定遊技状態に制御すると決定された場合には当該特定遊技状態の終了後に前記所定の割合よりも低い割合で前記高ベース状態の制御を継続する、
ことを特徴とする遊技機。
【発明の詳細な説明】
【技術分野】
【０００１】
本発明は、所定の始動条件が成立したことに基づいて、各々を識別可能な複数種類の識別情報の可変表示を行い表示結果を導出表示する可変表示手段に特定表示結果が導出表示されたときに遊技者にとって有利な特定遊技状態に制御する遊技機に関する。
【背景技術】
【０００２】
遊技機として、遊技球などの遊技媒体を発射装置によって遊技領域に発射し、遊技領域に設けられている入賞口などの入賞領域に遊技媒体が入賞すると、所定の遊技価値が付与されるものがある。また、遊技媒体を投入して所定の賭け数を設定し、操作レバーを操作することにより複数種類の図柄を回転させ、ストップボタンを操作して図柄を停止させたときに停止図柄の組合せが特定の図柄の組み合わせになると、所定の遊技価値が付与されるものがある。また、取り込まれた遊技媒体数に応じて所定の賭け数を設定し、操作レバーを操作することにより複数種類の図柄を回転させ、ストップボタンを操作して図柄を停止させたときに停止図柄の組合せが特定の図柄の組み合わせになると、所定の遊技価値が付与されるものがある。さらに、識別情報を可変表示（「変動」ともいう。）可能な可変表示部が設けられ、可変表示部において識別情報の可変表示の表示結果が特定表示結果となった場合に、所定の遊技価値を遊技者に与えるように構成されたものがある。
【０００３】
なお、遊技価値とは、遊技機の遊技領域に設けられた可変入賞球装置の状態が打球が入賞しやすい遊技者にとって有利な状態になることや、遊技者にとって有利な状態になるための権利を発生させたりすることや、遊技媒体の払出の条件が成立しやすくなる状態になること、遊技媒体が払い出されること、遊技を行うために必要な得点が付与されることである。
【０００４】
上記遊技機の一例であるパチンコ遊技機では、始動入賞口に遊技媒体が入賞したことにもとづいて可変表示部において開始される特別図柄（識別情報）の可変表示の表示結果として、あらかじめ定められた特定表示結果が導出表示された場合に、特定遊技状態が発生する。なお、導出表示とは、図柄を停止表示させることである（いわゆる再可変表示の前の停止を除く。）。特定遊技状態が発生すると、例えば、大入賞口が所定回数開放して打球が入賞しやすい特定遊技状態に移行する。そして、各開放期間において、所定個（例えば１０個）の大入賞口への入賞があると大入賞口は閉成する。そして、大入賞口の開放回数は、所定回数（例えば１５ラウンド）に固定されている。なお、各開放について開放時間（例えば２９秒）が決められ、入賞数が所定個に達しなくても開放時間が経過すると大入賞口は閉成する。以下、各々の大入賞口の開放期間をラウンドということがある。
【０００５】
また、可変表示部において、最終停止図柄（例えば左右中図柄のうち中図柄）となる図柄以外の図柄が、所定時間継続して、特定表示結果と一致している状態で停止、揺動、拡大縮小もしくは変形している状態、または、複数の図柄が同一図柄で同期して可変表示したり、表示図柄の位置が入れ替わっていたりして、最終結果が表示される前で特定遊技状態の発生の可能性が継続している状態（以下、これらの状態をリーチ状態という。）において行われる演出をリーチ演出という。また、リーチ状態やその様子をリーチ態様という。さらに、リーチ演出を含む可変表示をリーチ可変表示という。そして、可変表示部に可変表示される図柄の表示結果が特定表示結果でない場合には「はずれ」となり、可変表示状態は終了する。遊技者は、特定遊技状態をいかにして発生させるかを楽しみつつ遊技を行う。
【０００６】
このような遊技機としては、高確率状態且つ低ベース状態の通常モードにおいて、変動表示毎に行われる確率変動終了抽選に当選すると、低確率状態且つ低ベース状態のチャンスモードに制御され、このチャンスモードでは、時短ありの大当たりしか発生し得ないようにしたものがある（例えば、特許文献１参照）。
【０００７】
また、高確率遊技状態は、転落抽選によって所定の転落確率（１／１０）で、高確率遊技状態が終了する一方、時短遊技状態かつ高確率遊技状態が制御されているときに、転落抽選によって高確率遊技状態が終了しても、その高確率遊技状態の終了から時短遊技状態が終了するまでに、大当たりすると必ず時短遊技状態が決定されるようにしたものもある（例えば、特許文献２参照）。
【先行技術文献】
【特許文献】
【０００８】
【特許文献１】特開２０１１−２１８０５６号公報
【特許文献２】特開２０１１−２３９９３１号公報
【発明の概要】
【発明が解決しようとする課題】
【０００９】
しかし、上記特許文献１及び２に記載の遊技機では、遊技状態に応じた期待感を与えて、遊技の興趣を向上させることができない。
【００１０】
この発明は、上記実状に鑑みてなされたものであり、遊技の興趣が向上する遊技機を提供することを目的とする。
【課題を解決するための手段】
【００１１】
（１）上記目的を達成するため、本発明に係る遊技機は、
所定の始動条件が成立したこと（例えば、第１始動入賞口又は第２始動入賞口などに遊技媒体が進入して入賞が発生したことなど）に基づいて、各々を識別可能な複数種類の識別情報（例えば、第１特別図柄、第２特別図柄、飾り図柄など）の可変表示を行い、表示結果を導出表示する可変表示手段（例えば、第１特別図柄表示装置４Ａ、第２特別図柄表示装置４Ｂ、画像表示装置５など）に、前記表示結果として特定表示結果（例えば、大当り図柄、大当り組合せの確定飾り図柄など）が導出表示されたときに遊技者にとって有利な特定遊技状態（例えば、大当り遊技状態など）に制御する遊技機（例えば、パチンコ遊技機１など）において、
前記始動条件が成立したことに基づいて、特定遊技状態に制御するか否かを前記表示結果が導出表示される以前に決定する事前決定手段（例えば、ステップＳ２４５の処理を実行するＣＰＵ１０３など）と、
特定遊技状態の終了後、低確率状態（例えば、低確状態など）よりも前記事前決定手段が特定遊技状態に制御すると決定する確率が高い高確率状態（例えば、確変状態など）に制御する高確率状態制御手段（例えば、ステップＳ３７５、ステップＳ３８０、ステップＳ３８２の処理を実行するＣＰＵ１０３など）と、
前記高確率状態制御手段が前記高確率状態に制御する回数をカウント初期値からカウントしていく高確率状態カウント手段（例えば、ステップＳ３７５、Ｓ３８０、ステップＳ２５０、Ｓ２５１、ステップＳ２３０２の処理を実行するＣＰＵ１０３など）と、
前記高確率状態において前記低確率状態に転落させるか否かの転落抽選を行う転落抽選手段（例えば、ステップＳ２４０の処理を実行するＣＰＵ１０３など）と、
前記高確率状態カウント手段でカウントされるカウント回数が所定の回数に達したときに、前記高確率状態制御手段が前記高確率状態に制御することを禁止するとともに、前記カウント回数を前記カウント初期値に設定する高確率状態禁止手段（例えば、ステップＳ３７６、Ｓ３７８、Ｓ３８３、Ｓ３８４の処理を実行するＣＰＵ１０３など）と、
前記転落抽選手段による前記転落抽選に当選した場合、前記低確率状態に制御する転落当選時低確率状態制御手段（例えば、ステップＳ２４２の処理を実行するＣＰＵ１０３な）と、
特定遊技状態に制御する制御期間を期間の異なる複数種類から選択する制御期間選択手段（例えば、ステップＳ２９３の処理を実行するＣＰＵ１０３など）と、
所定の高ベース移行条件が成立したことにより、通常ベース状態よりも前記始動条件が成立しやすい高ベース状態に制御するベース状態制御手段（例えば、ステップＳ３８０の処理を実行するＣＰＵ１０３など）と、
を備え、
前記制御期間選択手段は、前記カウント回数と前記所定の回数との差に応じて異なる選択割合で前記制御期間を選択し（例えば、図２０参照）、
前記高確率状態カウント手段は、前記カウント回数が前記所定の回数に達する前に前記転落抽選に当選した場合、前記カウント回数を前記カウント初期値にリセットし（例えば、ステップＳ２７０の処理を行うＣＰＵ１０３など）、
前記ベース状態制御手段は、前記高ベース状態に制御されていないときには、前記事前決定手段によって特定遊技状態に制御すると決定されたが当該特定遊技状態の終了後に前記高確率状態に制御することが前記高確率状態禁止手段によって禁止され、かつ、当該特定遊技状態後の特定期間内に前記事前決定手段によって特定遊技状態に制御すると決定されたことを、前記高ベース移行条件として、当該制御すると決定された特定遊技状態の終了後に前記高ベース状態に制御し（例えば、ステップＳ３８０の処理など）、
前記ベース状態制御手段は、前記高ベース状態に制御されているときに前記転落抽選に当選した場合には所定の割合で前記高ベース状態の制御を継続する一方で、前記高ベース状態に制御されておりかつ前記カウント回数が前記所定の回数に達しているときに前記事前決定手段によって特定遊技状態に制御すると決定された場合には当該特定遊技状態の終了後に前記所定の割合よりも低い割合で前記高ベース状態の制御を継続する（例えば、ステップＳ３８２、Ｓ３８４の処理などを実行するＣＰＵ１０３など）、
ことを特徴とする。
【００１２】
このような構成によれば、高ベース状態に制御されていない場合にはカウント回数が所定の回数に達したときに高ベース状態に移行し得る。これに対して、高ベース状態に制御されている場合には、転落抽選に当選した方が高ベース状態に維持されやすい。このため、遊技者は、高ベース状態に制御されていない場合には、カウント回数が所定の回数に達することを期待可能である一方で、高ベース状態に制御されている場合には、転落抽選に当選することを期待する。このように、高ベース状態に制御されているか否かに応じて、遊技者の期待の対象が異なってくるので、遊技に減り張りを付けることができ、遊技の興趣が向上する。
【００１３】
（２）上記目的を達成するため、本発明に係る遊技機は、
所定の始動条件が成立したこと（例えば、第１始動入賞口又は第２始動入賞口などに遊技媒体が進入して入賞が発生したことなど）に基づいて、各々を識別可能な複数種類の識別情報（例えば、第１特別図柄、第２特別図柄、飾り図柄など）の可変表示を行い、表示結果を導出表示する可変表示手段（例えば、第１特別図柄表示装置４Ａ、第２特別図柄表示装置４Ｂ、画像表示装置５など）に、前記表示結果として特定表示結果（例えば、大当り図柄、大当り組合せの確定飾り図柄など）が導出表示されたときに遊技者にとって有利な特定遊技状態（例えば、大当り遊技状態など）に制御する遊技機（例えば、パチンコ遊技機１など）において、
前記始動条件が成立したことに基づいて、特定遊技状態に制御するか否かを前記表示結果が導出表示される以前に決定する事前決定手段（例えば、ステップＳ２４５の処理を実行するＣＰＵ１０３など）と、
特定遊技状態の終了後、低確率状態（例えば、低確状態など）よりも前記事前決定手段が特定遊技状態に制御すると決定する確率が高い高確率状態（例えば、確変状態など）に制御する高確率状態制御手段（例えば、ステップＳ３７５、ステップＳ３８０、ステップＳ３８２の処理を実行するＣＰＵ１０３など）と、
前記高確率状態制御手段が前記高確率状態に制御する回数をカウント初期値からカウントしていく高確率状態カウント手段（例えば、ステップＳ３７５、Ｓ３８０、ステップＳ２５０、Ｓ２５１、ステップＳ２３０２の処理を実行するＣＰＵ１０３など）と、
前記高確率状態において前記低確率状態に転落させるか否かの転落抽選を行う転落抽選手段（例えば、ステップＳ２４０の処理を実行するＣＰＵ１０３など）と、
前記高確率状態カウント手段でカウントされるカウント回数が所定の回数に達したときに、前記高確率状態制御手段が前記高確率状態に制御することを禁止するとともに、前記カウント回数を前記カウント初期値に設定する高確率状態禁止手段（例えば、ステップＳ３７６、Ｓ１３８１、Ｓ３８３、Ｓ３８４の処理を実行するＣＰＵ１０３など）と、
前記転落抽選手段による前記転落抽選に当選した場合、前記低確率状態に制御する転落当選時低確率状態制御手段（例えば、ステップＳ２４２の処理を実行するＣＰＵ１０３な）と、
特定遊技状態に制御する制御期間を期間の異なる複数種類から選択する制御期間選択手段（例えば、ステップＳ２９３の処理を実行するＣＰＵ１０３など）と、
所定の高ベース移行条件が成立したことにより、通常ベース状態よりも前記始動条件が成立しやすい高ベース状態に制御するベース状態制御手段（例えば、ステップＳ３８０の処理を実行するＣＰＵ１０３など）と、
を備え、
前記制御期間選択手段は、前記カウント回数と前記所定の回数との差に応じて異なる選択割合で前記制御期間を選択し（例えば、図２０参照）、
前記高確率状態カウント手段は、前記カウント回数が前記所定の回数に達する前に前記転落抽選に当選した場合、前記カウント回数を前記カウント初期値にリセットし（例えば、ステップＳ２７０の処理を行うＣＰＵ１０３など）、
前記ベース状態制御手段は、前記高ベース状態に制御されていないときには、前記事前決定手段によって特定遊技状態に制御すると決定されたが当該特定遊技状態の終了後に前記高確率状態に制御することが前記高確率状態禁止手段によって禁止されたことを、前記高ベース移行条件として、当該特定遊技状態の終了後に前記高ベース状態に制御し（例えば、変形例においてステップＳ３８０など）、
前記ベース状態制御手段は、前記高ベース状態に制御されているときに前記転落抽選に当選した場合には所定の割合で前記高ベース状態の制御を継続する一方で、前記高ベース状態に制御されておりかつ前記カウント回数が前記所定の回数に達しているときに前記事前決定手段によって特定遊技状態に制御すると決定された場合には当該特定遊技状態の終了後に前記所定の割合よりも低い割合で前記高ベース状態の制御を継続する（例えば、ステップＳ３８２、Ｓ３８４の処理などを実行するＣＰＵ１０３など）、
ことを特徴とする。
【００１４】
このような構成によれば、高ベース状態に制御されていない場合にはカウント回数が所定の回数に達したときに高ベース状態に移行し得る。これに対して、高ベース状態に制御されている場合には、転落抽選に当選した方が高ベース状態に維持されやすい。このため、遊技者は、高ベース状態に制御されていない場合には、カウント回数が所定の回数に達することを期待可能である一方で、高ベース状態に制御されている場合には、転落抽選に当選することを期待する。このように、高ベース状態に制御されているか否かに応じて、遊技者の期待の対象が異なってくるので、遊技に減り張りを付けることができ、遊技の興趣が向上する。
【００１５】
（３）上記（１）又は（２）に記載の遊技機において、
前記カウント回数を示唆する特定演出（例えば、カウント回数示唆演出など）を実行する特定演出実行手段（例えば、ステップＳ１７６でカウント回数示唆演出を実行する演出制御用ＣＰＵ１２０など）をさらに備え、
前記制御期間選択手段は、前記カウント回数と前記所定の回数との差が前記第１の回数の場合と前記第１の回数（例えば、３〜７回）よりも少ない第２の回数（例えば、０〜２回）の場合とのうち、前記第２の回数の場合の方が前記第１の回数の場合よりも前記特定演出実行手段が前記特定演出を実行可能な期間を前記制御期間に選択しやすい（例えば、図２０参照）、
ようにしてもよい。
【００１６】
このような構成によれば、例えばカウント回数が所定の回数に近づいていることを好適に示唆でき、遊技の興趣が向上する。
【図面の簡単な説明】
【００１７】
【図１】パチンコ遊技機の正面図である。
【図２】パチンコ遊技機に搭載された各種の制御基板などを示す構成図である。
【図３】特別図柄プロセス処理の一例を示すフローチャートである。
【図４】始動入賞判定処理の一例を示すフローチャートである。
【図５】特別図柄通常処理の一例を示すフローチャートである。
【図６】特別図柄通常処理の一例を示すフローチャートである。
【図７】確変転落抽選テーブルにおける決定割合などを説明する図である。
【図８】特図表示結果決定テーブルにおける決定割合などを説明する図である。
【図９】可変表示パターン設定処理の一例を示すフローチャートである。
【図１０】可変表示パターンの例を示す図である。
【図１１】可変表示パターン決定テーブルにおける決定割合などを説明する図である。
【図１２】可変表示パターン決定テーブルにおける決定割合などを説明する図である。
【図１３】可変表示パターン決定テーブルにおける決定割合などを説明する図である。
【図１４】可変表示パターン決定テーブルにおける決定割合などを説明する図である。
【図１５】可変表示パターン決定テーブルにおける決定割合などを説明する図である。
【図１６】可変表示パターン決定テーブルにおける決定割合などを説明する図である。
【図１７】可変表示パターン決定テーブルにおける決定割合などを説明する図である。
【図１８】可変表示パターン決定テーブルにおける決定割合などを説明する図である。
【図１９】特別図柄停止処理の一例を示すフローチャートである。
【図２０】エンディング期間の決定例を示す図である。
【図２１】大当り終了処理の一例を示すフローチャートである。
【図２２】演出制御プロセス処理を示すフローチャートである。
【図２３】可変表示開始設定処理を示すフローチャートである。
【図２４】抽選結果示唆演出の示唆内容の決定例を示す図である。
【図２５】可変表示中演出処理を示すフローチャートである。
【図２６】大当り中演出処理を示すフローチャートである。
【図２７】カウント値示唆演出の実行タイミングなどの例を示す図である。
【図２８】カウント値示唆演出の演出画面の一例を示す図である。
【図２９】カウント値示唆演出の実行タイミングなどの例を示す図である。
【図３０】遊技状態の遷移及び画像表示装置における演出動作を説明するためのタイミングチャートである。
【図３１】遊技状態の遷移及び画像表示装置における演出動作を説明するためのタイミングチャートである。
【図３２】特別図柄通常処理の変形例を示すフローチャートである。
【図３３】大当り終了処理の変形例を示すフローチャートである。
【図３４】カウント値示唆演出の実行タイミングなどの変形例を示す図である。
【図３５】変形例における大入賞口の開放設定を示す図である。
【図３６】変形例における大当り中演出処理中の処理の一例を示すフローチャートである。
【図３７】変形例における大入賞口の開放態様とリーチ演出の実行期間を示すタイミング図である。
【図３８】大当り終了処理の変形例を示すフローチャートである。
【発明を実施するための形態】
【００１８】
以下、図面を参照しつつ、本発明の一実施形態を詳細に説明する。図１は、本実施の形態におけるパチンコ遊技機の正面図であり、主要部材の配置レイアウトを示す。パチンコ遊技機（遊技機）１は、大別して、遊技盤面を構成する遊技盤（ゲージ盤）２と、遊技盤２を支持固定する遊技機用枠（台枠）３とから構成されている。遊技盤２には、ガイドレールによって囲まれた、ほぼ円形状の遊技領域が形成されている。この遊技領域には、遊技媒体としての遊技球が、所定の打球発射装置から発射されて打ち込まれる。
【００１９】
遊技盤２の所定位置（図１に示す例では、遊技領域の右側方）には、第１特別図柄表示装置４Ａと、第２特別図柄表示装置４Ｂとが設けられている。第１特別図柄表示装置４Ａと第２特別図柄表示装置４Ｂはそれぞれ、例えば７セグメントやドットマトリクスのＬＥＤ（発光ダイオード）等から構成され、可変表示ゲームの一例となる特図ゲームにおいて、各々を識別可能な複数種類の識別情報（特別識別情報）である特別図柄（「特図」ともいう）が、変動可能に表示（可変表示）される。例えば、第１特別図柄表示装置４Ａと第２特別図柄表示装置４Ｂはそれぞれ、「０」〜「９」を示す数字や「−」を示す記号等から構成される複数種類の特別図柄を可変表示する。なお、第１特別図柄表示装置４Ａや第２特別図柄表示装置４Ｂにおいて表示される特別図柄は、「０」〜「９」を示す数字や「−」を示す記号等から構成されるものに限定されず、例えば７セグメントのＬＥＤにおいて点灯させるものと消灯させるものとの組合せを異ならせた複数種類の点灯パターンが、複数種類の特別図柄として予め設定されていればよい。
【００２０】
複数種類の特別図柄には、それぞれに対応した図柄番号が付されている。一例として、「０」〜「９」を示す数字それぞれには、「０」〜「９」の図柄番号が付され、「−」を示す記号には、「１０」の図柄番号が付されていればよい。以下では、第１特別図柄表示装置４Ａにおいて可変表示される特別図柄を「第１特図」ともいい、第２特別図柄表示装置４Ｂにおいて可変表示される特別図柄を「第２特図」ともいう。
【００２１】
第１特別図柄表示装置４Ａと第２特別図柄表示装置４Ｂはともに、例えば方形状に形成されている。なお、第１特図の種類と第２特図の種類は同じ（例えば、ともに「０」〜「９」を示す数字、及び、「−」を示す記号）であってもよいし、種類が異なっていてもよい。また、第１特別図柄表示装置４Ａと第２特別図柄表示装置４Ｂはそれぞれ、例えば「００」〜「９９」を示す数字（あるいは２桁の記号）を可変表示するように構成されていてもよい。
【００２２】
遊技盤２における遊技領域の中央付近には、画像表示装置５が設けられている。画像表示装置５は、例えばＬＣＤ（液晶表示装置）等から構成され、各種の演出画像を表示する表示領域を形成している。画像表示装置５の表示領域では、特図ゲームにおける第１特別図柄表示装置４Ａによる第１特図の可変表示や第２特別図柄表示装置４Ｂによる第２特図の可変表示のそれぞれに対応して、例えば３つといった複数の可変表示部となる飾り図柄表示エリアにて、各々を識別可能な複数種類の識別情報（装飾識別情報）である飾り図柄が可変表示される。この飾り図柄の可変表示も、可変表示ゲームに含まれる。この可変表示ゲームにおいて、遊技者は、遊技領域の中央付近に設けられた画像表示装置５による飾り図柄の可変表示に注目し、遊技領域の右側方に設けられた第１特別図柄表示装置４Ａによる第１特図の可変表示や第２特別図柄表示装置４Ｂによる第２特図の可変表示をあまり見ることはない。
【００２３】
一例として、画像表示装置５の表示領域には、「左」、「中」、「右」の飾り図柄表示エリア５Ｌ、５Ｃ、５Ｒが配置されている。そして、特図ゲームにおいて第１特別図柄表示装置４Ａにおける第１特図の可変表示と第２特別図柄表示装置４Ｂにおける第２特図の可変表示のうち、いずれかが開始されることに対応して、「左」、「中」、「右」の各飾り図柄表示エリア５Ｌ、５Ｃ、５Ｒにおいて飾り図柄の可変表示（例えば上下方向のスクロール表示）が開始される。その後、特図ゲームにおける可変表示結果として確定特別図柄が停止表示されるときに、画像表示装置５における「左」、「中」、「右」の各飾り図柄表示エリア５Ｌ、５Ｃ、５Ｒにて、飾り図柄の可変表示結果となる確定飾り図柄（最終停止図柄）が停止表示される。
【００２４】
このように、画像表示装置５の表示領域では、第１特別図柄表示装置４Ａにおける第１特図を用いた特図ゲーム、または、第２特別図柄表示装置４Ｂにおける第２特図を用いた特図ゲームと同期して、各々が識別可能な複数種類の飾り図柄の可変表示を行い、可変表示結果となる確定飾り図柄を導出表示（あるいは単に「導出」ともいう）する。なお、例えば特別図柄や飾り図柄といった、各種の表示図柄を導出表示するとは、飾り図柄等の識別情報を停止表示（完全停止表示や最終停止表示ともいう）して可変表示を終了させることである。これに対して、飾り図柄の可変表示を開始してから可変表示結果となる確定飾り図柄が導出表示されるまでの可変表示中には、飾り図柄の可変表示速度が「０」となって、飾り図柄が停留して表示され、例えば微少な揺れや伸縮などを生じさせる表示状態となることがある。このような表示状態は、仮停止表示ともいい、可変表示における表示結果が確定的に表示されていないものの、スクロール表示や更新表示による飾り図柄の可変表示が進行していないことを遊技者が認識可能となる。なお、仮停止表示には、微少な揺れや伸縮なども生じさせず、所定時間（例えば１秒間）よりも短い時間だけ、飾り図柄を完全停止表示することなどが含まれてもよい。
【００２５】
「左」、「中」、「右」の各飾り図柄表示エリア５Ｌ、５Ｃ、５Ｒにて可変表示される飾り図柄には、例えば８種類の図柄（英数字「１」〜「８」あるいは漢数字や、英文字、所定のモチーフに関連する８個のキャラクタ画像、数字や文字あるいは記号とキャラクタ画像との組合せなどであればよく、キャラクタ画像は、例えば人物や動物、これら以外の物体、もしくは、文字などの記号、あるいは、その他の任意の図形を示す飾り画像であればよい）で構成される。飾り図柄のそれぞれには、対応する図柄番号が付されている。例えば、「１」〜「８」を示す英数字それぞれに対して、「１」〜「８」の図柄番号が付されている。なお、飾り図柄は８種類に限定されず、大当り組合せやハズレとなる組合せなど適当な数の組合せを構成可能であれば、何種類であってもよい（例えば７種類や９種類など）。
【００２６】
飾り図柄の可変表示が開始された後、可変表示結果となる確定飾り図柄が導出表示されるまでには、「左」、「中」、「右」の各飾り図柄表示エリア５Ｌ、５Ｃ、５Ｒにおいて、例えば図柄番号が小さいものから大きいものへと順次に上方から下方へと流れるようなスクロール表示が行われ、図柄番号が最大（例えば「８」）である飾り図柄が表示されると、続いて図柄番号が最小（例えば「１」）である飾り図柄が表示される。あるいは、飾り図柄表示エリア５Ｌ、５Ｃ、５Ｒのうち少なくともいずれか１つ（例えば「左」の飾り図柄表示エリア５Ｌなど）において、図柄番号が大きいものから小さいものへとスクロール表示を行って、図柄番号が最小である飾り図柄が表示されると、続いて図柄番号が最大である飾り図柄が表示されるようにしてもよい。
【００２７】
画像表示装置５の表示領域には、始動入賞記憶表示エリア５Ｈが配置されている。始動入賞記憶表示エリア５Ｈでは、特図ゲームに対応した可変表示の保留数（特図保留記憶数）を特定可能に表示する保留記憶表示が行われる。ここで、特図ゲームに対応した可変表示の保留は、普通入賞球装置６Ａが形成する第１始動入賞口や、普通可変入賞球装置６Ｂが形成する第２始動入賞口に、遊技球が進入（例えば、通過）することによる始動入賞に基づいて発生する。すなわち、特図ゲームや飾り図柄の可変表示といった可変表示ゲームを実行するための始動条件（「実行条件」ともいう）は成立したが、先に成立した開始条件に基づく可変表示ゲームが実行中であることやパチンコ遊技機１が大当り遊技状態に制御されていることなどにより、可変表示ゲームの開始を許容する開始条件が成立していないときに、成立した始動条件に対応する可変表示の保留が行われる。
【００２８】
図１に示す例では、始動入賞記憶表示エリア５Ｈとともに、第１特別図柄表示装置４Ａ及び第２特別図柄表示装置４Ｂの上部に、特図保留記憶数を特定可能に表示するための第１保留表示器２５Ａと第２保留表示器２５Ｂとが設けられている。第１保留表示器２５Ａは、第１特図保留記憶数を特定可能に表示する。第２保留表示器２５Ｂは、第２特図保留記憶数を特定可能に表示する。第１特図保留記憶数は、第１特図を用いた特図ゲームの実行が保留されている記憶数である。第２特図保留記憶数は、第２特図を用いた特図ゲームの実行が保留されている記憶数である。第１特図保留記憶数と第２特図保留記憶数とを加算した可変表示の保留記憶数は、特に、合計保留記憶数ともいう。単に「特図保留記憶数」というときには、通常、第１特図保留記憶数、第２特図保留記憶数及び合計保留記憶数のいずれも含む概念を指すが、特に、これらの一部（例えば第１特図保留記憶数と第２特図保留記憶数を含む一方で合計保留記憶数は除く概念）を指すこともあるものとする。
【００２９】
画像表示装置５の下方には、普通入賞球装置６Ａと、普通可変入賞球装置６Ｂとが設けられている。普通入賞球装置６Ａは、例えば所定の玉受部材によって常に一定の開放状態に保たれる始動領域（第１始動領域）としての第１始動入賞口を形成する。普通可変入賞球装置６Ｂは、図２に示す普通電動役物用となるソレノイド８１によって、垂直位置となる通常開放状態と傾動位置となる拡大開放状態とに変化する一対の可動翼片を有する電動チューリップ型役物（普通電動役物）を備え、始動領域（第２始動領域）第２始動入賞口を形成する。
【００３０】
一例として、普通可変入賞球装置６Ｂでは、普通電動役物用のソレノイド８１がオフ状態であるときに可動翼片が垂直位置となることにより、遊技球が第２始動入賞口に進入しがたい通常開放状態となる。その一方で、普通可変入賞球装置６Ｂでは、普通電動役物用のソレノイド８１がオン状態であるときに可動翼片が傾動位置となる傾動制御により、遊技球が第２始動入賞口に進入しやすい拡大開放状態となる。なお、普通可変入賞球装置６Ｂは、通常開放状態であるときでも、第２始動入賞口には遊技球が進入可能であるものの、拡大開放状態であるときよりも遊技球が進入する可能性が低くなるように構成してもよい。あるいは、普通可変入賞球装置６Ｂは、通常開放状態において、例えば第２始動入賞口を閉鎖することなどにより、第２始動入賞口には遊技球が進入しないように構成してもよい。このように、第２始動領域としての第２始動入賞口は、遊技球が進入しやすい拡大開放状態と、遊技球が進入しにくいまたは進入できない通常開放状態とに変化するようにすればよい。
【００３１】
普通入賞球装置６Ａに形成された第１始動入賞口に進入した遊技球は、例えば図２に示す第１始動口スイッチ２２Ａによって検出される。普通可変入賞球装置６Ｂに形成された第２始動入賞口に進入した遊技球は、例えば図２に示す第２始動口スイッチ２２Ｂによって検出される。第１始動口スイッチ２２Ａによって遊技球が検出されたことに基づき、所定個数（例えば３個）の遊技球が賞球として払い出され、第１特図保留記憶数が所定の上限値（例えば「４」）以下であれば、第１始動条件が成立する。第２始動口スイッチ２２Ｂによって遊技球が検出されたことに基づき、所定個数（例えば３個）の遊技球が賞球として払い出され、第２特図保留記憶数が所定の上限値（例えば「４」）以下であれば、第２始動条件が成立する。なお、第１始動口スイッチ２２Ａによって遊技球が検出されたことに基づいて払い出される賞球の個数と、第２始動口スイッチ２２Ｂによって遊技球が検出されたことに基づいて払い出される賞球の個数は、互いに同一の個数であってもよいし、異なる個数であってもよい。
【００３２】
普通入賞球装置６Ａと普通可変入賞球装置６Ｂの下方には、特別可変入賞球装置７が設けられている。特別可変入賞球装置７は、図２に示す大入賞口扉用となるソレノイド８２によって開閉駆動される大入賞口扉を備え、その大入賞口扉によって開放状態と閉鎖状態とに変化する特定領域としての大入賞口を形成する。
【００３３】
一例として、特別可変入賞球装置７では、大入賞口扉用のソレノイド８２がオフ状態であるときに大入賞口扉が大入賞口を閉鎖状態として、遊技球が大入賞口を進入（例えば、通過）できなくする。その一方で、特別可変入賞球装置７では、大入賞口扉用のソレノイド８２がオン状態であるときに大入賞口扉が大入賞口を開放状態として、遊技球が大入賞口を進入しやすくする。このように、特定領域としての大入賞口は、遊技球が進入しやすく遊技者にとって有利な開放状態と、遊技球が進入できず遊技者にとって不利な閉鎖状態とに変化する。なお、遊技球が大入賞口を進入できない閉鎖状態に代えて、あるいは閉鎖状態の他に、遊技球が大入賞口を進入しにくい一部開放状態を設けてもよい。
【００３４】
大入賞口を進入した遊技球は、例えば図２に示すカウントスイッチ２３によって検出される。カウントスイッチ２３によって遊技球が検出されたことに基づき、所定個数（例えば１５個）の遊技球が賞球として払い出される。こうして、特別可変入賞球装置７において開放状態となった大入賞口を遊技球が進入したときには、例えば第１始動入賞口や第２始動入賞口といった、他の入賞口を遊技球が進入したときよりも多くの賞球が払い出される。したがって、特別可変入賞球装置７において大入賞口が開放状態となれば、その大入賞口に遊技球が進入可能となり、遊技者にとって有利な第１状態となる。その一方で、特別可変入賞球装置７において大入賞口が閉鎖状態となれば、大入賞口に遊技球を進入させて賞球を得ることが不可能または困難になり、遊技者にとって不利な第２状態となる。
【００３５】
遊技盤２の所定位置（図１に示す例では、遊技領域の左側方）には、普通図柄表示器２０が設けられている。一例として、普通図柄表示器２０は、第１特別図柄表示装置４Ａや第２特別図柄表示装置４Ｂと同様に７セグメントやドットマトリクスのＬＥＤ等から構成され、特別図柄とは異なる複数種類の識別情報である普通図柄（「普図」あるいは「普通図」ともいう）を変動可能に表示（可変表示）する。このような普通図柄の可変表示は、普図ゲーム（「普通図ゲーム」ともいう）と称される。
【００３６】
普通図柄表示器２０の上方には、普図保留表示器２５Ｃが設けられている。普図保留表示器２５Ｃは、例えば４個のＬＥＤを含んで構成され、通過ゲート４１を通過した有効通過球数としての普図保留記憶数を表示する。
【００３７】
遊技盤２の表面には、上記の構成以外にも、遊技球の流下方向や速度を変化させる風車及び多数の障害釘が設けられている。また、第１始動入賞口、第２始動入賞口及び大入賞口とは異なる入賞口として、例えば所定の玉受部材によって常に一定の開放状態に保たれる単一または複数の一般入賞口が設けられてもよい。この場合には、一般入賞口のいずれかに進入した遊技球が所定の一般入賞球スイッチによって検出されたことに基づき、所定個数（例えば１０個）の遊技球が賞球として払い出されればよい。遊技領域の最下方には、いずれの入賞口にも進入しなかった遊技球が取り込まれるアウト口が設けられている。
【００３８】
遊技機用枠３の左右上部位置には、効果音等を再生出力するためのスピーカ８Ｌ、８Ｒが設けられており、さらに遊技領域周辺部には、遊技効果ランプ９が設けられている。パチンコ遊技機１の遊技領域における各構造物（例えば普通入賞球装置６Ａ、普通可変入賞球装置６Ｂ、特別可変入賞球装置７等）の周囲には、装飾用ＬＥＤが配置されていてもよい。遊技機用枠３の右下部位置には、遊技媒体としての遊技球を遊技領域に向けて発射するために遊技者等によって操作される打球操作ハンドル（操作ノブ）が設けられている。例えば、打球操作ハンドルは、遊技者等による操作量（回転量）に応じて遊技球の弾発力を調整する。打球操作ハンドルには、打球発射装置が備える発射モータの駆動を停止させるための単発発射スイッチや、タッチリング（タッチセンサ）が設けられていればよい。
【００３９】
遊技領域の下方における遊技機用枠３の所定位置には、賞球として払い出された遊技球や所定の球貸機により貸し出された遊技球を、打球発射装置へと供給可能に保持（貯留）する上皿（打球供給皿）が設けられている。遊技機用枠３の下部には、上皿から溢れた余剰球などを、パチンコ遊技機１の外部へと排出可能に保持（貯留）する下皿が設けられている。
【００４０】
下皿を形成する部材には、例えば下皿本体の上面における手前側の所定位置（例えば下皿の中央部分）などに、遊技者が把持して傾倒操作が可能なスティックコントローラ３１Ａが取り付けられている。スティックコントローラ３１Ａは、遊技者が把持する操作桿を含み、操作桿の所定位置（例えば遊技者が操作桿を把持したときに操作手の人差し指が掛かる位置など）には、トリガボタンが設けられている。トリガボタンは、遊技者がスティックコントローラ３１Ａの操作桿を操作手（例えば左手など）で把持した状態において、所定の操作指（例えば人差し指など）で押引操作することなどにより所定の指示操作ができるように構成されていればよい。操作桿の内部には、トリガボタンに対する押引操作などによる所定の指示操作を検知するトリガセンサが内蔵されていればよい。
【００４１】
スティックコントローラ３１Ａの下部における下皿の本体内部などには、操作桿に対する傾倒操作を検知する傾倒方向センサユニットが設けられていればよい。例えば、傾倒方向センサユニットは、パチンコ遊技機１と正対する遊技者の側からみて操作桿の中心位置よりも左側で遊技盤２の盤面と平行に配置された２つの透過形フォトセンサ（平行センサ対）と、この遊技者の側からみて操作桿の中心位置よりも右側で遊技盤２の盤面と垂直に配置された２つの透過形フォトセンサ（垂直センサ対）とを組み合わせた４つの透過形フォトセンサを含んで構成されていればよい。
【００４２】
上皿を形成する部材には、例えば上皿本体の上面における手前側の所定位置（例えばスティックコントローラ３１Ａの上方）などに、遊技者が押下操作などにより所定の指示操作を可能なプッシュボタン３１Ｂが設けられている。プッシュボタン３１Ｂは、遊技者からの押下操作などによる所定の指示操作を、機械的、電気的、あるいは、電磁的に、検出できるように構成されていればよい。プッシュボタン３１Ｂの設置位置における上皿の本体内部などには、プッシュボタン３１Ｂに対してなされた遊技者の操作行為を検知するプッシュセンサが設けられていればよい。
【００４３】
次に、パチンコ遊技機１における遊技の進行を概略的に説明する。
【００４４】
パチンコ遊技機１では、遊技領域に設けられた通過ゲート４１を通過した遊技球が図２に示すゲートスイッチ２１によって検出されたことといった、普通図柄表示器２０にて普通図柄の可変表示を実行するための普図始動条件が成立した後に、例えば前回の普図ゲームが終了したことといった、普通図柄の可変表示を開始するための普図開始条件が成立したことに基づいて、普通図柄表示器２０による普図ゲームが開始される。
【００４５】
この普図ゲームでは、普通図柄の可変表示を開始させた後、普図可変表示時間となる所定時間が経過すると、普通図柄の可変表示結果となる確定普通図柄を停止表示（導出表示）する。このとき、確定普通図柄として、例えば「７」を示す数字といった、特定の普通図柄（普図当り図柄）が停止表示されれば、普通図柄の可変表示結果が「普図当り」となる。その一方、確定普通図柄として、例えば「７」を示す数字以外の数字や記号といった、普図当り図柄以外の普通図柄が停止表示されれば、普通図柄の可変表示結果が「普図ハズレ」となる。普通図柄の可変表示結果が「普図当り」となったことに対応して、普通可変入賞球装置６Ｂを構成する電動チューリップの可動翼片が傾動位置となる拡大開放制御（傾動制御）が行われ、所定時間が経過すると垂直位置に戻る通常開放制御が行われる。
【００４６】
普通入賞球装置６Ａに形成された第１始動入賞口を進入した遊技球が図２に示す第１始動口スイッチ２２Ａによって検出されたことなどにより第１始動条件が成立した後に、例えば前回の特図ゲームや大当り遊技状態が終了したことなどにより第１開始条件が成立したことに基づいて、第１特別図柄表示装置４Ａによる特図ゲームが開始される。また、普通可変入賞球装置６Ｂに形成された第２始動入賞口を進入した遊技球が図２に示す第２始動口スイッチ２２Ｂによって検出されたことなどにより第２始動条件が成立した後に、例えば前回の特図ゲームや大当り遊技状態が終了したことなどにより第２開始条件が成立したことに基づいて、第２特別図柄表示装置４Ｂによる特図ゲームが開始される。
【００４７】
第１特別図柄表示装置４Ａや第２特別図柄表示装置４Ｂによる特図ゲームでは、特別図柄の可変表示を開始させた後、特図可変表示時間としての可変表示時間が経過すると、特別図柄の可変表示結果となる確定特別図柄（特図表示結果）を導出表示する。このとき、確定特別図柄として特定の特別図柄（大当り図柄）が停止表示されれば、特定表示結果としての「大当り」となる。また、大当り図柄とは異なる特別図柄が確定特別図柄として停止表示されれば「ハズレ」となる。
【００４８】
特図ゲームでの可変表示結果が「大当り」になった後には、遊技者にとって有利なラウンド（「ラウンド遊技」ともいう）を所定回数実行する特定遊技状態としての大当り遊技状態に制御される。
【００４９】
この実施の形態におけるパチンコ遊技機１では、一例として、「７」の数字を示す特別図柄を大当り図柄としている。なお、第１特別図柄表示装置４Ａによる特図ゲームにおける大当り図柄やハズレ図柄といった各図柄は、第２特別図柄表示装置４Ｂによる特図ゲームにおける各図柄とは異なる特別図柄となるようにしてもよいし、双方の特図ゲームにおいて共通の特別図柄が大当り図柄やハズレ図柄となるようにしてもよい。
【００５０】
特図ゲームにおける確定特別図柄として大当り図柄が停止表示されて特定表示結果としての「大当り」となった後には、特定遊技状態としての大当り遊技状態に制御される。大当り遊技状態では、特別可変入賞球装置７の大入賞口扉が、所定の上限時間（例えば２９秒間）が経過するまでの期間あるいは所定個数（例えば９個）の入賞球が発生するまでの期間にて、大入賞口を開放状態とする。これにより、特別可変入賞球装置７を遊技者にとって有利な第１状態（開放状態）とするラウンドが実行される。
【００５１】
ラウンドの実行中に大入賞口を開放状態とした大入賞口扉は、遊技盤２の表面を落下する遊技球を受け止め、その後（前記の開放期間が経過したとき）に大入賞口を閉鎖状態とすることにより、特別可変入賞球装置７を遊技者にとって不利な第２状態（閉鎖状態）に変化させて、１回のラウンドを終了させる。大入賞口の開放サイクルであるラウンドは、その実行回数が所定の上限回数（例えば「１５」など）に達するまで、繰り返し実行可能となっている。つまり、１回の大当り遊技状態中には、前記上限回数に達するまで前記ラウンドが繰り返し実行可能である。なお、ラウンドの実行回数が上限回数に達する前であっても、所定条件の成立（例えば大入賞口に遊技球が入賞しなかったことなど）により、ラウンドの実行が終了するようにしてもよい。なお、ラウンドの実行回数が「１５」となる通常大当り遊技状態における遊技は、１５回開放遊技とも称される。
【００５２】
画像表示装置５に設けられた「左」、「中」、「右」の飾り図柄表示エリア５Ｌ、５Ｃ、５Ｒでは、第１特別図柄表示装置４Ａにおける第１特図を用いた特図ゲームと、第２特別図柄表示装置４Ｂにおける第２特図を用いた特図ゲームとのうち、いずれかの特図ゲームが開始されることに対応して、飾り図柄の可変表示が開始される。そして、飾り図柄の可変表示が開始されてから「左」、「中」、「右」の各飾り図柄表示エリア５Ｌ、５Ｃ、５Ｒにおける確定飾り図柄の停止表示により可変表示が終了するまでの期間では、飾り図柄の可変表示状態が所定のリーチ状態となることがある。
【００５３】
ここで、リーチ状態とは、画像表示装置５の表示領域にて停止表示された飾り図柄が大当り組合せの一部を構成しているときに未だ停止表示されていない飾り図柄（「リーチ可変表示図柄」ともいう）については可変表示が継続している表示状態、あるいは、全部又は一部の飾り図柄が大当り組合せの全部又は一部を構成しながら同期して可変表示している表示状態のことである。具体的には、「左」、「中」、「右」の飾り図柄表示エリア５Ｌ、５Ｃ、５Ｒにおける一部（例えば「左」及び「右」の飾り図柄表示エリア５Ｌ、５Ｒなど）では予め定められた大当り組合せを構成する飾り図柄（例えば「７」の英数字を示す飾り図柄）が停止表示されているときに未だ停止表示していない残りの飾り図柄表示エリア（例えば「中」の飾り図柄表示エリア５Ｃなど）では飾り図柄が可変表示している表示状態、あるいは、「左」、「中」、「右」の飾り図柄表示エリア５Ｌ、５Ｃ、５Ｒにおける全部又は一部で飾り図柄が大当り組合せの全部又は一部を構成しながら同期して可変表示している表示状態である。
【００５４】
また、リーチ状態となったことに対応して、飾り図柄の可変表示速度を低下させたり、画像表示装置５の表示領域に飾り図柄とは異なるキャラクタ画像（人物等を模した演出画像）を表示させたり、背景画像の表示態様を変化させたり、飾り図柄とは異なる動画像を再生表示させたり、飾り図柄の可変表示態様を変化させたりすることで、リーチ状態となる以前とは異なる演出動作が実行される場合がある。このようなキャラクタ画像の表示や背景画像の表示態様の変化、動画像の再生表示、飾り図柄の可変表示態様の変化といった演出動作を、リーチ演出表示（あるいは単にリーチ演出）という。なお、リーチ演出には、画像表示装置５における表示動作のみならず、スピーカ８Ｌ、８Ｒによる音声出力動作や、遊技効果ランプ９などの発光体における点灯動作（点滅動作）などを、リーチ状態となる以前の動作態様とは異なる動作態様とすることが、含まれていてもよい。
【００５５】
リーチ演出における演出動作としては、互いに動作態様（リーチ態様）が異なる複数種類の演出パターン（「リーチパターン」ともいう）が、予め用意されていればよい。そして、それぞれのリーチ態様では「大当り」となる可能性（「信頼度」あるいは「大当り信頼度」ともいう）が異なる。すなわち、複数種類のリーチ演出のいずれが実行されるかに応じて、可変表示結果が「大当り」となる可能性を異ならせることができる。
【００５６】
一例として、この実施の形態では、ノーマルリーチ、スーパーリーチといったリーチ態様が予め設定されている。そして、スーパーリーチのリーチ態様が出現した場合には、ノーマルリーチのリーチ態様が出現した場合に比べて、可変表示結果が「大当り」となる可能性（大当り期待度）が高くなる。また、その他のリーチ態様として、詳しくは後述するカウント値示唆演出や、抽選結果示唆演出などが実行される態様が予め設定されている。
【００５７】
特図ゲームにおける確定特別図柄として、ハズレ図柄となる特別図柄が停止表示（導出）される場合には、飾り図柄の可変表示が開始されてから、飾り図柄の可変表示状態がリーチ状態とならずに、所定の非リーチ組合せとなる確定飾り図柄が停止表示されることがある。このような飾り図柄の可変表示態様は、可変表示結果が「ハズレ」となる場合における「非リーチ」（「通常ハズレ」ともいう）の可変表示態様と称される。
【００５８】
特図ゲームにおける確定特別図柄として、ハズレ図柄となる特別図柄が停止表示（導出）される場合には、飾り図柄の可変表示が開始されてから、飾り図柄の可変表示状態がリーチ状態となったことに対応して、リーチ演出が実行された後に、あるいは、リーチ演出が実行されずに、所定のリーチ組合せとなる確定飾り図柄が停止表示されることがある。このような飾り図柄の可変表示結果は、可変表示結果が「ハズレ」となる場合における「リーチ」（「リーチハズレ」ともいう）の可変表示態様と称される。
【００５９】
特図ゲームにおける確定特別図柄として、大当り図柄となる特別図柄が停止表示される場合には、飾り図柄の可変表示状態がリーチ状態となったことに対応して、所定のリーチ演出が実行された後に、あるいは、リーチ演出が実行されずに、複数種類の大当り組合せのうち、所定の大当り組合せとなる確定飾り図柄が停止表示される。大当り組合せとなる確定飾り図柄は、例えば画像表示装置５における「左」、「中」、「右」の各飾り図柄表示エリア５Ｌ、５Ｃ、５Ｒにて可変表示される図柄番号が「１」〜「８」の飾り図柄のうちのいずれか１つが、「左」、「中」、「右」の各飾り図柄表示エリア５Ｌ、５Ｃ、５Ｒにて所定の有効ライン上に揃って停止表示されるものであればよい。
【００６０】
可変表示結果が「大当り」となったことに基づいて、大当り遊技状態に制御され、その終了後には、時間短縮制御（時短制御）や確率変動制御（確変制御）が行われる。時短制御が行われることにより、特図ゲームにおける特別図柄の可変表示時間（特図可変表示時間）は、通常状態に比べて短縮される。例えば、時短制御では、通常状態よりも、複数回実行される特図ゲームの可変表示時間の平均時間が短縮される。通常状態とは、大当り遊技状態等の特定遊技状態などとは異なる通常遊技状態であり、パチンコ遊技機１の初期設定状態（例えばシステムリセットが行われた場合のように、電源投入後に初期化処理を実行した状態）と同一の制御が行われる。時短制御は、大当り遊技状態の終了後に所定回数（例えば８９回）の特図ゲームが実行されることと、可変表示結果が「大当り」となることのうち、いずれかの条件が先に成立したときに、終了する。時短制御は、可変表示結果が「大当り」となったときにのみ終了するようにしてもよい。また、確変制御が行われることにより、各回の特図ゲームにおいて可変表示結果（特図表示結果）が「大当り」となる確率は、通常状態に比べて高くなるように向上する。確変制御は、大当り遊技状態の終了後に可変表示結果が「大当り」となって再び大当り遊技状態に制御されるという条件が成立したときに、終了する。また、この実施の形態では、大当り遊技状態の終了後（確変制御が行われている期間中）に特図ゲームが開始されるごとに確変転落抽選が実行されるが、この確変転落抽選にて確変制御を終了させる「確変転落あり」の決定（転落当選）がなされたときに、確変制御は終了する。
【００６１】
時短制御が行われるときには、普通図柄表示器２０による普図ゲームにおける普通図柄の可変表示時間（普図可変表示時間）を通常状態のときよりも短くする制御や、各回の普図ゲームで普通図柄の可変表示結果が「普図当り」となる確率を通常状態のときよりも向上させる制御、可変表示結果が「普図当り」となったことに基づく普通可変入賞球装置６Ｂにおける可動翼片の傾動制御を行う傾動制御時間を通常状態のときよりも長くする制御、その傾動回数を通常状態のときよりも増加させる制御といった、遊技球が第２始動入賞口に進入しやすくして第２始動条件が成立する可能性を高めることで遊技者にとって有利となる制御が行われる。このように、時短制御に伴い第２始動入賞口に遊技球が進入しやすくして遊技者にとって有利となる制御は、高開放制御ともいう。高開放制御としては、これらの制御のいずれか１つが行われるようにしてもよいし、複数の制御が組み合わせられて行われるようにしてもよい。
【００６２】
高開放制御が行われることにより、第２始動入賞口は、高開放制御が行われていないときよりも拡大開放状態となる頻度が高められる。これにより、第２特別図柄表示装置４Ｂにおける第２特図を用いた特図ゲームを実行するための第２始動条件が成立しやすくなり、特図ゲームが頻繁に実行可能となることで、次に可変表示結果が「大当り」となるまでの時間が短縮される。高開放制御が実行可能となる期間は、高開放制御期間ともいい、この期間は、時短制御が行われる期間と同一であればよい。
【００６３】
この実施の形態において、時短制御と高開放制御がともに行われない遊技状態は、低ベース状態という。高開放制御が行われるが、時短制御が行われる又は行われない遊技状態は、中ベース状態という。この実施の形態では、高開放制御が行われるが、時短制御が行われない遊技状態を中ベース状態とする。時短制御と高開放制御がともに行われる遊技状態は、高ベース状態という。また、確変制御が行われない遊技状態は、低確状態といい、確変制御が行われる遊技状態は、高確状態という。そして、確変制御や時短制御、高開放制御のいずれも行われない遊技状態（通常状態）は、低確低ベース状態とも称される。高開放制御のみが行われて確変制御及び時短制御が行われない遊技状態は、低確中ベース状態と称される。高開放制御及び時短制御が行われ、確変制御が行われない遊技状態は、低確高ベース状態と称される。また、確変制御のみが行われて時短制御及び高開放制御が行われない遊技状態は、高確低ベース状態と称される。確変制御とともに時短制御及び高開放制御が行われる遊技状態は、高確高ベース状態と称される。通常状態以外の遊技状態において時短制御や高開放制御、確変制御の少なくともいずれかが行われるときには、特図ゲームが頻繁に実行可能となることや、各回の特図ゲームにおける可変表示結果が「大当り」となる確率が高められることにより、遊技者にとって有利な状態となる。大当り遊技状態とは異なる遊技者にとって有利な遊技状態は、特別遊技状態とも称される。なお、中ベース状態は、時短制御のみが行われる遊技状態であってもよい。
【００６４】
低確低ベース状態に制御されているときに、可変表示結果が「大当り」となったことに基づいて、大当り遊技状態に制御された場合、その終了後には、高確低ベース状態に移行制御されるとともに、高確低ベースカウンタによるカウントが開始される。高確低ベースカウンタは、高確低ベース状態の移行後における大当り遊技状態の制御回数を高確低ベース状態になるきっかけの大当り遊技状態を１回目としてカウントするものである。高確低ベース状態カウンタにおける格納値（高確低ベースカウント値）は、高確低ベース状態に移行した後、可変表示結果を「大当り」とすると決定される毎に、１加算されることにより更新される。そして、高確低ベースカウント値は、所定の上限値「７」に達したときや確変転落抽選に当選したときに初期化（リセット）されてカウンタ初期値「０」に更新される。
【００６５】
高確低ベース状態に移行制御された後、高確低ベースカウント値が「７」に達する以前に、確変転落抽選に当選した場合には、高確低ベースカウント値が「０」に初期化されるとともに、低確低ベース状態に移行制御される。これに対して、高確低ベース状態に移行制御された後、確変転落抽選に当選することなく、高確低ベースカウント値が上限値「７」に達した場合（確変リミッタが作動した場合）には、大当り遊技状態の終了後、すなわち高確低ベース状態の終了後の特定期間（この実施の形態では特図ゲームが２〜８回実行される期間）、低確中ベース遊技状態に移行制御される。
【００６６】
低確中ベース状態に制御されているときに、可変表示結果が「大当り」となったことに基づいて、大当り遊技状態に制御された場合、その終了後には、高確高ベース状態に移行制御されるとともに、高確高ベースカウンタによるカウントが開始される。高確高ベースカウンタは、高確高ベース状態の移行後における大当り遊技状態の制御回数を高確高ベース状態になるきっかけの大当り遊技状態を１回目としてカウントするものである。高確高ベース状態に移行制御された後、高確高ベースカウント値が「７」に達する以前に、確変転落抽選に当選した場合には、高確高ベースカウント値が「０」にリセットされて高確状態が終了される一方で、高ベース状態が継続されることにより、低確高ベース状態に移行制御される。これに対して、高確高ベース状態に移行制御された後、確変転落抽選に当選することなく、確変回数カウント値が上限値「７」に達した場合（確変リミッタが作動した場合）には、大当り遊技状態の終了後、すなわち高確高ベース状態の終了後、低確低ベース状態に移行制御される。なお、低確高ベース状態に制御されているときに、可変表示結果が「大当り」となったことに基づいて、大当り遊技状態に制御された場合、その終了後には、高ベース状態が維持されてもよいし（つまり、高確高ベース状態になってもよいし）、高ベース状態が維持されなくてもよい（つまり、高確低ベース状態になってもよい）。
【００６７】
このように、高確低ベース状態に制御されている場合には、高確低ベースカウント値が上限値「７」に達することなく転落抽選に当選すれば、低確低ベース状態に移行する一方で、転落抽選に当選することなく低確高ベースカウント値が上限値「７」に達すれば（確変リミッタが作動すれば）、高確高ベース状態に移行する可能性のある低確中ベース状態に移行する。これに対して、高確高ベース状態に制御されている場合には、高確高ベースカウント値が上限値「７」に達することなく転落抽選に当選すれば、高確状態が終了するが、高確高ベースカウント値が「０」にリセットされるとともに、高ベース状態が継続されることにより、低確高ベース状態に移行制御される。その一方で、転落抽選に当選することなく高確高ベースカウント値が上限値「７」に達すれば（確変リミッタが作動すれば）、低確低ベース状態に移行する。このため、遊技者は、高確低ベース状態に制御されている場合、転落抽選に当選することなく高確高ベースカウント値が上限値「７」に達すること（確変リミッタが作動すること）を期待する一方で、高確低ベース状態に制御されている場合には、カウント回数が上限回数に達することなく転落抽選に当選することを期待する。このように、低ベース状態と高ベース状態とのいずれに制御されているかに応じて、遊技者の期待の対象が異なってくるので、遊技に減り張りを付けることができ、遊技の興趣が向上する。
【００６８】
この実施の形態では、高確低ベース状態に制御されているときに、転落抽選に当選することなく高確低ベースカウント値が上限値「７」に達して確変リミッタが作動した場合には、大当り組合せとなる確定飾り図柄が導出表示された後、大当り遊技状態の期間中などにて、特定期間となる特図ゲームの実行回数（この実施の形態では２回〜８回）を報知する報知演出が実行される。報知演出では、画像表示装置５の表示領域にて、例えばクルーンでＶ入賞するか否かを煽る演出画像を表示すればよい。そして、Ｖ入賞した場合には、Ｖ入賞しなかった場合に比べて多くの特図ゲームの実行回数（例えば６回〜８回）を特定期間として報知するようにし、Ｖ入賞しなかった場合には、Ｖ入賞した場合に比べて少ない特図ゲームの実行回数（例えば２回〜５回）を特定期間として報知すればよい。
【００６９】
これにより、複数種類の特定期間（特図ゲームが２回〜８回実行されるまでの期間）のうち、いずれの特定期間に決定されたかを報知する報知演出に遊技者を注目させることができるため、遊技の興趣が向上する。
【００７０】
また、この実施の形態では、かかる報知演出に関連して、高確低ベース状態に制御されているときに確変リミッタが作動した場合における飾り図柄の可変表示中に、上記報知演出に発展するか否かを煽ることにより、報知演出に発展する可能性を示唆する煽り演出（発展示唆演出ともいう）が実行される。煽り演出では、例えば、大当り組合せとなる役物煽り無し図柄（通常の飾り図柄）を停止表示させた後、役物煽り発展図柄に発展するか否かを煽る演出画像を表示し、役物煽り発展図柄に発展させて大当り組合せとなる役物煽り発展図柄を最終停止図柄として導出表示させればよい。
【００７１】
このように、報知演出に発展するか否かを煽ることにより、報知演出に発展する可能性を示唆する煽り演出を実行することで、遊技者に報知演出に発展することに対する期待感を与えることができるため、遊技の興趣が向上する。
【００７２】
さらに、この実施の形態では、低ベース状態に制御されているときには、高確高ベースカウント値に応じて、高ベース状態に制御されているときには、高確高ベースカウント値に応じて、飾り図柄の可変表示における演出モードを発展させていく。転落抽選に当選した場合には、例えば、演出モードは初期化される。演出モードの発展タイミングは、例えば飾り図柄の可変表示中の所定のタイミングであってもよいし、確定飾り図柄の導出タイミングなどであってもよい。具体的には、大当り組合せとなる役物煽り無し図柄が停止表示された後、役物煽り発展図柄への発展に失敗したタイミングで、演出モードを発展させればよい。これに対して、転落抽選に当選した場合の演出モードの初期化タイミングは、転落抽選に当選していない場合における演出モードの発展タイミングよりも早いタイミング、例えば飾り図柄の可変表示の開始時や飾り図柄の可変表示中の上記所定のタイミングよりも早いタイミングなどであればよい。
【００７３】
これにより、演出モードが発展することに対する遊技者の期待感を持続することができるため、遊技の興趣が向上する。なお、演出モードの発展タイミングは、例えば大当り遊技状態中であってもよい。
【００７４】
さらに、この実施の形態では、飾り図柄の可変表示中に、転落抽選の抽選結果を遊技者に示唆する抽選結果示唆演出が実行される。抽選結果示唆演出は、例えば、飾り図柄の可変表示態様がリーチ態様になったときに実行される。抽選結果示唆演出は、リーチ演出の一種として捉えてもよい。抽選結果示唆演出は、例えば、転落抽選に当選したかもしれないことを煽る演出（例えば、バトル演出など）と、この演出のあとに演出の結果として転落抽選に当選したか否かを遊技者に報知する演出（例えば、バトル演出にて味方キャラクタが勝つことで転落抽選の落選を報知し、バトル演出にて味方キャラクタが負けることで転落抽選の当選を報知する演出など）とを含む演出などであればよい。抽選結果示唆演出は、転落抽選に当選したかもしれないことは煽るが、転落抽選に当選したか否かを最終的に報知しないような演出であってもよい。抽選結果示唆演出は、非リーチの可変表示のときに実行されるものであってもよい。
【００７５】
抽選結果示唆演出の実行によって、転落抽選に当選したか否かなどを煽ることができ、遊技の興趣を向上させることができる。
【００７６】
抽選結果示唆演出は、主基板１１の側で可変表示パターンが決定されることなどに対応して実行するか否かが決定されればよい。例えば、低確高ベースカウント値や高確高ベースカウント値が所定の閾値（例えば「５」）以上である場合には、閾値未満の場合に比べて高い割合で、抽選結果示唆演出を実行する可変表示パターンが決定されればよい。
【００７７】
これにより、抽選結果示唆演出を実行する可変表示パターンの決定割合を、低確高ベースカウント値や高確高ベースカウント値が所定の閾値（例えば「５」）以上であるか否かに応じて異ならせることができるため、遊技の進行に応じて高確状態から低確状態への転落を適切に煽ることができる。なお、抽選結果示唆演出は、主基板１１の側で決定された可変表示パターンにかかわらず、演出制御基板１２の側で実行するか否かが決定されてもよい。
【００７８】
さらに、この実施の形態では、飾り図柄の可変表示中や大当り遊技状態に制御されている期間（特に後述のエンディング期間）中に高確低ベースカウント値や高確高ベースカウント値を示唆するカウント値示唆演出が実行される。カウント値示唆演出は、例えば、高確低ベースカウント値や高確高ベースカウント値が「７」に達しているかもしれないこと（つまり、確変リミッタが作動するかもしれないこと）を文字等で示唆することで、現在の高確低ベースカウント値や高確高ベースカウント値が「７」に達している又は「７」に近いかもしれないことを示唆する演出などであればよい。カウント値示唆演出は、例えば、確変リミッタが作動するかもしれないことを煽る演出（例えば、バトル演出など）と、この演出のあとに演出の結果として確変リミッタが作動するか否かを遊技者に報知する演出（例えば、バトル演出にて味方キャラクタが勝つことで確変リミッタが作動することを報知し、バトル演出にて味方キャラクタが負けることで確変リミッタが作動することを報知する演出など）とを含む演出などであってもよい。また、カウント値示唆演出は、例えば、高確低ベースカウント値や高確高ベースカウント値をそのまま報知することで当該カウント値を示唆する演出であってもよい。カウント値示唆演出は、確変リミッタが作動するか否かや、高確低ベースカウント値や高確高ベースカウント値を直接報知するものでなくてもよい。カウント値示唆演出は、例えば、飾り図柄の可変表示態様がリーチ態様になったときに実行される。カウント値示唆演出は、リーチ演出の一種として捉えてもよい。カウント値示唆演出は、非リーチの可変表示のときに実行されるものであってもよい。
【００７９】
カウント値示唆演出の実行によって、確変リミッタが作動するか否かなどを煽ることができ、遊技の興趣を向上させることができる。
【００８０】
カウント値示唆演出は、主基板１１の側で可変表示パターンが決定されること、カウント値示唆演出が実行可能なエンディング期間が決定されることなどに対応して実行するか否かが決定されればよい。例えば、低確高ベースカウント値や高確高ベースカウント値が所定の閾値（例えば「５」）以上である場合には、閾値未満の場合に比べて高い割合で、カウント値示唆演出を実行する可変表示パターンやエンディング期間が決定されればよい。
【００８１】
これにより、カウント値示唆演出を実行する可変表示パターンの決定割合を、低確高ベースカウント値や高確高ベースカウント値が所定の閾値（例えば「５」）以上であるか否かに応じて異ならせることができるため、遊技の進行に応じて確変リミッタが作動するか否かを適切に煽ることができる。なお、カウント値示唆演出は、主基板１１の側で決定されたもの限らず、演出制御基板１２の側で実行するか否かが決定されてもよい。
【００８２】
パチンコ遊技機１には、例えば図２に示すような主基板１１、演出制御基板１２、音声制御基板１３、ランプ制御基板１４といった、各種の制御基板が搭載されている。また、パチンコ遊技機１には、主基板１１と演出制御基板１２との間で伝送される各種の制御信号を中継するための中継基板１５なども搭載されている。その他にも、パチンコ遊技機１における遊技盤２などの背面には、例えば払出制御基板、情報端子基板、発射制御基板、インタフェース基板などといった、各種の基板が配置されている。
【００８３】
主基板１１は、メイン側の制御基板であり、パチンコ遊技機１における遊技の進行を制御するための各種回路が搭載されている。主基板１１は、主として、特図ゲームにおいて用いる乱数の設定機能、所定位置に配設されたスイッチ等からの信号の入力を行う機能、演出制御基板１２などからなるサブ側の制御基板に宛てて、指令情報の一例となる制御コマンドを制御信号として出力して送信する機能、ホールの管理コンピュータに対して各種情報を出力する機能などを備えている。また、主基板１１は、第１特別図柄表示装置４Ａと第２特別図柄表示装置４Ｂを構成する各ＬＥＤ（例えばセグメントＬＥＤ）などの点灯／消灯制御を行って第１特図や第２特図の可変表示を制御することや、普通図柄表示器２０の点灯／消灯／発色制御などを行って普通図柄表示器２０による普通図柄の可変表示を制御することといった、所定の表示図柄の可変表示を制御する機能も備えている。主基板１１は、第１保留表示器２５Ａ、第２保留表示器２５Ｂ、普図保留表示器２５Ｃを制御することなどによって、各種保留記憶数を表示する機能も備えている。
【００８４】
主基板１１には、例えば遊技制御用マイクロコンピュータ１００や、遊技球検出用の各種スイッチからの検出信号を取り込んで遊技制御用マイクロコンピュータ１００に伝送するスイッチ回路１１０、遊技制御用マイクロコンピュータ１００からのソレノイド駆動信号をソレノイド８１、８２に伝送するソレノイド回路１１１などが搭載されている。
【００８５】
演出制御基板１２は、主基板１１とは独立したサブ側の制御基板であり、中継基板１５を介して主基板１１から伝送された制御信号を受信して、画像表示装置５、スピーカ８Ｌ、８Ｒ及び遊技効果ランプ９といった演出用の電気部品による演出動作を制御するための各種回路が搭載されている。すなわち、演出制御基板１２は、画像表示装置５における表示動作や、スピーカ８Ｌ、８Ｒからの音声出力動作の全部または一部、遊技効果ランプ９などにおける点灯／消灯動作の全部または一部といった、演出用の電気部品に所定の演出動作を実行させるための制御内容を決定して実行する機能などを備えている。
【００８６】
音声制御基板１３は、演出制御基板１２とは別個に設けられた音声出力制御用の制御基板であり、演出制御基板１２からの指令や制御データなどに基づき、スピーカ８Ｌ、８Ｒから音声を出力させる音声信号処理を実行する処理回路などが搭載されている。ランプ制御基板１４は、演出制御基板１２とは別個に設けられたランプ出力制御用の制御基板であり、演出制御基板１２からの指令や制御データなどに基づき、遊技効果ランプ９などにおける点灯／消灯駆動を行うランプドライバ回路などが搭載されている。
【００８７】
図２に示すように、主基板１１には、ゲートスイッチ２１、第１始動口スイッチ２２Ａ、第２始動口スイッチ２２Ｂ、カウントスイッチ２３からの検出信号を伝送する配線が接続されている。なお、ゲートスイッチ２１、第１始動口スイッチ２２Ａ、第２始動口スイッチ２２Ｂ、カウントスイッチ２３は、例えばセンサと称されるものなどのように、遊技媒体としての遊技球を検出できる任意の構成を有するものであればよい。また、主基板１１には、第１特別図柄表示装置４Ａ、第２特別図柄表示装置４Ｂ、普通図柄表示器２０、第１保留表示器２５Ａ、第２保留表示器２５Ｂ、普図保留表示器２５Ｃなどの表示制御を行うための指令信号を伝送する配線が接続されている。
【００８８】
主基板１１から演出制御基板１２に向けて伝送される制御信号は、中継基板１５によって中継される。中継基板１５を介して主基板１１から演出制御基板１２に対して伝送される制御コマンドは、例えば電気信号として送受信される演出制御コマンドである。演出制御コマンドには、例えば画像表示装置５における画像表示動作を制御するために用いられる表示制御コマンドや、スピーカ８Ｌ、８Ｒからの音声出力を制御するために用いられる音声制御コマンド、遊技効果ランプ９や装飾用ＬＥＤの点灯動作などを制御するために用いられるランプ制御コマンドが含まれてもよい。
【００８９】
主基板１１に搭載された遊技制御用マイクロコンピュータ１００は、例えば１チップのマイクロコンピュータであり、遊技制御用のプログラムや固定データ等を記憶するＲＯＭ（Read Only Memory）１０１と、遊技制御用のワークエリアを提供するＲＡＭ（Random Access Memory）１０２と、遊技制御用のプログラムを実行して制御動作を行うＣＰＵ（Central Processing Unit）１０３と、ＣＰＵ１０３とは独立して乱数値を示す数値データの更新を行う乱数回路１０４と、Ｉ／Ｏ（Input/Output port）１０５とを備えて構成される。
【００９０】
一例として、遊技制御用マイクロコンピュータ１００では、ＣＰＵ１０３がＲＯＭ１０１から読み出したプログラムを実行することにより、パチンコ遊技機１における遊技の進行を制御するための処理が実行される。このときには、ＣＰＵ１０３がＲＯＭ１０１から固定データを読み出す固定データ読出動作や、ＣＰＵ１０３がＲＡＭ１０２に各種のデータを書き込んで一時記憶させる可変表示データ書込動作、ＣＰＵ１０３がＲＡＭ１０２に一時記憶されている各種のデータを読み出す可変表示データ読出動作、ＣＰＵ１０３がＩ／Ｏ１０５を介して遊技制御用マイクロコンピュータ１００の外部から各種信号の入力を受け付ける受信動作、ＣＰＵ１０３がＩ／Ｏ１０５を介して遊技制御用マイクロコンピュータ１００の外部へと各種信号を出力する送信動作なども行われる。
【００９１】
乱数回路１０４は、遊技の進行を制御するために用いられる各種の乱数値の一部または全部を示す数値データをカウントするものであればよい。ＣＰＵ１０３は、例えばＲＡＭ１０２に設けられたランダムカウンタといった、乱数回路１０４とは異なるランダムカウンタを用いて、ソフトウェアによって各種の数値データを定期的あるいは不定期に更新することで、各種の乱数値の一部を示す数値データをカウントするようにしてもよい。ＣＰＵ１０３がランダムカウント値を更新するために実行するソフトウェアは、ランダムカウント値を乱数回路１０４における数値データの更新動作とは別個に更新するためのものであってもよいし、乱数回路１０４から抽出された数値データの全部又は一部にスクランブル処理や演算処理といった所定の処理を施すことによりランダムカウント値を更新するためのものであってもよい。こうした遊技の進行を制御するために用いられる乱数は、遊技用乱数ともいう。
【００９２】
遊技制御用マイクロコンピュータ１００が備えるＲＯＭ１０１には、ゲーム制御用のプログラムの他にも、遊技の進行を制御するために用いられる各種の選択用データ、テーブルデータなどが格納されている。例えば、ＲＯＭ１０１には、ＣＰＵ１０３が各種の判定や決定、設定を行うために用意された複数の判定テーブルや決定テーブル、設定テーブルなどを構成するデータが記憶されている。また、ＲＯＭ１０１には、ＣＰＵ１０３が主基板１１から各種の制御コマンドとなる制御信号を送信するために用いられる複数のコマンドテーブルを構成するテーブルデータや、可変表示パターンを複数種類格納する可変表示パターンテーブルを構成するテーブルデータなどが、記憶されている。
【００９３】
この実施の形態では、可変表示結果が「ハズレ」となる場合のうち、飾り図柄の可変表示態様が「非リーチ」である場合と「リーチ」である場合のそれぞれに対応して、また、可変表示結果が「大当り」となる場合などに対応して、複数の可変表示パターンが予め用意されている。なお、可変表示結果が「ハズレ」で飾り図柄の可変表示態様が「非リーチ」である場合に対応した可変表示パターンは、非リーチ可変表示パターン（「非リーチハズレ可変表示パターン」ともいう）と称され、可変表示結果が「ハズレ」で飾り図柄の可変表示態様が「リーチ」である場合に対応した可変表示パターンは、リーチ可変表示パターン（「リーチハズレ可変表示パターン」ともいう）と称される。また、非リーチ可変表示パターンとリーチ可変表示パターンは、可変表示結果が「ハズレ」となる場合に対応したハズレ可変表示パターンに含まれる。可変表示結果が「大当り」である場合に対応した可変表示パターンは、大当り可変表示パターンと称される。大当り可変表示パターンやリーチ可変表示パターンには、ノーマルリーチのリーチ演出が実行されるノーマルリーチ可変表示パターンと、スーパーリーチのリーチ演出が実行されるスーパーリーチ可変表示パターンと、カウント値示唆演出が実行されるカウント値示唆演出用可変表示パターンと、抽選結果示唆演出が実行される抽選結果示唆演出用可変表示パターンと、がある。
【００９４】
図２に示す遊技制御用マイクロコンピュータ１００が備えるＲＡＭ１０２は、その一部または全部が所定の電源基板において作成されるバックアップ電源によってバックアップされているバックアップＲＡＭであればよい。すなわち、パチンコ遊技機１に対する電力供給が停止しても、所定期間（バックアップ電源としてのコンデンサが放電してバックアップ電源が電力供給不能になるまで）は、ＲＡＭ１０２の一部または全部の内容は保存される。特に、少なくとも、遊技状態すなわち遊技制御手段の制御状態に応じたデータ（特図プロセスフラグなど）と未払出賞球数を示すデータは、バックアップＲＡＭに保存されるようにすればよい。遊技制御手段の制御状態に応じたデータとは、停電等が生じた後に復旧した場合に、そのデータにもとづいて、制御状態を停電等の発生前に復旧させるために必要なデータである。また、制御状態に応じたデータと未払出賞球数を示すデータとを遊技の進行状態を示すデータと定義する。このようなＲＡＭ１０２には、パチンコ遊技機１における遊技の進行などを制御するために用いられる各種のデータを保持する領域が設けられている。
【００９５】
遊技制御用マイクロコンピュータ１００が備えるＩ／Ｏ１０５は、遊技制御用マイクロコンピュータ１００に伝送された各種信号を取り込むための入力ポートと、遊技制御用マイクロコンピュータ１００の外部へと各種信号を伝送するための出力ポートとを含んで構成されている。
【００９６】
図２に示すように、演出制御基板１２には、プログラムに従って制御動作を行う演出制御用ＣＰＵ１２０と、演出制御用のプログラムや固定データ等を記憶するＲＯＭ１２１と、演出制御用ＣＰＵ１２０のワークエリアを提供するＲＡＭ１２２と、画像表示装置５の表示動作を制御する処理などを実行する表示制御部１２３と、演出制御用ＣＰＵ１２０とは独立して乱数値を示す数値データの更新を行う乱数回路１２４と、Ｉ／Ｏ１２５とが搭載されている。表示制御部１２３は、ＶＤＰ（Video Display Processor）、ＣＧＲＯＭ（character generator ROM）、ＶＲＡＭ（Video RAM）などを含んで構成される。表示制御部１２３は、演出制御用ＣＰＵ１２０の制御のもとで、画像表示装置５に画像を表示させる制御を実行する。
【００９７】
一例として、演出制御基板１２では、演出制御用ＣＰＵ１２０がＲＯＭ１２１から読み出した演出制御用のプログラムを実行することにより、演出用の電気部品による演出動作を制御するための処理が実行される。このときには、演出制御用ＣＰＵ１２０がＲＯＭ１２１から固定データを読み出す固定データ読出動作や、演出制御用ＣＰＵ１２０がＲＡＭ１２２に各種のデータを書き込んで一時記憶させる可変表示データ書込動作、演出制御用ＣＰＵ１２０がＲＡＭ１２２に一時記憶されている各種のデータを読み出す可変表示データ読出動作、演出制御用ＣＰＵ１２０がＩ／Ｏ１２５を介して演出制御基板１２の外部から各種信号の入力を受け付ける受信動作、演出制御用ＣＰＵ１２０がＩ／Ｏ１２５を介して演出制御基板１２の外部へと各種信号を出力する送信動作なども行われる。
【００９８】
演出制御用ＣＰＵ１２０、ＲＯＭ１２１、ＲＡＭ１２２は、演出制御基板１２に搭載された１チップの演出制御用マイクロコンピュータに含まれてもよい。
【００９９】
演出制御基板１２には、画像表示装置５に対して映像信号を伝送するための配線や、音声制御基板１３に対して音番号データを示す情報信号としての効果音信号を伝送するための配線、ランプ制御基板１４に対してランプデータを示す情報信号としての電飾信号を伝送するための配線などが接続されている。さらに、演出制御基板１２には、スティックコントローラ３１Ａに対する遊技者の操作行為を検出したことを示す情報信号としての操作検出信号を、コントローラセンサユニット３５Ａから伝送するための配線や、プッシュボタン３１Ｂに対する遊技者の操作行為を検出したことを示す情報信号としての操作検出信号を、プッシュセンサ３５Ｂから伝送するための配線も接続されている。
【０１００】
演出制御基板１２では、例えば乱数回路１２４などにより、演出動作を制御するために用いられる各種の乱数値を示す数値データが更新可能にカウントされる。こうした演出動作を制御するために用いられる乱数は、演出用乱数ともいう。
【０１０１】
図２に示す演出制御基板１２に搭載されたＲＯＭ１２１には、演出制御用のプログラムの他にも、演出動作を制御するために用いられる各種のデータテーブルなどが格納されている。例えば、ＲＯＭ１２１には、演出制御用ＣＰＵ１２０が各種の判定や決定、設定を行うために用意された複数の判定テーブルや決定テーブルを構成するテーブルデータ、各種の演出制御パターンを構成するパターンデータなどが記憶されている。
【０１０２】
一例として、ＲＯＭ１２１には、演出制御用ＣＰＵ１２０が各種の演出装置（例えば画像表示装置５やスピーカ８Ｌ、８Ｒ、遊技効果ランプ９及び装飾用ＬＥＤ、演出用模型など）による演出動作を制御するために使用する演出制御パターンを複数種類格納した演出制御パターンテーブルが記憶されている。演出制御パターンは、パチンコ遊技機１における遊技の進行状況に応じて実行される各種の演出動作に対応して、その制御内容を示すデータなどから構成されている。演出制御パターンテーブルには、例えば各種演出制御パターンが格納されていればよい。
【０１０３】
各種演出制御パターンは、パチンコ遊技機１における遊技の進行状況に応じて実行される各種の演出動作（例えば、飾り図柄の可変表示動作、リーチ演出、カウント値示唆演出、抽選結果示唆演出などの各種演出における演出表示動作、大当り遊技状態時に実行される演出における演出表示動作など）に対応して、その演出動作の制御内容を示すデータなどから構成されている。演出制御パターンのうちには、例えばリーチ演出を実行する可変表示パターンごとに、それぞれのリーチ演出における演出態様を異ならせた複数種類のリーチ演出制御パターンが含まれてもよい。
【０１０４】
演出制御用ＣＰＵ１２０は、例えば飾り図柄の可変表示を開始するときなどに、可変表示パターン指定コマンドに示された可変表示パターンなどに基づいて演出制御パター）をセット（設定）する。また、演出制御用ＣＰＵ１２０は、例えば報知演出や、煽り演出、カウント値示唆演出、抽選結果示唆演出といった各種演出の実行を開始するときや可変表示開始時などに、対応する演出制御パターンをセット（設定）する。ここで、演出制御パターンをセット（設定）する際には、該当する演出制御パターンを構成するパターンデータを、ＲＯＭ１２１から読み出してＲＡＭ１２２の所定領域に一時記憶させてもよいし、該当する演出制御パターンを構成するパターンデータのＲＯＭ１２１における記憶アドレスを、ＲＡＭ１２２の所定領域に一時記憶させて、ＲＯＭ１２１における記憶データの読出位置を指定するだけでもよい。演出制御パターンは、後述の演出制御プロセスタイマ値と比較される演出制御プロセスタイマ判定値と、演出制御プロセスタイマ判定値それぞれに対応付けられた各種制御データ及び終了コードと、を含む。演出制御用ＣＰＵ１２０は、例えば、演出制御プロセスタイマ値が更新されるごとに、演出制御プロセスタイマ判定値のいずれかと合致したか否かの判定を行い、合致した場合には、対応する各種の制御データに応じた演出動作の制御を行う。例えば、演出制御用ＣＰＵ１２０は、演出動作の制御として、前記各種制御データに応じて、音声制御基板１３に対して音番号データを示す情報信号としての効果音信号を伝送し、ランプ制御基板１４に対してランプデータを示す情報信号としての電飾信号を伝送し、また、表示制御部１２３を制御して画像表示装置５に対して映像信号を伝送させる制御を行う。音声制御基板１３は、音番号データに応じた音声をスピーカ８Ｌ、８Ｒから出力させる。ランプ制御基板１４は、ランプデータに応じて遊技効果ランプ９を点灯／消灯駆動する。また、表示制御部１２３は、演出制御用ＣＰＵ１２０により制御もとで、映像信号を画像表示装置５に供給して、画像表示装置５に画像を表示させる。この実施の形態では、このようにして、演出制御用ＣＰＵ１２０の制御のもとで、演出制御パターンに従った演出動作制御が実行され、つまり、設定された演出制御パターンの設定内容に基づいて演出動作制御が実行され、飾り図柄の可変表示、リーチ演出などの各種演出が実行されることになる。
【０１０５】
演出制御基板１２に搭載されたＲＡＭ１２２には、演出動作を制御するために用いられる各種データを保持する領域が設けられている。
【０１０６】
次に、本実施例におけるパチンコ遊技機１の動作（作用）を説明する。
【０１０７】
主基板１１では、所定の電源基板からの電力供給が開始されると、遊技制御用マイクロコンピュータ１００が起動し、ＣＰＵ１０３によって遊技制御メイン処理となる所定の処理が実行される。遊技制御メイン処理を開始すると、ＣＰＵ１０３は、割込み禁止に設定した後、必要な初期設定を行う。この初期設定では、例えばＲＡＭ１０１がクリアされる。また、遊技制御用マイクロコンピュータ１００に内蔵されたＣＴＣ（カウンタ／タイマ回路）のレジスタ設定を行う。これにより、以後、所定時間（例えば、２ミリ秒）ごとにＣＴＣから割込み要求信号がＣＰＵ１０３へ送出され、ＣＰＵ１０３は定期的にタイマ割込み処理を実行することができる。初期設定が終了すると、割込みを許可した後、ループ処理に入る。なお、遊技制御メイン処理では、パチンコ遊技機１の内部状態を前回の電力供給停止時における状態に復帰させるための処理を実行してから、ループ処理に入るようにしてもよい。
【０１０８】
こうした遊技制御メイン処理を実行したＣＰＵ１０３は、ＣＴＣからの割込み要求信号を受信して割込み要求を受け付けると、所定の遊技制御用タイマ割込み処理を実行する。遊技制御用タイマ割込み処理を開始すると、ＣＰＵ１０３は、まず、所定のスイッチ処理を実行することにより、スイッチ回路１１０を介してゲートスイッチ２１、第１始動口スイッチ２２Ａ、第２始動口スイッチ２２Ｂ、カウントスイッチ２３といった各種スイッチから入力される検出信号の状態を判定する。続いて、所定のメイン側エラー処理を実行することにより、パチンコ遊技機１の異常診断を行い、その診断結果に応じて必要ならば警告を発生可能とする。この後、所定の情報出力処理を実行することにより、例えばパチンコ遊技機１の外部に設置されたホール管理用コンピュータに供給される大当り情報、始動情報、確率可変表示情報などのデータを出力する。
【０１０９】
情報出力処理に続いて、主基板１１の側で用いられる遊技用乱数の少なくとも一部をソフトウェアにより更新するための遊技用乱数更新処理を実行する。この後、ＣＰＵ１０３は、特別図柄プロセス処理を実行する。特別図柄プロセス処理では、ＲＡＭ１０２に設けられた特図プロセスフラグの値をパチンコ遊技機１における遊技の進行状況に応じて更新し、第１特別図柄表示装置４Ａや第２特別図柄表示装置４Ｂにおける表示動作の制御や、特別可変入賞球装置７における大入賞口の開閉動作設定などを、所定の手順で行うために、各種の処理が選択されて実行される。
【０１１０】
特別図柄プロセス処理に続いて、普通図柄プロセス処理が実行される。ＣＰＵ１０３は、普通図柄プロセス処理を実行することにより、普通図柄表示器２０における表示動作（例えばセグメントＬＥＤの点灯、消灯など）を制御して、普通図柄の可変表示や普通可変入賞球装置６Ｂにおける可動翼片の傾動動作設定などを可能にする。これによって、普通図柄の可変表示が行われたり、普通図柄の可変表示結果が「普図当り」となったことに対応した普通可変入賞球装置６Ｂにおける可動翼片の傾動制御が行われたりする。
【０１１１】
普通図柄プロセス処理を実行した後、ＣＰＵ１０３は、コマンド制御処理を実行することにより、主基板１１から演出制御基板１２などのサブ側の制御基板に対して制御コマンドを伝送させる。一例として、コマンド制御処理では、ＲＡＭ１０２に設けられた送信コマンドバッファの値（記憶アドレス）によって指定されたＲＯＭ１０１に記憶されたコマンド送信テーブルにおける設定に対応して、Ｉ／Ｏ１０５に含まれる出力ポートのうち、演出制御基板１２に対して演出制御コマンドを送信するための出力ポートに制御データをセットした後、演出制御ＩＮＴ信号の出力ポートに所定の制御データをセットして演出制御ＩＮＴ信号を所定時間にわたりオン状態としてからオフ状態とすることなどにより、コマンド送信テーブルでの設定に基づく演出制御コマンド（特別図柄プロセス処理などにて送信設定された演出制御コマンドなど）の伝送を可能にする。コマンド制御処理を実行した後には、割込み許可状態に設定してから、遊技制御用タイマ割込み処理を終了する。
【０１１２】
図３は、特別図柄プロセス処理の一例を示すフローチャートである。この特別図柄プロセス処理において、ＣＰＵ１０３は、まず、始動入賞判定処理を実行する（ステップＳ１０１）。図４は、始動入賞判定処理として、図３のステップＳ１０１にて実行される処理の一例を示すフローチャートである。
【０１１３】
図４に示す始動入賞判定処理において、ＣＰＵ１０３は、まず、普通入賞球装置６Ａが形成する第１始動入賞口に対応して設けられた第１始動口スイッチ２２Ａからの検出信号に基づき、第１始動口スイッチ２２Ａがオンであるか否かを判定する（ステップＳ２０１）。このとき、第１始動口スイッチ２２Ａがオンであれば（ステップＳ２０１；Ｙｅｓ）、第１特図を用いた特図ゲームの保留記憶数である第１特図保留記憶数が、所定の上限値（例えば上限記憶数としての「４」）となっているか否かを判定する（ステップＳ２０２）。ＣＰＵ１０３は、例えばＲＡＭ１０２に設けられた第１保留記憶数カウンタの格納値である第１保留記憶数カウント値を読み取ることにより、第１特図保留記憶数を特定できればよい。ステップＳ２０２にて第１特図保留記憶数が上限値ではないときには（ステップＳ２０２；Ｎｏ）、例えばＲＡＭ１０２に設けられた始動口バッファの格納値を、「１」に設定する（ステップＳ２０３）。
【０１１４】
ステップＳ２０１にて第１始動口スイッチ２２Ａがオフであるときや（ステップＳ２０１；Ｎｏ）、ステップＳ２０２にて第１特図保留記憶数が上限値に達しているときには（ステップＳ２０２；Ｙｅｓ）、普通可変入賞球装置６Ｂが形成する第２始動入賞口に対応して設けられた第２始動口スイッチ２２Ｂからの検出信号に基づき、第２始動口スイッチ２２Ｂがオンであるか否かを判定する（ステップＳ２０４）。このとき、第２始動口スイッチ２２Ｂがオンであれば（ステップＳ２０４；Ｙｅｓ）、第２特図を用いた特図ゲームの保留記憶数である第２特図保留記憶数が、所定の上限値（例えば上限記憶数としての「４」）となっているか否かを判定する（ステップＳ２０５）。ＣＰＵ１０３は、例えばＲＡＭ１０２に設けられた第２保留記憶数カウンタの格納値である第２保留記憶数カウント値を読み取ることにより、第２特図保留記憶数を特定できればよい。ステップＳ２０５にて第２特図保留記憶数が上限値ではないときには（ステップＳ２０５；Ｎｏ）、例えばＲＡＭ１０２に設けられた始動口バッファの格納値を、「２」に設定する（ステップＳ２０６）。ステップＳ２０４にて第２始動口スイッチ２２Ｂがオフであるときや（ステップＳ２０４；Ｎｏ）、ステップＳ２０５にて第２特図保留記憶数が上限値に達しているときには（ステップＳ２０５；Ｙｅｓ）、始動入賞判定処理を終了する。
【０１１５】
ステップＳ２０３、Ｓ２０６の処理のいずれかを実行した後には、始動口バッファの格納値である始動口バッファ値に応じた特図保留記憶数を１加算するように更新する（ステップＳ２０７）。例えば、始動口バッファ値が「１」であるときには第１保留記憶数カウント値を１加算する一方で、始動口バッファ値が「２」であるときには第２保留記憶数カウント値を１加算する。こうして、第１保留記憶数カウント値は、第１始動入賞口を遊技球が進入して第１特図を用いた特図ゲームに対応した第１始動条件が成立したときに、１増加するように更新される。また、第２保留記憶数カウント値は、第２始動入賞口を遊技球が進入して第２特図を用いた特図ゲームに対応した第２始動条件が成立したときに、１増加するように更新される。このときには、合計保留記憶数も１加算するように更新する（ステップＳ２０８）。例えば、ＲＡＭ１０２に設けられた合計保留記憶数カウンタの格納値である合計保留記憶数カウント値を、１加算するように更新すればよい。なお、ステップＳ２０７の処理などでは、第１保留表示器２５Ａや第２保留表示器２５Ｂを制御して、第１保留表示器２５Ａや第２保留表示器２５Ｂで特定可能となっている第１特図保留記憶数又は第２特図保留記憶数を更新してもよい（１増加するようにする。）。
【０１１６】
ステップＳ２０８の処理を実行した後に、ＣＰＵ１０３は、乱数回路１０４やＲＡＭ１０２のランダムカウンタによって更新されている数値データのうちから、特図表示結果決定用の乱数値を示す数値データと、可変表示パターン決定用の乱数値を示す数値データとを、抽出する（ステップＳ２０９）。特図表示結果決定用の乱数値は、特図ゲームにおける特別図柄などの可変表示結果を「大当り」として大当り遊技状態に制御するか否かを決定するために用いられる乱数値であり、例えば「１」〜「１５１００」の範囲の値をとる。可変表示パターン決定用の乱数値は、特図ゲームにおける可変表示パターンを決定するための乱数値であり、例えば「１」〜「１００」の範囲の値をとる。
【０１１７】
こうして抽出した乱数値を示す数値データは、始動口バッファ値に応じた特図保留記憶部における空きエントリの先頭に、保留情報としてセットされることで記憶される（ステップＳ２１０）。例えば、始動口バッファ値が「１」であるときには、ＲＡＭ１０２に設けられた所定の第１特図保留記憶部に特図表示結果決定用の乱数値を示す数値データがセットされる一方、始動口バッファ値が「２」であるときには、ＲＡＭ１０２に設けられた第２特図保留記憶部に特図表示結果決定用の乱数値を示す数値データがセットされる。
【０１１８】
第１特図保留記憶部は、普通入賞球装置６Ａが形成する第１始動入賞口を遊技球が進入して始動入賞（第１始動入賞）が発生したものの未だ開始されていない特図ゲーム（第１特別図柄表示装置４Ａにおける第１特図を用いた特図ゲーム）の保留データを記憶する。一例として、第１特図保留記憶部は、第１始動入賞口への入賞順（遊技球の検出順）に保留番号と関連付けて、その遊技球の進入における第１始動条件の成立に基づいてＣＰＵ１０３により乱数回路１０４等から抽出された特図表示結果決定用の乱数値を示す数値データなどを保留データとして、その記憶数が所定の上限値（例えば「４」）に達するまで記憶する。こうして第１特図保留記憶部に記憶された保留データは、第１特図を用いた特図ゲームの実行が保留されていることを示し、この特図ゲームにおける可変表示結果（特図表示結果）に基づき所定の遊技価値が付与されるか否かなどを判定可能にする保留情報となる。
【０１１９】
第２特図保留記憶部は、普通可変入賞球装置６Ｂが形成する第２始動入賞口を遊技球が進入して始動入賞（第２始動入賞）が発生したものの未だ開始されていない特図ゲーム（第２特別図柄表示装置４Ｂにおける第２特図を用いた特図ゲーム）の保留データを記憶する。一例として、第２特図保留記憶部は、第２始動入賞口への入賞順（遊技球の検出順）に保留番号と関連付けて、その遊技球の進入における第２始動条件の成立に基づいてＣＰＵ１０３により乱数回路１０４等から抽出された特図表示結果決定用の乱数値を示す数値データなどを保留データとして、その数が所定の上限値（例えば「４」）に達するまで記憶する。こうして第２特図保留記憶部に記憶された保留データは、第２特図を用いた特図ゲームの実行が保留されていることを示し、この特図ゲームにおける可変表示結果（特図表示結果）に基づき所定の遊技価値が付与されるか否かなどを判定可能にする保留情報となる。
【０１２０】
なお、第１始動入賞口を遊技球が進入したことによる第１始動条件の成立に基づく保留情報（第１保留情報）と、第２始動入賞口を遊技球が進入したことによる第２始動入賞の成立に基づく保留情報（第２保留情報）とを、共通の保留記憶部にて保留番号と対応付けて記憶するようにしてもよい。この場合には、第１始動入賞口と第２始動入賞口のいずれを遊技球が進入したかを示す始動口データを保留情報に含め、保留番号と対応付けて記憶させればよい。
【０１２１】
図４に示すステップＳ２１０の処理に続いて、始動口バッファ値に応じた始動口入賞指定コマンドの送信設定が行われる（ステップＳ２１１）。
【０１２２】
例えば、始動口バッファ値が「１」であるときにはＲＯＭ１０１における第１始動口入賞指定コマンドテーブルの記憶アドレスを送信コマンドバッファにおいて送信コマンドポインタにより指定されたバッファ領域に格納することなどにより、演出制御基板１２に対して、第１特別図柄表示装置４Ａにおける第１特図を用いた特図ゲームを実行するための第１始動条件が成立したことを通知する第１始動口入賞指定コマンドを送信するための設定を行う。これに対して、始動口バッファ値が「２」であるときにはＲＯＭ１０１における第２始動口入賞指定コマンドテーブルの記憶アドレスを送信コマンドバッファのバッファ領域に格納することなどにより、演出制御基板１２に対して、第２特別図柄表示装置４Ｂにおける第２特図を用いた特図ゲームを実行するための第２始動条件が成立したことを通知する第２始動口入賞指定コマンドを送信するための設定を行う。こうして設定された始動口入賞指定コマンドは、例えば特別図柄プロセス処理が終了した後、所定のコマンド制御処理が実行されることなどにより、主基板１１から演出制御基板１２に対して伝送される（以下、各コマンドについて同じ。）。
【０１２３】
その後、例えばＲＯＭ１０１における保留記憶数通知コマンドテーブルの記憶アドレスを送信コマンドバッファにおいて送信コマンドポインタによって指定されたバッファ領域に格納することなどにより、演出制御基板１２に対して、第１特図保留記憶数（第１保留記憶数カウント値によって特定すればよい。）を通知する第１保留記憶数通知コマンド、第２特図保留記憶数（第２保留記憶数カウント値によって特定すればよい。）を通知する第２保留記憶数通知コマンドのいずれかを送信するための設定を行う（ステップＳ２１２）。なお、第１保留記憶数通知コマンドや第２保留記憶数通知コマンドに代えて、合計保留記憶数を通知する合計保留記憶数通知コマンドを送信するようにしてもよい。すなわち、合計保留記憶数の増加（または減少）を通知するための合計保留記憶数通知コマンドが用いられてもよい。
【０１２４】
ステップＳ２１２の処理を実行した後には、始動口バッファ値が「１」であるか「２」であるかを判定する（ステップＳ２１３）。このとき、始動口バッファ値が「１」であれば（ステップＳ２１３；「１」）、始動口バッファをクリアして、その格納値を「０」に初期化してから（ステップＳ２１４）、ステップＳ２０４の処理に進む。これに対して、始動口バッファ値が「２」であるときには（ステップＳ２１３；「２」）、始動口バッファをクリアして、その格納値を「０」に初期化してから（ステップＳ２１５）、始動入賞判定処理を終了する。これにより、第１始動口スイッチ２２Ａと第２始動口スイッチ２２Ｂの双方が同時に有効な遊技球の始動入賞を検出した場合でも、確実に双方の有効な始動入賞の検出に基づく処理を完了できる。
【０１２５】
図３のステップＳ１０１にて始動入賞判定処理を実行した後、ＣＰＵ１０３は、ＲＡＭ１０２に設けられた特図プロセスフラグの値に応じて、ステップＳ１１０〜Ｓ１２０の処理のいずれかを選択して実行する。
【０１２６】
ステップＳ１１０の特別図柄通常処理は、特図プロセスフラグの値が“０”のときに実行される。この特別図柄通常処理では、第１特図保留記憶部や第２特図保留記憶部に記憶されている保留データの有無などに基づいて、第１特別図柄表示装置４Ａや第２特別図柄表示装置４Ｂによる特図ゲームを開始するか否かの判定が行われる。また、特別図柄通常処理では、特図表示結果決定用の乱数値を示す数値データに基づき、特別図柄や飾り図柄の可変表示結果を「大当り」とするか否かを、その可変表示結果が導出表示される以前に決定（事前決定）する。さらに、特別図柄通常処理では、特図ゲームにおける特別図柄の可変表示結果に対応して、第１特別図柄表示装置４Ａや第２特別図柄表示装置４Ｂによる特図ゲームにおける確定特別図柄（大当り図柄やハズレ図柄のいずれか）が設定される。特別図柄通常処理では、特別図柄や飾り図柄の可変表示結果を事前決定したときに、特図プロセスフラグの値が“１”に更新される。
【０１２７】
ステップＳ１１１の可変表示パターン設定処理は、特図プロセスフラグの値が“１”のときに実行される。この可変表示パターン設定処理には、可変表示結果を「大当り」とするか否かの事前決定結果などに基づき、可変表示パターン決定用の乱数値を示す数値データを用いて可変表示パターンを複数種類のいずれかに決定する処理や、決定した可変表示パターンに応じた可変表示の期間である特図可変表示時間を設定する処理などが含まれている。可変表示パターン決定用の乱数値は、特別図柄や飾り図柄の可変表示における可変表示パターンを、予め用意された複数種類のいずれかに決定するために用いられる乱数値である。可変表示パターン設定処理が実行されて特別図柄の可変表示が開始されたときには、特図プロセスフラグの値が“２”に更新される。
【０１２８】
ステップＳ１１０の特別図柄通常処理やステップＳ１１１の可変表示パターン設定処理により、特別図柄の可変表示結果となる確定特別図柄や特別図柄および飾り図柄の可変表示時間を含む可変表示パターンが決定される。すなわち、特別図柄通常処理や可変表示パターン設定処理は、特図表示結果決定用の乱数値、可変表示パターン決定用の乱数値を用いて、特別図柄や飾り図柄の可変表示態様を決定する処理を含んでいる。
【０１２９】
ステップＳ１１２の特別図柄可変表示処理は、特図プロセスフラグの値が“２”のときに実行される。この特別図柄可変表示処理には、第１特別図柄表示装置４Ａや第２特別図柄表示装置４Ｂにおいて特別図柄を可変表示させる処理や、その特別図柄が可変表示を開始してからの経過時間を計測する処理などが含まれている。例えば、ステップＳ１１２の特別図柄可変表示処理が実行されるごとに、ＲＡＭ１０２に設けられた特図可変表示タイマにおける格納値である特図可変表示タイマ値を１減算あるいは１加算して、第１特別図柄表示装置４Ａにおける第１特図を用いた特図ゲームであるか、第２特別図柄表示装置４Ｂにおける第２特図を用いた特図ゲームであるかにかかわらず、共通のタイマによって経過時間の測定が行われる。また、計測された経過時間が可変表示パターンに対応する特図可変表示時間に達したか否かの判定も行われる。このように、ステップＳ１１２の特別図柄可変表示処理は、第１特別図柄表示装置４Ａにおける第１特図を用いた特図ゲームでの特別図柄の可変表示や、第２特別図柄表示装置４Ｂにおける第２特図を用いた特図ゲームでの特別図柄の可変表示を、共通の処理ルーチンによって制御する処理となっていればよい。
【０１３０】
特別図柄の可変表示を開始してからの経過時間が特図可変表示時間に達していないときには、第１特別図柄表示装置４Ａや第２特別図柄表示装置４Ｂにおいて特別図柄を可変表示させる表示制御（例えばセグメントＬＥＤなどの点灯／消灯制御）を例えば前記で決定した可変表示パターンに従って行い、特別図柄の可変表示を開始してからの経過時間が特図可変表示時間に達しているときには、第１特別図柄表示装置４Ａや第２特別図柄表示装置４Ｂにて特別図柄の可変表示を停止させ、特別図柄の可変表示結果となる確定特別図柄を停止表示（導出）させ、特図プロセスフラグの値が“３”に更新される。特別図柄を可変表示させる表示制御や確定特別図柄を停止表示（導出）させる処理は、例えば、可変表示特図指定バッファ値が「１」であれば、第１特別図柄表示装置４Ａにおける第１特図の表示を更新させる駆動信号を送信し、可変表示特図指定バッファ値が「２」であれば、第２特別図柄表示装置４Ｂにおける第２特図の表示を更新させる駆動信号を送信するなどして行われる。特別図柄可変表示処理によって、特別図柄の可変表示を開始してからの経過時間が特図可変表示時間に達するまで、ステップＳ１１２の特別図柄可変表示処理が実行されるごとに第１特図又は第２特図の可変表示が実行され、経過時間が特図可変表示時間に達したときには確定特別図柄が導出表示される。
【０１３１】
ステップＳ１１３の特別図柄停止処理は、特図プロセスフラグの値が“３”のときに実行される。この特別図柄停止処理では、ＲＡＭ１０２に設けられた大当りフラグ（特別図柄通常処理にて特別図柄や飾り図柄の可変表示結果を「大当り」とすると事前決定されたときにオンとなるフラグ）がオンとなっているか否かの判定などが行われ、大当りフラグがオンである場合には特図プロセスフラグの値が“４”に更新される。その一方で、大当りフラグがオフである場合には、特図プロセスフラグの値が“０”に更新される。
【０１３２】
ステップＳ１１４の大当り開放前処理は、特図プロセスフラグの値が“４”のときに実行される。この大当り開放前処理には、「大当り」の可変表示結果が導出表示されてからの経過時間を計測する処理や、この経過時間が大当り開始時演出待ち時間（所謂ファンファーレが実行される時間）になって大入賞口を開放するタイミングになったか否かを判定する処理や、大入賞口を開放するタイミングになった場合に大当り遊技状態においてラウンドの実行を開始して大入賞口を開放状態とする処理などが含まれている。また、大入賞口を開放状態とするときには、大入賞口を開放状態とする期間の上限を設定する。一例として、大入賞口を開放状態とする期間の上限を「２９秒」に設定するとともに、ラウンドを実行する上限回数となる大入賞口の開放回数を「１５回」に設定することにより、大当り遊技状態とする設定が行われればよい。さらに大入賞口を開放状態とするときには、特図プロセスフラグの値が“５”に更新される。大入賞口を開放状態とする処理は、大入賞口扉用のソレノイド８２に対するソレノイド駆動信号の供給を開始することによって行われる。ステップＳ１１４の大当り開放前処理は、大入賞口を開放するタイミングまで繰り返し行われることになり（１回の特別図柄プロセス処理において１回の大当り開放前処理が行われることが繰り返される。）、これによって、大入賞口を開放するタイミング（ファンファーレが終了するタイミング）までの待機が行われ、また、大入賞口を開放するタイミングになったときに大入賞口の開放が行われる。
【０１３３】
ステップＳ１１５の大当り開放中処理は、特図プロセスフラグの値が“５”のときに実行される。この大当り開放中処理には、大入賞口を開放状態としてからの経過時間を計測する処理や、その計測した経過時間やカウントスイッチ２３によって検出された遊技球の個数などに基づいて、大入賞口を開放状態から閉鎖状態に戻すタイミングとなったか否かを判定する処理などが含まれている。そして、大入賞口を閉鎖状態に戻すまでは、ソレノイド駆動信号の供給を継続する一方で、大入賞口を閉鎖状態に戻すときには、大入賞口扉用のソレノイド８２に対するソレノイド駆動信号の供給を停止させる処理などを実行した後、特図プロセスフラグの値が“６”に更新される。ステップＳ１１５の大当り開放中処理は、大入賞口を閉鎖するタイミングまで繰り返し行われることになり（１回の特別図柄プロセス処理において１回の大当り開放中処理が行われることが繰り返される。）、これによって、大入賞口を閉鎖するタイミングまでの待機が行われ、また、大入賞口を閉鎖するタイミングになったときに大入賞口の閉鎖が行われる。
【０１３４】
ステップＳ１１６の大当り開放後処理は、特図プロセスフラグの値が“６”のときに実行される。この大当り開放後処理には、大入賞口を開放状態とするラウンドの実行回数が上記で設定した上限回数に達したか否かを判定する処理や、上限回数に達した場合にＲＯＭ１０１における大当り終了指定コマンドテーブルの記憶アドレスを送信コマンドバッファにおいて送信コマンドポインタにより指定されたバッファ領域に格納することなどにより、大当り終了指定コマンドを送信するための設定を行う処理などが含まれている。また、ラウンドの実行回数が大入賞口開放回数最大値に達していないときには、大入賞口を閉鎖状態としてからの経過時間を計測する処理や、この経過時間が所定の時間になって大入賞口を再度開放するタイミングになったか否かを判定する処理や、大入賞口を開放するタイミングになった場合に大入賞口を開放状態とする処理などが含まれている。大入賞口を開放状態とする場合には、特図プロセスフラグの値が“５”に更新される一方、大入賞口開放回数最大値に達したときには、特図プロセスフラグの値が“７”に更新される。ステップＳ１１６の大当り開放後処理は、大入賞口の開放回数が上限回数になっていない場合には、大入賞口を再開放するタイミングまで繰り返し行われることになり（１回の特別図柄プロセス処理において１回の大当り開放後処理が行われることが繰り返される。）、これによって、大入賞口を再開放するタイミングまでの待機が行われ、また、大入賞口を再開放するタイミングになったときに大入賞口の再開放が行われる。
【０１３５】
ステップＳ１１７の大当り終了処理は、特図プロセスフラグの値が“７”のときに実行される。この大当り終了処理は、画像表示装置５やスピーカ８Ｌ、８Ｒ、遊技効果ランプ９などといった演出装置により、大当り遊技状態の終了を報知する演出動作としてのエンディング演出が実行される期間（エンディング期間）に対応した待ち時間が経過するまで繰り返し行われ（１回の特別図柄プロセス処理において１回の大当り終了処理が行われることが繰り返される。）、待ち時間が経過した場合には、大当り遊技状態の終了に対応して確変制御や時短制御を開始するための各種の設定を行う処理などが含まれている。こうした設定が行われたときには、特図プロセスフラグの値が“０”に更新される。
【０１３６】
図５及び図６は、特別図柄通常処理として、図３のステップＳ１１０にて実行される処理の一例を示すフローチャートである。この特別図柄通常処理において、ＣＰＵ１０３は、まず、第２特図保留記憶数が「０」であるか否かを判定する（図５のステップＳ２３１）。第２特図保留記憶数は、第２特別図柄表示装置４Ｂによる第２特図を用いた特図ゲームの保留記憶数である。例えば、ステップＳ２３１の処理では、ＲＡＭ１０２に記憶されている第２保留記憶数カウント値を読み出し、その読出値が「０」であるか否かを判定すればよい。
【０１３７】
ステップＳ２３１にて第２特図保留記憶数が「０」以外であるときには（ステップＳ２３１；Ｎｏ）、第２特図保留記憶部にて保留番号「１」に対応して記憶されている保留データとして、特図表示結果決定用の乱数値を示す数値データ及び可変表示パターン決定用の乱数値を示す数値データを読み出す（ステップＳ２３２）。このとき読み出された数値データは、例えばＲＡＭ１０２に設けられた可変表示用乱数バッファなどに格納されて、一時記憶されればよい。
【０１３８】
ステップＳ２３２の処理に続いて、例えば第２保留記憶数カウント値を１減算して更新することなどにより、第２特図保留記憶数を１減算させるように更新するとともに、第２特図保留記憶部にて保留番号「１」より下位のエントリ（例えば保留番号「２」〜「４」に対応するエントリ）に記憶された乱数値を示す保留データを、１エントリずつ上位にシフトする（ステップＳ２３３）。また、ステップＳ２３３の処理では、ＲＡＭ１０２にて合計保留記憶数カウンタが記憶する合計保留記憶数カウント値を１減算するように更新してもよい。また、ステップＳ２３３の処理では、第２保留表示器２５Ｂを制御して、第２保留表示器２５Ｂで特定可能となっている第２特図保留記憶数を更新してもよい（１減算するようにする。）。そして、ＲＡＭ１０２に設けられた可変表示特図指定バッファの格納値である可変表示特図指定バッファ値を「２」に更新する（ステップＳ２３４）。
【０１３９】
ステップＳ２３１にて第２特図保留記憶数が「０」であるときには（ステップＳ２３１；Ｙｅｓ）、第１特図保留記憶数が「０」であるか否かを判定する（ステップＳ２３５）。第１特図保留記憶数は、第１特別図柄表示装置４Ａによる第１特図を用いた特図ゲームの保留記憶数である。例えば、ステップＳ２３５の処理では、ＲＡＭ１０２にて第１保留記憶数カウンタが記憶する第１保留記憶数カウント値を読み出し、その読出値が「０」であるか否かを判定すればよい。このように、ステップＳ２３５の処理は、ステップＳ２３１にて第２特図保留記憶数が「０」であると判定されたときに実行されて、第１特図保留記憶数が「０」であるか否かを判定する。これにより、第２特図を用いた特図ゲームは、第１特図を用いた特図ゲームよりも優先して実行が開始されることになる。
【０１４０】
なお、第２特図を用いた特図ゲームが第１特図を用いた特図ゲームよりも優先して実行されるものに限定されず、例えば第１始動入賞口や第２始動入賞口を遊技球が進入して始動入賞が発生した順に、特図ゲームの実行が開始されるようにしてもよい。この場合には、始動入賞が発生した順番を特定可能なデータを記憶するテーブルをＲＯＭ１０１に設けて、その記憶データから第１特図と第２特図のいずれを用いた特図ゲームの実行を開始するかが決定できればよい。
【０１４１】
ステップＳ２３５にて第１特図保留記憶数が「０」以外であるときには（ステップＳ２３５；Ｎｏ）、第１特図保留記憶部１５１Ａにて保留番号「１」に対応して記憶されている保留データとして、特図表示結果決定用の乱数値を示す数値データを読み出す（ステップＳ２３６）。このとき読み出された数値データは、例えば可変表示用乱数バッファなどに格納されて、一時記憶されればよい。
【０１４２】
ステップＳ２３６の処理に続いて、例えば第１保留記憶数カウント値を１減算して更新することなどにより、第１特図保留記憶数を１減算させるように更新するとともに、第１特図保留記憶部１５１Ａにて保留番号「１」より下位のエントリ（例えば保留番号「２」〜「４」に対応するエントリ）に記憶された乱数値を示す保留データを、１エントリずつ上位にシフトする（ステップＳ２３７）。また、ステップＳ２３７の処理では、ＲＡＭ１０２にて合計保留記憶数カウンタが記憶する合計保留記憶数カウント値を１減算するように更新してもよい。また、ステップＳ２３７の処理では、第１保留表示器２５Ａを制御して、第１保留表示器２５Ａで特定可能となっている第１特図保留記憶数を更新してもよい（１減算するようにする。）。そして、可変表示特図指定バッファ値を「１」に更新する（ステップＳ２３８）。
【０１４３】
ステップＳ２３３やステップＳ２３７の処理などでは、ステップＳ２３４、Ｓ２３８の処理のいずれかを実行した後には、ＲＡＭ１０２に設けられた高確中フラグがオンであるか否かを判定する（ステップＳ２３９）。高確中フラグは、高確低ベース状態や高確高ベース状態といった高確状態に制御されていることを示すもので、確変リミッタが作動していないときには、大当り遊技状態の終了後、オン状態にセットされ、大当り遊技状態を開始するときや確変転落抽選に当選したときに、クリアされてオフ状態となる。高確中フラグがオンであれば（ステップＳ２３９；Ｙｅｓ）、ランダムカウンタから所定の確変転落抽選用の乱数値を示す数値データを抽出し、抽出した乱数値に基づき、ＲＯＭ１０１に記憶された確変転落抽選テーブルを参照することにより、確変転落抽選を行う（ステップＳ２４０）。
【０１４４】
確変転落抽選テーブルは、高確低ベース状態や高確高ベース状態といった高確状態を終了するか否かを、所定の確変転落抽選用の乱数値に基づき、抽選するために参照されるテーブルである。確変転落抽選テーブルでは、例えば、高確状態を終了する場合の転落当選と高確状態を終了しない転落落選とのそれぞれに確変転落抽選用の乱数値と比較される決定値が割り当てられている。ＣＰＵ１０３は、例えば、確変転落抽選用の乱数値と、「転落当選」「転落落選」の各抽選結果に割り当てられた決定値とを比較して、抽選結果を「転落当選」「転落落選」のいずれとするかを決定する。確変転落抽選テーブルでは、図７に示すように、確変転落抽選において１／８０の割合で転落当選との抽選結果が得られ、７９／８０の割合で転落落選との抽選結果が得られる。
【０１４５】
ステップＳ２４０にて転落抽選に当選している場合には（ステップＳ２４１；Ｙｅｓ）、高確中フラグをクリアしてオフ状態とすることにより、高確状態を終了する（ステップＳ２４２）。
【０１４６】
ステップＳ２３９にて高確中フラグがオフであると判定された場合や（ステップＳ２３９；Ｎｏ）、ステップＳ２４２の処理を実行した後には、特別図柄の可変表示結果である特図表示結果を「大当り」と「ハズレ」のいずれとするかを決定するための使用テーブルとして、ＲＯＭ１０１に記憶された低確時特図表示結果決定テーブルを使用テーブルにセットする（ステップＳ２４３）。
【０１４７】
これに対して、ステップＳ２４０にて転落抽選に落選している場合には（ステップＳ２４１；Ｎｏ）、、ＲＯＭ１０１に記憶された高確時特図表示結果決定テーブルを使用テーブルにセットする（ステップＳ２４４）。
【０１４８】
低確時特図表示結果決定テーブルは、低確低ベース状態や低確高ベース状態といった低確状態に制御されているときに、第１特別図柄表示装置４Ａによる第１特図を用いた特図ゲーム（第１特図ゲーム）や、第２特別図柄表示装置４Ｂによる第２特図を用いた特図ゲーム（第２特図ゲーム）において、可変表示結果となる確定特別図柄が導出表示される以前に、その可変表示結果を「大当り」として大当り遊技状態に制御するか否かを、特図表示結果決定用の乱数値に基づいて決定するために参照されるテーブルである。高確時特図表示結果決定テーブルは、高確低ベース状態や高確高ベース状態といった高確状態に制御されているときに、第１特別図柄表示装置４Ａによる第１特図を用いた特図ゲームや、第２特別図柄表示装置４Ｂによる第２特図を用いた特図ゲームにおいて、可変表示結果となる確定特別図柄が導出表示される以前に、その可変表示結果を「大当り」として大当り遊技状態に制御するか否かを、特図表示結果決定用の乱数値に基づいて決定するために参照されるテーブルである。低確時特図表示結果決定テーブル、高確時特図表示結果決定テーブルでは、それぞれ、例えば、「大当り」「ハズレ」の各特図表示結果それぞれに特図表示結果決定用の乱数値と比較される決定値が割り当てられている。
【０１４９】
低確時特図表示結果決定テーブルでは、図８（Ａ）に示すように、１／１５．１の割合で特図表示結果を「大当り」として大当り遊技状態に制御すると決定されるのに対し高確時特図表示結果決定テーブルでは、図８（Ｂ）に示すように、１／１５の割合で特図表示結果を「大当り」として大当り遊技状態に制御すると決定される。これにより、パチンコ遊技機１において確変制御が行われる高確状態では、低確状態であるときに比べて、特図表示結果を「大当り」として大当り遊技状態に制御すると決定される確率が高くなる。すなわち、パチンコ遊技機１における遊技状態が高確低ベース状態や高確高ベース状態といった高確状態であるときに、低確低ベース状態や低確高ベース状態といった低確状態であるときに比べて大当り遊技状態に制御すると決定される確率が高くなるようになっている。なお、高確状態における決定確率（１／１５．１）と低確状態における決定確率（１／１５）とは、低確状態への移行制御後、長期間、大当り遊技状態に制御されない事態を防止するため、なるだけ近似している方が好ましい。このようにすると、高確状態に制御されているときに決定確率が高くなってることを体感的に感じることができなくなるが、そもそも高確状態における決定確率と低確状態における決定確率との差は、確変リミッタの作動に遊技性を持たせることに主眼があるため、左程問題にはならない。
【０１５０】
図５に示すステップＳ２４３又はＳ２４４の処理に続いて、例えば、可変表示用乱数バッファに格納された特図表示結果決定用の乱数値を、Ｓ２４３又はＳ２４４で使用テーブルとしてセットされた低確時特図表示結果決定テーブル又は高確時特図表示結果決定テーブルにおける「大当り」「ハズレ」の各特図表示結果に割り当てられた決定値と比較して、特図表示結果を「大当り」とのいずれとするかを決定する（ステップＳ２４５）。
【０１５１】
ステップＳ２４５にて特図表示結果を決定した後には、その特図表示結果が「大当り」であるか否かを判定する（図６のステップＳ２４６）。そして、「大当り」であると判定された場合には（ステップＳ２４６；Ｙｅｓ）、ＲＡＭ１０２に設けられた大当りフラグをオン状態にセットする（ステップＳ２４７）。その後、高確中フラグがオンである否かを判定する（ステップＳ２４８）。このとき、高確中フラグがオンであれば（ステップＳ２４８；Ｙｅｓ）、ＲＡＭ１０２に設けられた高ベース中フラグ（高ベースのときにオン状態となるフラグ）がオンであるか否かを判定する（ステップＳ２４９）。
【０１５２】
ステップＳ２４９にて高ベース中フラグがオンである場合には（ステップＳ２４９；Ｙｅｓ）、高確高ベースカウンタにおける格納値（高確高ベースカウント値）を１加算することにより更新する（ステップＳ２５０）。これに対して、ステップＳ２４９にて高ベース中フラグがオフである場合には（ステップＳ２４９；Ｎｏ）、高確低ベースカウンタにおける格納値（高確低ベースカウント値）を１加算することにより更新するとともに（ステップＳ２５１）、更新後の高確低ベースカウント値が上限値“７”に達したか否かを判定する（ステップＳ２５２）。
【０１５３】
ステップＳ２５２にて高確低ベースカウント値が上限値“７”に達したと判定された場合には（ステップＳ２５２；Ｙｅｓ）、確変リミッタが作動されたとして、特定期間を決定する（ステップＳ２５３）。ステップＳ２５３の処理では、ランダムカウンタから所定の特定期間決定用の乱数値を示す数値データを抽出し、抽出した乱数値に基づき、ＲＯＭ１０１に記憶された所定の特定期間決定テーブルを参照することにより、特定期間としての特図ゲームの実行回数を「２回」〜「８回」のうちのいずれかに決定すればよい。特定期間決定テーブルでは、例えば、特定期間としての特図ゲームの実行回数「２回」〜「８回」それぞれに特定期間決定用の乱数値と比較される決定値が割り当てられている。ＣＰＵ１０３は、例えば、特定期間決定用の乱数値と、「２回」〜「８回」それぞれに割り当てられた決定値とを比較して、特定期間としての特図ゲームの実行回数を「２回」〜「８回」のうちのいずれかに決定する。そして、ステップＳ２５３の処理にて特定期間として決定された特図ゲームの実行回数を、ＲＡＭ１０２などに設けられた特定期間カウンタにカウント初期値としてセットする（ステップＳ２５４）。
【０１５４】
ステップＳ２４６にて「大当り」ではないと判定された場合や（ステップＳ２４６；Ｎｏ）、ステップＳ２４８にて高確中フラグがオフである判定された場合（ステップＳ２４８；Ｎｏ）、ステップＳ２５２の処理にて高確低ベースカウント値が上限値“７”に達していないと判定された場合（ステップＳ２５２；Ｎｏ）、ステップＳＳ２５０、Ｓ２５４のいずれかの処理を実行した後には、大当り遊技状態に制御するか否かの事前決定結果に対応して、確定特別図柄を設定する（ステップＳ２５５）。一例として、ステップＳ２４６にて特図表示結果が「大当り」ではないと判定された場合には、特図表示結果を「ハズレ」とする旨の事前決定結果に対応して、ハズレ図柄となる「−」の記号を示す特別図柄を、確定特別図柄に設定する。その一方で、ステップＳ２４６にて特図表示結果が「大当り」であると判定された場合には、大当り図柄となる「７」の数字を示す特別図柄を、確定特別図柄に設定する。
【０１５５】
ステップＳ２５５にて確定特別図柄を設定した後には、特図プロセスフラグの値を可変表示パターン設定処理に対応した値である“１”に更新してから（ステップＳ２５６）、特別図柄通常処理を終了する。ステップＳ２３５にて第１特図を用いた特図ゲームの保留記憶数が「０」である場合には（ステップＳ２３５；Ｙｅｓ）、所定のデモ表示設定を行ってから（ステップＳ２５７）、特別図柄通常処理を終了する。このデモ表示設定では、例えば画像表示装置５において所定の演出画像を表示することなどによるデモンストレーション表示（デモ画面表示）を指定する演出制御コマンド（客待ちデモ指定コマンド）が、主基板１１から演出制御基板１２に対して送信済みであるか否かを判定する。このとき、送信済みであれば、そのままデモ表示設定を終了する。これに対して、未送信であれば、客待ちデモ指定コマンドを送信するための設定を行ってから、デモ表示設定を終了する。
【０１５６】
図９は、可変表示パターン設定処理として、図３のステップＳ１１１にて実行される処理の一例を示すフローチャートである。図９に示す可変表示パターン設定処理において、ＣＰＵ１０３は、まず、高確低ベースカウント値や高確高ベースカウント値を特定する（ステップＳ２６１）。また、例えばＲＡＭ１０２に設けられた高ベース中フラグがオンであるか否かや、ＲＡＭ１０２に設けられた中ベース中フラグ（中ベース状態のときにオン状態になるフラグ）がオンであるか否か、高確中フラグがオンであるか否かを判定することにより、遊技状態が低確低ベース状態、低確中ベース状態、低確高ベース状態、高確高ベース状態、高確高ベース状態のいずれであるかを特定する（ステップＳ２６２）。その後、大当りフラグがオンであるか否かを判定する（ステップＳ２６３）。そして、大当りフラグがオンであれば（ステップＳ２６３；Ｙｅｓ）、可変表示パターンを複数種別のいずれかに決定するための使用テーブルとして、ＲＯＭ１０１に記憶された大当り可変表示パターン決定テーブルを選択してセットする（ステップＳ２６４）。
【０１５７】
ステップＳ２６１にて大当りフラグがオフであるときには（ステップＳ２６３；Ｎｏ）、今回の可変表示の使用パターンとして実際に使用する可変表示パターンを複数種類のいずれかに決定するための使用テーブルとして、ＲＯＭ１０１に記憶されたハズレ可変表示パターン決定テーブルを選択してセットする（ステップＳ２６５）。
【０１５８】
ここで、この実施の形態で用意されている可変表示パターンを図１０に示す。
【０１５９】
可変表示パターンＰＡ１−１〜ＰＡ１−３は、非リーチ可変表示パターンであり、可変表示パターンＰＡ１−２〜ＰＡ１−３は、可変表示パターンＰＡ１−１よりも可変表示時間（特図変動時間）が短縮されたパターンとなっている。可変表示パターンＰＡ１−１、ＰＡ１−２は、低ベース又は中ベース時に選択されるものであり、可変表示パターンＰＡ１−３は、高ベース時に選択されるものである。可変表示パターンＰＡ１−３の方が、可変表示パターンＰＡ１−１、ＰＡ１−２よりも、可変表示時間（特図変動時間）が短くなっている。
【０１６０】
可変表示パターンＰＡ２−１〜ＰＡ２−８は、リーチハズレ可変表示パターンである。
【０１６１】
可変表示パターンＰＡ２−１、ＰＡ２−３では、ノーマルリーチのリーチ演出が実行される。可変表示パターンＰＡ２−１は、低ベース又は中ベース時に選択されるものであり、可変表示パターンＰＡ２−３は、高ベース時に選択されるものである。可変表示パターンＰＡ２−３の方が、可変表示パターンＰＡ２−１よりも、可変表示時間（特図変動時間）が短くなっている。
【０１６２】
可変表示パターンＰＡ２−２、ＰＡ２−４では、スーパーリーチのリーチ演出が実行される。可変表示パターンＰＡ２−２は、低ベース又は中ベース時に選択されるものであり、可変表示パターンＰＡ２−４は、高ベース時に選択されるものである。可変表示パターンＰＡ２−４の方が、可変表示パターンＰＡ２−２よりも、可変表示時間（特図変動時間）が短くなっている。
【０１６３】
可変表示パターンＰＡ２−５、ＰＡ２−６では、カウント値示唆演出が実行される。可変表示パターンＰＡ２−５は、低ベース又は中ベース時に選択されるものであり、可変表示パターンＰＡ２−６は、高ベース時に選択されるものである。可変表示パターンＰＡ２−６の方が、可変表示パターンＰＡ２−５よりも、可変表示時間（特図変動時間）が短くなっている。
【０１６４】
可変表示パターンＰＡ２−７、ＰＡ２−８では、抽選結果示唆演出が実行される。可変表示パターンＰＡ２−７は、低ベース又は中ベース時に選択されるものであり、可変表示パターンＰＡ２−８は、高ベース時に選択されるものである。可変表示パターンＰＡ２−８の方が、可変表示パターンＰＡ２−７よりも、可変表示時間（特図変動時間）が短くなっている。
【０１６５】
可変表示パターンＰＡ３−１〜ＰＡ３−８は、大当り可変表示パターンである。
【０１６６】
可変表示パターンＰＡ３−１、ＰＡ３−３では、ノーマルリーチのリーチ演出が実行される。可変表示パターンＰＡ３−１は、低ベース又は中ベース時に選択されるものであり、可変表示パターンＰＡ３−３は、高ベース時に選択されるものである。可変表示パターンＰＡ３−３の方が、可変表示パターンＰＡ３−１よりも、可変表示時間（特図変動時間）が短くなっている。
【０１６７】
可変表示パターンＰＡ３−２、ＰＡ３−４では、スーパーリーチのリーチ演出が実行される。可変表示パターンＰＡ３−２は、低ベース又は中ベース時に選択されるものであり、可変表示パターンＰＡ３−４は、高ベース時に選択されるものである。可変表示パターンＰＡ３−４の方が、可変表示パターンＰＡ３−２よりも、可変表示時間（特図変動時間）が短くなっている。
【０１６８】
可変表示パターンＰＡ３−５、ＰＡ３−６では、カウント値示唆演出が実行される。可変表示パターンＰＡ３−５は、低ベース又は中ベース時に選択されるものであり、可変表示パターンＰＡ３−６は、高ベース時に選択されるものである。可変表示パターンＰＡ３−６の方が、可変表示パターンＰＡ３−５よりも、可変表示時間（特図変動時間）が短くなっている。
【０１６９】
可変表示パターンＰＡ３−７、ＰＡ３−８では、抽選結果示唆演出が実行される。可変表示パターンＰＡ３−７は、低ベース又は中ベース時に選択されるものであり、可変表示パターンＰＡ３−８は、高ベース時に選択されるものである。可変表示パターンＰＡ３−８の方が、可変表示パターンＰＡ３−７よりも、可変表示時間（特図変動時間）が短くなっている。
【０１７０】
この実施の形態では、大当り可変表示パターン決定テーブルとして、第１〜第６大当り可変表示パターン決定テーブルが用意されており、ステップＳ２６４において、ＣＰＵ１０３は、ステップＳ２６１で特定した高確低ベースカウント値又は高確高ベースカウント値と、ステップＳ２６２で特定した遊技状態と、に応じて第１〜第６大当り可変表示パターン決定テーブルのうちの１つを使用テーブルとしてセットする。
【０１７１】
第１大当り可変表示パターン決定テーブルは、低確低ベース又は低確中ベースのときに使用テーブルにセットされるテーブルである。このテーブルでは、大当り時の可変表示パターンＰＡ３−１、ＰＡ３−２それぞれに、可変表示パターン決定用の乱数値と比較される決定値が割り当てられている。第１大当り可変表示パターン決定テーブルにおける、可変表示パターンＰＡ３−１、ＰＡ３−２それぞれに割り当てられている決定値の範囲は、例えば、可変表示パターンＰＡ３−１、ＰＡ３−２のいずれかを使用パターンとして決定（選択）する決定割合が例えば図１１の決定割合になるように、設定されている。
【０１７２】
第２大当り可変表示パターン決定テーブルは、高確低ベースのとき、かつ、高確低ベースカウント値が「１」〜「４」のときに使用テーブルにセットされるテーブルである。第３大当り可変表示パターン決定テーブルは、高確低ベースのとき、かつ、高確低ベースカウント値が「５」〜「７」のときに使用テーブルにセットされるテーブルである。これらテーブルでは、大当り時の可変表示パターンＰＡ３−１、ＰＡ３−２、ＰＡ３−５、ＰＡ３−７のそれぞれに、可変表示パターン決定用の乱数値と比較される決定値が割り当てられている。第２大当り可変表示パターン決定テーブルと、第３大当り可変表示パターン決定テーブルと、では、可変表示パターンに割り当てられた決定値の範囲（すなわち、可変表示パターンの決定割合）が異なっている部分がある（図１２（Ａ）及び（Ｂ）参照）。具体的には、可変表示パターンＰＡ３−５、ＰＡ３−７の決定割合が、第３大当り可変表示パターン決定テーブルの方が高くなっているので、高確低ベースカウント値が「５」〜「７」のときの方が、カウント値示唆演出や抽選結果示唆演出が実行されやすくなっている。
【０１７３】
第４大当り可変表示パターン決定テーブルは、低確高ベースのときに使用テーブルにセットされるテーブルである。このテーブルでは、大当り時の可変表示パターンＰＡ３−３、ＰＡ３−４のそれぞれに、可変表示パターン決定用の乱数値と比較される決定値が割り当てられている。第４大当り可変表示パターン決定テーブルにおける、可変表示パターンＰＡ３−３、ＰＡ３−４それぞれに割り当てられている決定値の範囲は、例えば、可変表示パターンＰＡ３−３、ＰＡ３−４のいずれかを使用パターンとして決定（選択）する決定割合が例えば図１３の決定割合になるように、設定されている。
【０１７４】
第５大当り可変表示パターン決定テーブルは、高確高ベースのとき、かつ、高確高ベースカウント値が「１」〜「４」のときに使用テーブルにセットされるテーブルである。第６大当り可変表示パターン決定テーブルは、高確高ベースのとき、かつ、高確高ベースカウント値が「５」〜「７」のときに使用テーブルにセットされるテーブルである。これらテーブルでは、大当り時の可変表示パターンＰＡ３−３、ＰＡ３−４、ＰＡ３−６、ＰＡ３−８のそれぞれに、可変表示パターン決定用の乱数値と比較される決定値が割り当てられている。第５大当り可変表示パターン決定テーブルと、第６大当り可変表示パターン決定テーブルと、では、可変表示パターンに割り当てられた決定値の範囲（すなわち、可変表示パターンの決定割合）が異なっている部分がある（図１４（Ａ）及び（Ｂ）参照）。具体的には、可変表示パターンＰＡ３−６、ＰＡ３−８の決定割合が、第６大当り可変表示パターン決定テーブルの方が高くなっているので、高確高ベースカウント値が「５」〜「７」のときの方が、カウント値示唆演出や抽選結果示唆演出が実行されやすくなっている。
【０１７５】
この実施の形態では、ハズレ可変表示パターン決定テーブルとして、第１〜第６ハズレ可変表示パターン決定テーブルが用意されており、ステップＳ２６４において、ＣＰＵ１０３は、ステップＳ２６１で特定した高確低ベースカウント値又は高確高ベースカウント値と、ステップＳ２６２で特定した遊技状態と、に応じてハズレ大当り可変表示パターン決定テーブルのうちの１つを使用テーブルとしてセットする。
【０１７６】
第１ハズレ可変表示パターン決定テーブルは、低確低ベース又は低確中ベースのときに使用テーブルにセットされるテーブルである。このテーブルでは、ハズレ時の可変表示パターンＰＡ１−１、ＰＡ１−２、ＰＡ２−１、ＰＡ２−２のそれぞれに、可変表示パターン決定用の乱数値と比較される決定値が割り当てられている。第１ハズレ可変表示パターン決定テーブルにおける、可変表示パターンＰＡ１−１、ＰＡ１−２、ＰＡ２−１、ＰＡ２−２それぞれに割り当てられている決定値の範囲は、例えば、可変表示パターンＰＡ１−１、ＰＡ１−２、ＰＡ２−１、ＰＡ２−２のいずれかを使用パターンとして決定（選択）する決定割合が例えば図１５の決定割合になるように、設定されている。
【０１７７】
第２ハズレ可変表示パターン決定テーブルは、高確低ベースのとき、かつ、高確低ベースカウント値が「１」〜「４」のときに使用テーブルにセットされるテーブルである。第３ハズレ可変表示パターン決定テーブルは、高確低ベースのとき、かつ、高確低ベースカウント値が「５」〜「６」のときに使用テーブルにセットされるテーブルである。なお、この実施の形態では、可変表示結果が「ハズレ」となる可変表示の実行時には、高確低ベースカウント値又は高確高ベースカウント値は、「７」にならない（この実施形態におけるフローチャート参照）。「７」になるのは、可変表示結果が「大当り」となる可変表示の実行時のみである。上記各テーブルでは、ハズレ時の可変表示パターンＰＡ１−１、ＰＡ１−２、ＰＡ２−１、ＰＡ２−２、ＰＡ２−５、ＰＡ２−７のそれぞれに、可変表示パターン決定用の乱数値と比較される決定値が割り当てられている。第２ハズレ可変表示パターン決定テーブルと、第３ハズレ可変表示パターン決定テーブルと、では、可変表示パターンに割り当てられた決定値の範囲（すなわち、可変表示パターンの決定割合）が異なっている部分がある（図１６（Ａ）及び（Ｂ）参照）。具体的には、可変表示パターンＰＡ２−５、ＰＡ２−７の決定割合が、第３ハズレ可変表示パターン決定テーブルの方が高くなっているので、高確低ベースカウント値が「５」〜「６」のときの方が、カウント値示唆演出や抽選結果示唆演出が実行されやすくなっている。
【０１７８】
第４ハズレ可変表示パターン決定テーブルは、低確高ベースのときに使用テーブルにセットされるテーブルである。このテーブルでは、ハズレ時の可変表示パターンＰＡ１−３、ＰＡ２−３、ＰＡ２−４のそれぞれに、可変表示パターン決定用の乱数値と比較される決定値が割り当てられている。第４ハズレ可変表示パターン決定テーブルにおける、可変表示パターンＰＡ１−３、ＰＡ２−３、ＰＡ２−４それぞれに割り当てられている決定値の範囲は、例えば、ＰＡ１−３、ＰＡ２−３、ＰＡ２−４のいずれかを使用パターンとして決定（選択）する決定割合が例えば図１７の決定割合になるように、設定されている。
【０１７９】
第５ハズレ可変表示パターン決定テーブルは、高確高ベースのとき、かつ、高確高ベースカウント値が「０」〜「４」のときに使用テーブルにセットされるテーブルである。第６ハズレ可変表示パターン決定テーブルは、高確高ベースのとき、かつ、高確高ベースカウント値が「５」〜「６」のときに使用テーブルにセットされるテーブルである。これらテーブルでは、ハズレ時の可変表示パターンＰＡ１−３、ＰＡ２−３、ＰＡ２−４、ＰＡ２−６、ＰＡ２−８のそれぞれに、可変表示パターン決定用の乱数値と比較される決定値が割り当てられている。第５ハズレ可変表示パターン決定テーブルと、第６ハズレ可変表示パターン決定テーブルと、では、可変表示パターンに割り当てられた決定値の範囲（すなわち、可変表示パターンの決定割合）が異なっている部分がある（図１８（Ａ）及び（Ｂ）参照）。具体的には、可変表示パターンＰＡ２−６、ＰＡ２−８の決定割合が、第８ハズレ可変表示パターン決定テーブルの方が高くなっているので、高確高ベースカウント値が「５」〜「６」のときの方が、カウント値示唆演出や抽選結果示唆演出が実行されやすくなっている。
【０１８０】
図１１〜図１８などを参照すると、カウント値示唆演出や抽選結果示唆演出は、高確低ベースカウント値又は高確高ベースカウント値が「５」以上のときの方が、高確低ベースカウント値又は高確高ベースカウント値が「１」〜「４」のときよりも実行されやすくなっている。また、大当り時には、スーパーリーチが実行される可変表示パターンが、ノーマルリーチが実行される可変表示パターンよりも選択されやすく、ハズレ時には、スーパーリーチが実行される可変表示パターンが、ノーマルリーチが実行される可変表示パターンよりも選択されにくいので、大当り期待度は、スーパーリーチが実行された方が高くなっている。また、同様の演出を実行する可変表示パターン同士（例えば、ＰＡ２−１とＰＡ２−３）の可変表示時間を比べると、高ベース時の方が可変表示時間は短いので、高ベース状態においての特図ゲームの平均的な可変表示時間は、低ベース状態のときよりも短くなる。
【０１８１】
なお、ハズレ時においては、合計保留記憶数などに応じて、可変表示パターンの決定割合を変化させてもよい。例えば、合計保留記憶数が多くなるほど、可変表示パターンＰＡ１−２を使用パターンとして決定する割合を大きくするなどして、合計保留記憶数が多い場合には平均的な可変表示時間を短くするようにしてもよい。これによって、保留記憶の消化がスムーズに行われる。
【０１８２】
図９に示すステップＳ２６４又はＳ２６５の処理を実行した後には、例えば可変表示用乱数バッファなどに格納されている所定の可変表示パターン決定用の乱数値を示す数値データなどに基づき、ステップＳ２６４又はＳ２６５で使用テーブルにセットされた大当り可変表示パターン決定テーブル又はハズレ可変表示パターン決定テーブルを参照することにより、今回の可変表示パターン（使用パターン）を複数種類のいずれかに決定（選択）する（ステップＳ２６６）。ＣＰＵ１０３は、例えば、可変表示パターン決定用の乱数値と、使用テーブルにおける可変表示パターンそれぞれに割り当てられた決定値とを比較して、使用パターンとしての可変表示パターンをいずれかに決定する。ここで、ステップＳ２６６の処理では、第１始動条件が成立したことに基づき第１特別図柄表示装置４Ａにより第１特図を用いて実行される特図ゲームに対応した飾り図柄の可変表示パターンを決定するか、第２始動条件が成立したことに基づき第２特別図柄表示装置４Ｂにより第２特図を用いて実行される特図ゲームに対応した飾り図柄の可変表示パターンを決定するかにかかわらず、共通のランダムカウンタなどによって更新される可変表示パターン決定用となる共通の乱数値を示す数値データを用いて、共通の処理モジュールにより可変表示パターンを複数種類のいずれかに決定することができる。
【０１８３】
ステップＳ２６６にて可変表示パターンを決定した後には、その可変表示パターンの決定結果に応じた特別図柄の可変表示時間である特図可変表示時間を設定する（ステップＳ２６７）。特別図柄の可変表示時間となる特図可変表示時間（特図変動時間）は、特図ゲームにおいて特別図柄の可変表示を開始してから可変表示結果（特図表示結果）となる確定特別図柄が導出表示されるまでの所要時間である。
【０１８４】
ステップＳ２６７の処理を実行した後、可変表示特図指定バッファ値に応じて、第１特別図柄表示装置４Ａにおける第１特図を用いた特図ゲームと、第２特別図柄表示装置４Ｂにおける第２特図を用いた特図ゲームのいずれかを開始させるように、特別図柄の可変表示を開始させるための設定を行う（ステップＳ２６８）。一例として、可変表示特図指定バッファ値が「１」であれば、第１特別図柄表示装置４Ａにおける第１特図の表示を更新させる駆動信号を送信するための設定を行う。一方、可変表示特図指定バッファ値が「２」であれば、第２特別図柄表示装置４Ｂにおける第２特図の表示を更新させる駆動信号を送信するための設定を行う。この設定により、次回の特別図柄プロセス処理にて行われるステップＳ１１２の特別図柄変動処理において、前記駆動信号が送信され、特別図柄の可変表示が開始される。
【０１８５】
ステップＳ２６８の処理に続いて、ステップＳ２６２にて特定した遊技状態が低確低ベース状態や低確高ベース状態といった低確状態であるか否かを判定する（ステップＳ２６９）。このとき、低確状態であれば（ステップＳ２６９；Ｙｅｓ）、高確低ベースカウント値や高確高ベースカウント値を初期化して「０」にする（ステップＳ２７０）。
【０１８６】
ステップＳ２６９にて高確状態であると判定された場合や（ステップＳ２６９；Ｎｏ）、ステップＳ２７０の処理を実行した後には、特別図柄の可変表示開始時用となる各種コマンドを送信するための設定を行う（ステップＳ２７１）。例えば、可変表示特図指定バッファ値が「１」である場合に、ＣＰＵ１０３は、主基板１１から演出制御基板１２に対して遊技状態指定コマンド、大当り回数通知コマンド、特定期間通知コマンド、第１可変表示開始コマンド、可変表示パターン指定コマンド、可変表示結果通知コマンド、第１保留記憶数通知コマンド、転落抽選結果通知コマンドを順次に送信するために、予め用意された第１可変表示開始用コマンドテーブルのＲＯＭ１０１における記憶アドレス（先頭アドレス）を示す設定データを、ＲＡＭ１０２に設けられた送信コマンドバッファにおいて送信コマンドポインタによって指定されたバッファ領域に格納する。他方、可変表示特図指定バッファ値が「２」である場合に、ＣＰＵ１０３は、主基板１１から演出制御基板１２に対して遊技状態指定コマンド、大当り回数通知コマンド、特定期間通知コマンド、第２可変表示開始コマンド、可変表示パターン指定コマンド、可変表示結果通知コマンド、第２保留記憶数通知コマンド、転落抽選結果通知コマンドを順次に送信するために、予め用意された第２可変表示開始用コマンドテーブルのＲＯＭ１０１における記憶アドレス（先頭アドレス）を示す設定データを、送信コマンドバッファにおいて送信コマンドポインタによって指定されたバッファ領域に格納する。
【０１８７】
ここで、第１可変表示開始コマンドは、第１特別図柄表示装置４Ａにおける第１特図を用いた特図ゲームにおける可変表示開始を指定するコマンドである。第２可変表示開始コマンドは、第２特別図柄表示装置４Ｂにおける第２特図を用いた特図ゲームにおける可変表示開始を指定するコマンドである。可変表示パターン指定コマンドは、特図ゲームにおける特別図柄の可変表示に対応して画像表示装置５における「左」、「中」、「右」の各飾り図柄表示エリア５Ｌ、５Ｃ、５Ｒで可変表示される飾り図柄などの可変表示パターン（ステップＳ２６６で決定した可変表示パターン）を指定する可変表示パターン指定コマンドである。可変表示結果通知コマンドは、特別図柄や飾り図柄などの可変表示結果（大当りフラグがオンであれば「大当り」、大当りフラグがオフであれば「ハズレ」）を指定するコマンドである。遊技状態指定コマンドは、パチンコ遊技機１における現在の遊技状態（例えば、ステップＳ２６２で特定した遊技状態）を指定するコマンドである。特定期間通知コマンドは、特定期間として決定された特図ゲームの実行回数（２回〜８回）を通知するコマンドである。なお、このコマンドは、ステップＳ２５３の処理が行われなかったときには送信されないようにしてもよい。大当り回数通知コマンドは、高確状態に制御されてから可変表示結果を「大当り」にすると決定された回数（大当り回数）を通知するコマンドである。なお、大当り回数は、高確低ベースカウント値や高確高ベースカウント値から特定されればよい。ここでの大当り回数は、高確低ベースカウント値や高確高ベースカウント値と同じ数の回数とする。転落抽選結果通知コマンドは、今回の可変表示における転落抽選の結果を通知するコマンドである。このコマンドは、ステップＳ２４０の転落抽選が行われなかったときには送信しない。例えば、ＣＰＵ１０３は、ステップＳ２４０において転落抽選の結果が当選だった場合には、ＲＡＭ１０２に設けられた転落フラグをオン状態とし、落選だった場合にはオフ状態とし、ステップＳ２７１にて、転落フラグがオン状態であれば、転落抽選当選の転落抽選結果通知コマンドの送信設定を行い、転落フラグがオフ状態であれば、転落抽選落選の転落抽選結果通知コマンドの送信設定を行う。
【０１８８】
ステップＳ２７１でのコマンド送信設定に基づいて、可変表示パターン設定処理が終了してから所定のコマンド制御処理が実行されるごとに、主基板１１から演出制御基板１２に対して遊技状態指定コマンド、特定期間通知コマンド、大当り回数通知コマンド、第１可変表示開始コマンドまたは第２可変表示開始コマンド、可変表示パターン指定コマンド、可変表示結果通知コマンド、第１保留記憶数通知コマンドまたは第２保留記憶数通知コマンドが、順次に送信されることになる。なお、これらの演出制御コマンドが送信される順番は任意に変更可能であり、例えば可変表示結果通知コマンドを最初に送信してから、第１可変表示開始コマンドまたは第２可変表示開始コマンド、可変表示パターン指定コマンド、遊技状態指定コマンド、特定期間通知コマンド、大当り回数通知コマンド、第１保留記憶数通知コマンドまたは第２保留記憶数通知コマンドの順などで送信されるようにしてもよい。
【０１８９】
その後、特図プロセスフラグの値を特別図柄可変表示処理に対応した値である“２”に更新してから（ステップＳ２７２）、可変表示パターン設定処理を終了する。
【０１９０】
図１９は、特別図柄停止処理として、図３のステップＳ１１３にて実行される処理の一例を示すフローチャートである。図１９に示す特別図柄停止処理において、ＣＰＵ１０３は、まず、大当りフラグがオンであるか否かを判定する（ステップＳ２９１）。このとき、大当りフラグがオンであれば（ステップＳ２９１；Ｙｅｓ）、大当り開始時演出待ち時間（所謂ファンファーレが実行される時間）を設定する（ステップＳ２９２）。例えば、ステップＳ２９２の処理では、大当り開始時演出待ち時間に対応して予め定められたタイマ初期値が、ＲＡＭ１０２に設けられた遊技制御プロセスタイマにセットされればよい。この遊技制御プロセスタイマのタイマ値は、例えば、ステップＳ１１４が実行されるごとに「１」減じられ、タイマ値が「０」になったときに、大当り開始時演出待ち時間（所謂ファンファーレ演出が実行される時間）が経過して大入賞口を開放するタイミングになった判定される。
【０１９１】
ステップＳ２９２の処理に続いて、エンディング演出期間を設定する（ステップＳ２９３）。この実施の形態では、大当り遊技状態の最後に実行されるエンディング演出（最後のラウンド遊技にて大入賞口が閉鎖された後に実行される演出）の実行期間（エンディング期間）が複数用意されている。このエンディング期間が変化することによって、大当り遊技状態の制御期間（ファンファーレ演出を開始してからラウンド遊技が実行されエンディング演出が終了するまでの期間）が可変となっている。
【０１９２】
ステップＳ２９３では、ＣＰＵ１０３は、ランダムカウンタから所定のエンディング期間決定用の乱数値を示す数値データを抽出し、抽出した乱数値に基づき、ＲＯＭ１０１に記憶されたエンディング期間決定テーブルを参照することにより、エンディング期間を決定する。エンディング期間決定テーブルとしては、第１エンディング期間決定テーブルと第２エンディング期間決定テーブルとが用意されており、高確低ベースカウント値及び高確高ベースカウント値が「０」に該当する場合、又は、高確低ベースカウント値又は高確高ベースカウント値が「１」〜「４」に該当する場合（つまり、低確状態であるか、高確状態であっても、高確低ベース状態では高確低ベースカウント値が「１」〜「４」のいずれかであり、高確高ベース状態では高確高ベースカウント値が「１」〜「４」のいずれかである場合）には、第１エンディング期間決定テーブルが使用テーブルとしてセットされて参照される。高確低ベースカウント値又は高確高ベースカウント値が「５」〜「７」の場合には、第２エンディング期間決定テーブルが使用テーブルとしてセットされて参照される。
【０１９３】
第１及び第２エンディング期間決定テーブルでは、例えば、第１の制御期間（３秒）と第２の制御期間（１５秒）とのそれぞれにエンディング期間決定用の乱数値と比較される決定値が割り当てられている。ＣＰＵ１０３は、例えば、エンディング期間決定用の乱数値と、第１の制御期間（３秒）、第２の制御期間（１５秒）の各決定結果に割り当てられた決定値とを比較して、今回の大当り遊技状態におけるエンディング期間を「第１の制御期間」、「第２の制御期間」のいずれとするかを決定する。ＣＰＵ１０３は、決定した制御期間をエンディング期間として設定する。これによって、ステップＳ１１７にて使用される、エンディング演出が実行される期間に対応した待ち時間が決定される。
【０１９４】
第１及び第２エンディング期間決定テーブルでは、「第１の制御期間」、「第２の制御期間」に割り当てられている決定値の範囲が異なる。第１エンディング期間決定テーブルでは、図２０（Ａ）に示すように、エンディング期間を７０／１００の割合で「第１の制御期間」と決定し、３０／１００の割合で「第２の制御期間」と決定する。第２エンディング期間決定テーブルでは、図２０（Ｂ）に示すように、エンディング期間を３０／１００の割合で「第１の制御期間」と決定し、７０／１００の割合で「第２の制御期間」と決定する。これらから分かるように、カウント値が大きい場合の方が、第２の制御期間をエンディング期間と決定しやすくなっている。第２の制御期間は、第１の制御期間よりも時間が長く、第２の制御期間では、エンディング演出においてカウント値示唆演出が実行される。つまり、第２の制御期間によってカウント値示唆演出の実行時間が確保される。このため、大当り遊技状態のエンディング演出にて実行されるカウント値示唆演出は、エンディング期間が第２の制御期間のときに実行され、カウント値が「５」以上のときの方が実行されやすくなっている。
【０１９５】
なお、高確低ベースカウント値が上限値「７」のとき（低ベース状態で確変リミッタが作動するとき）には、大当り遊技状態にて報知演出が実行されるので、大当り遊技状態ではカウント値示唆演出が実行されないように、強制的にエンディング期間を第１制御期間にしてもよい。これによって、カウント値示唆演出と報知演出とが同じ大当り遊技状態で実行されてしまうことを防ぎ、演出の矛盾の発生を防止できる。
【０１９６】
ＣＰＵ１０３は、その後、当り開始指定コマンドを主基板１１から演出制御基板１２に対して送信するための設定を行う（ステップＳ２９４）。例えば、ステップＳ２９４の処理では、当り開始指定コマンドを送信するために予め用意された当り開始指定コマンドテーブルのＲＯＭ１０１における記憶アドレスが、送信コマンドバッファにおいて送信コマンドポインタによって指定されたバッファ領域に格納されればよい。当り開始指定コマンドは、ステップＳ２９３で設定したエンディング期間の長さを指定するものでもある。つまり、ステップＳ２９３で設定したエンディング期間が第１の制御期間であるか第２の制御期間であるかに応じて異なる内容の当り開始指定コマンドとなる。このコマンドの送信によって、エンディング期間の長さが演出制御基板１２側に通知される。その後、大当りフラグをクリアしてオフ状態とする（ステップＳ２９５）。また、中ベース状態や、高ベース状態、高確状態を終了するための設定を行う（ステップＳ２９６）。例えば、ステップＳ２９６では、中ベース中フラグや高ベース中フラグ、高確フラグをクリアしてオフ状態とする処理や、特定期間カウンタや、高ベース状態における特図ゲームの実行回数をカウントするための特図可変表示回数カウンタ（ＲＡＭ１０２に設けられる。）をクリアする処理などが実行されればよい。そして、特別図柄プロセスフラグの値を大入賞口開放前処理に対応した値である“４”に更新してから（ステップＳ２９７）、特別図柄停止処理を終了する。
【０１９７】
ステップＳ２９１にて大当りフラグがオフである場合には（ステップＳ２９１；Ｎｏ）、特図プロセスフラグの値を特別図柄通常処理に対応した値である“０”に更新する（ステップＳ２９８）。ステップＳ２９８の処理を実行した後には、特定期間フラグがオンであるか否かを判定する（ステップＳ２９９）。このとき、特定期間フラグがオンであれば（ステップＳ２９９；Ｙｅｓ）、特定期間カウント値を１減算することにより、更新する（ステップＳ３００）。そして、更新後の特定期間カウント値が“０”であるか否かを判定する（ステップＳ３０１）。このとき、更新後の特定期間カウント値が“０”であれば（ステップＳ３０１；Ｙｅｓ）、特定期間フラグをクリアしてオフ状態にしてから（ステップＳ３０２）、特別図柄停止処理を終了する。
【０１９８】
ステップＳ２９９にて特定期間フラグがオフである場合には（ステップＳ２９８；Ｎｏ）、又は、ステップＳ３０１にて更新後の特定期間カウント値が“０”でない場合には（ステップＳ３０１；Ｎｏ）、高ベース状態を終了させるか否かの判定を行う（ステップＳ３０３）。例えば、ステップＳ３０３の処理では、特図可変表示回数カウンタの値（特図可変表示回数カウント値）を、例えば１減算または１加算するなどして更新し、更新後の特図可変表示回数カウント値が所定の高ベース状態終了判定値と合致するか否かの判定が行われる。このとき、高ベース状態終了判定値と合致すれば（これによって、例えば、大当り遊技状態の終了後の時短制御中に所定回数（例えば８９回）の特図ゲームが実行されたことになる。）、高ベース中フラグをクリアしてオフ状態とすることなどにより、高ベース状態を終了して低ベース状態に制御すればよい。他方、特別遊技状態終了判定値と合致しなければ、高ベース中フラグの状態を維持して、ステップＳ３０２の処理を終了すればよい。こうした高ベース状態の終了判定を実行した後には、特別図柄停止処理が終了する。なお、時短制御は、可変表示結果が「大当り」となったときにのみ終了するようにする場合には、高ベース状態を終了させるか否かの判定を不要としてもよい。
【０１９９】
図２１は、大当り終了処理として、図３のステップＳ１１７にて実行される処理の一例を示すフローチャートである。図２１に示す大当り終了処理において、ＣＰＵ１０３は、まず、エンディング期間（ステップＳ２９３で設定された時間）が経過したか否かを判定する（ステップＳ３７１）。なお、ステップＳ２９３の処理は、図３に示すステップＳ１１６の大入賞口開放後処理における、特図プロセスフラグの値を“７”に更新するときに実行されてもよい。ステップＳ２９３でのエンディング期間の設定では、一例として、第１の制御期間と第２の制御期間とのうちステップＳ２９３で決定されたエンディング期間としての期間に対応して予め定められたタイマ初期値が所定のプロセスタイマにセットされる。この場合、ステップＳ３７１の処理では、例えば遊技制御プロセスタイマ値を１減算することなどにより更新し、更新後の遊技制御プロセスタイマ値が所定の待ち時間経過判定値と合致したか否かに応じて、エンディング期間が経過（終了）したか否かを判定すればよい。ステップＳ３７１にてエンディング期間が経過していなければ（ステップＳ３７１；Ｎｏ）、そのまま大当り終了処理を終了する。
【０２００】
これに対して、ステップＳ３７１にてエンディング期間が経過した場合には（ステップＳ３７１；Ｙｅｓ）、特定期間フラグがオンであるか否かを判定する（ステップＳ３７２）。このとき、特定期間フラグがオフであれば（ステップＳ３７２；Ｎｏ）、高確高ベースカウント値が“０”であるか否かを判定する（ステップＳ３７３）。
【０２０１】
ステップＳ３７３にて高確高ベースカウント値が“０”である場合には（ステップＳ３７３；Ｙｅｓ）、高ベース状態に制御しないとして、高確低ベースカウント値が“７”であるか否かを判定する（ステップＳ３７４）。このとき、高確低ベースカウント値が“７”以外であれば（ステップＳ３７４；Ｎｏ）、確変リミッタが作動していないとして、高確低ベース状態への制御を開始するための設定を行う（ステップＳ３７５）。一例として、ステップＳ３７５の処理では、高確中フラグがオン状態にセットされる。また、高確低ベースカウント値が「０」である場合には、高確低ベースカウント値を「１」とする。このようにして、高確低ベースカウント値は、高確低ベース状態への移行のきっかけとなる大当り遊技状態を１回目としてカウントした値になる。なお、この実施の形態では、このフローチャートのように、低確高ベース状態に制御されているときに、可変表示結果が「大当り」となったことに基づいて、大当り遊技状態に制御された場合、その終了後には、高ベース状態が維持されない（つまり、高確低ベース状態になる）。なお、その終了後に高ベース状態を維持する場合には、例えば、ステップＳ２９６の処理で高ベース中フラグをオフ状態にクリアするときに、その旨を示すフラグ（例えば、ＲＡＭ１０１に設けられる。）をオン状態としておき、ステップＳ３７５において、高確低ベースカウント値が「０」であって、このフラグがオン状態にあったときには、ステップＳ３７５で高確中フラグ及び高ベース中フラグをオン状態にセットするようにしもてよい。これによって、低確高ベース中に「大当り」が発生した場合には、高確高ベースに制御されるようになる。
【０２０２】
これに対して、ステップＳ３７４にて高確低ベースカウント値が“７”である場合には（ステップＳ３７４；Ｙｅｓ）、確変リミッタが作動したとして、高確低ベースカウント値を“０”に更新して初期化するとともに（ステップＳ３７６）、特定期間フラグをオン状態にセットすることにより（ステップＳ３７７）、特定期間を開始する。そして、低確中ベース状態への制御を開始するための設定を行う（ステップＳ３７５）。一例として、ステップＳ３７５の処理では、中ベース中フラグがオン状態にセットされるとともに、特定期間カウンタによるカウントダウンが可能となるように設定される。
【０２０３】
ステップＳ３７２にて特定期間フラグがオンである場合には（ステップＳ３７２；Ｙｅｓ）、特定期間内に可変表示結果が「大当り」となったことに基づき、大当り遊技状態に制御されたとして、特定期間フラグをクリアしてオフ状態とした後（ステップＳ３７９）、高確高ベース状態への制御を開始するための設定を行う（ステップＳ３８０）。ステップＳ３８０の処理では、高確中フラグ及び高ベース中フラグがオン状態にセットされるとともに、高ベース状態にて実行可能な特図ゲームの上限値に対応して予め定められたカウント初期値が、特図可変表示回数カウンタにセットされればよい。また、ステップＳ３８０の処理では、高確高ベースカウント値を「０」から「１」に更新する。このようにして、高確高ベースカウント値は、高確高ベース状態への移行のきっかけとなる大当り遊技状態を１回目としてカウントした値になる。
【０２０４】
ステップＳ３７３にて高確高ベースカウント値が“０”以外である場合には（ステップＳ３７３；Ｎｏ）、大当り遊技状態の開始前まで高確高ベース状態に制御されていたとして、高確高ベースカウント値が“７”であるか否かを判定する（ステップＳ３８１）。このとき、高確高ベースカウント値が“７”以外であれば（ステップＳ３８１；Ｎｏ）、確変リミッタが作動していないとして、高確高ベース状態への制御を開始するための設定を行う（ステップＳ３８２）。ステップＳ３８２の処理では、高確中フラグ及び高ベース中フラグがオン状態にセットされるとともに、高ベース状態にて実行可能な特図ゲームの上限値に対応して予め定められたカウント初期値が、特図可変表示回数カウンタにセットされればよい。
【０２０５】
これに対して、ステップＳ３８１にて高確高ベースカウント値が“７”である場合には（ステップＳ３８１；Ｙｅｓ）、確変リミッタが作動したとして、高確高ベースカウント値を“０”に更新して初期化するとともに（ステップＳ３８３）、低確低ベース状態への制御を開始するための設定を行う（ステップＳ３８４）。
【０２０６】
ステップＳ３７５、Ｓ３７８、Ｓ３８０、Ｓ３８２、Ｓ３８４の処理のいずれかを実行した後には、特図プロセスフラグの値を特別図柄通常処理に対応した値である“０”に更新してから（ステップＳ３８５）、大当り終了処理を終了する。
【０２０７】
次に、演出制御基板１２における動作を説明する。
【０２０８】
演出制御基板１２では、電源基板等から電源電圧の供給を受けると、演出制御用ＣＰＵ１２０が起動して、所定の演出制御メイン処理を実行する。演出制御メイン処理を開始すると、演出制御用ＣＰＵ１２０は、まず、所定の初期化処理を実行して、ＲＡＭ１２２のクリアや各種初期値の設定、また演出制御基板１２に搭載されたＣＴＣ（カウンタ／タイマ回路）のレジスタ設定等を行う。その後、タイマ割込みフラグがオンとなっているか否かの判定を行う。タイマ割込みフラグは、例えばＣＴＣのレジスタ設定に基づき、所定時間（例えば２ミリ秒）が経過するごとにオン状態にセットされる。このとき、タイマ割込みフラグがオフであれば、待機する。
【０２０９】
また、演出制御基板１２の側では、所定時間が経過するごとに発生するタイマ割込みとは別に、主基板１１から演出制御コマンドを受信するための割込みが発生する。この割込みは、例えば主基板１１からの演出制御ＩＮＴ信号がオン状態となることにより発生する割込みである。演出制御ＩＮＴ信号がオン状態となることによる割込みが発生すると、演出制御用ＣＰＵ１２０は、自動的に割込み禁止に設定するが、自動的に割込み禁止状態にならないＣＰＵを用いている場合には、割込み禁止命令（ＤＩ命令）を発行することが望ましい。演出制御用ＣＰＵ１２０は、演出制御ＩＮＴ信号がオン状態となることによる割込みに対応して、例えば所定のコマンド受信割込み処理を実行する。このコマンド受信割込み処理では、Ｉ／Ｏ１２５に含まれる入力ポートのうちで、中継基板１５を介して主基板１１から送信された制御信号を受信する所定の入力ポートより、演出制御コマンドとなる制御信号を取り込む。このとき取り込まれた演出制御コマンドは、例えばＲＡＭ１２２に設けられた演出制御コマンド受信用バッファに格納する。一例として、演出制御コマンドが２バイト構成である場合には、１バイト目（ＭＯＤＥ）と２バイト目（ＥＸＴ）を順次に受信して演出制御コマンド受信用バッファに格納する。その後、演出制御用ＣＰＵ１２０は、割込み許可に設定してから、コマンド受信割込み処理を終了する。
【０２１０】
タイマ割込みフラグがオンである場合には、タイマ割込みフラグをクリアしてオフ状態にするとともに、コマンド解析処理を実行する。コマンド解析処理では、例えば主基板１１の遊技制御用マイクロコンピュータ１００から送信されて演出制御コマンド受信用バッファに格納されている各種の演出制御コマンドを読み出した後に、その読み出された演出制御コマンドに対応した設定や制御などが行われる。
【０２１１】
コマンド解析処理を実行した後には、演出制御プロセス処理を実行する。演出制御プロセス処理では、例えば画像表示装置５の表示領域における演出画像の表示動作、スピーカ８Ｌ、８Ｒからの音声出力動作、遊技効果ランプ９及び装飾用ＬＥＤといった装飾発光体における点灯動作、演出用模型における駆動動作といった、各種の演出装置を用いた演出動作の制御内容について、主基板１１から送信された演出制御コマンド等に応じた判定や決定、設定などが行われる。
【０２１２】
演出制御プロセス処理に続いて、演出用乱数更新処理が実行され、演出制御に用いる各種の乱数値として、ＲＡＭ１２２のランダムカウンタによってカウントされる演出用乱数を示す数値データを、ソフトウェアにより更新する。
【０２１３】
図２２は、演出制御プロセス処理の一例を示すフローチャートである。図２２に示す演出制御プロセス処理において、演出制御用ＣＰＵ１２０は、例えばＲＡＭ１２２などに設けられた演出プロセスフラグの値に応じて、以下のようなステップＳ１７０〜Ｓ１７７の処理のいずれかを選択して実行する。
【０２１４】
ステップＳ１７０の可変表示開始待ち処理は、演出プロセスフラグの値が“０”のときに実行される処理である。この可変表示開始待ち処理は、主基板１１からの第１可変表示開始コマンドあるいは第２可変表示開始コマンドなどを受信したか否かに基づき、画像表示装置５における飾り図柄の可変表示を開始するか否かを判定する処理などを含んでいる。第１可変表示開始コマンドあるいは第２可変表示開始コマンドなどを受信し、画像表示装置５における飾り図柄の可変表示を開始すると判定した場合には、演出プロセスフラグの値が“１”に更新される。
【０２１５】
ステップＳ１７１の可変表示開始設定処理は、演出プロセスフラグの値が“１”のときに実行される処理である。この可変表示開始設定処理は、第１特別図柄表示装置４Ａや第２特別図柄表示装置４Ｂによる特図ゲームにおいて特別図柄の可変表示が開始されることに対応して、画像表示装置５における飾り図柄の可変表示や、その他の各種演出動作を行うために、特別図柄の可変表示パターンや表示結果の種類などに応じた確定飾り図柄や各種の演出制御パターンを決定する処理などを含んでいる。可変表示開始設定処理は、演出プロセスフラグの値が“２”に更新されて終了する。
【０２１６】
ステップＳ１７２の可変表示中演出処理は、演出プロセスフラグの値が“２”のときに実行される処理である。この可変表示中演出処理において、演出制御用ＣＰＵ１２０は、ＲＡＭ１２２に設けられた演出制御プロセスタイマにおけるタイマ値に対応して、演出制御パターンから各種の制御データを読み出し、読み出した制御データに基づいて飾り図柄の可変表示中における各種の演出制御を行う。こうした演出制御を行った後、例えば飾り図柄の可変表示の演出制御パターンから飾り図柄の可変表示終了を示す終了コードが読み出されたことなどに対応して、飾り図柄の可変表示結果となる最終停止図柄としての確定飾り図柄を完全停止表示させる。飾り図柄の可変表示の演出制御パターンから終了コードが読み出されたことに対応して確定飾り図柄を完全停止表示させるようにすれば、可変表示パターン指定コマンドにより指定された可変表示パターンに対応する可変表示時間が経過したときに、主基板１１からの演出制御コマンドによらなくても、演出制御基板１２の側で自律的に確定飾り図柄を導出表示して可変表示結果を確定させることができる。なお、ステップＳ１１２にて確定特別図柄を導出表示するときに主基板１１から図柄確定コマンドを伝送させ、この図柄確定コマンドを受信したことに基づいて確定飾り図柄を完全停止表示させるようにしてもよい。確定飾り図柄を完全停止表示したときには、演出プロセスフラグの値が“３”に更新される。ステップＳ１７２の可変表示中演出処理が繰り返し実行されること（１回の演出制御プロセス処理において１回の可変表示中演出処理が実行されることが繰り返されること）によって、飾り図柄の可変表示や各種演出などが実行されることになる。
【０２１７】
ステップＳ１７３の特図当り待ち処理は、演出プロセスフラグの値が“３”のときに実行される処理である。この特図当り待ち処理において、演出制御用ＣＰＵ１２０は、主基板１１から伝送された当り開始指定コマンドの受信があったか否かを判定する。そして、当り開始指定コマンドを受信したきに、その当り開始指定コマンドが大当り遊技状態の開始を指定するものであれば、演出プロセスフラグの値を“４”に更新する。また、このとき、当り開始指定コマンドによって通知されるエンディング期間が第１の制御期間である場合にはＲＡＭ１２２に設けられた第１制御期間フラグをオン状態とし、第２の制御期間である場合にはＲＡＭ１２２に設けられた第２制御期間フラグをオン状態とする。これによって、エンディング期間の長さに対応するフラグがオン状態になる。また、当り開始指定コマンドを受信しなかった場合には、特図当り待ち処理を実行するごとに（１回の演出制御プロセス処理において１回の特図当り待ち処理が実行されることが繰り返されるごとに）、所定の演出制御プロセスタイマのタイマ値（当り開始指定コマンド受信待ち時間に対応した値をタイマ初期値とするタイマ値）を「１」減じ、タイマ値が「０」がタイムアウトしたときには、特図ゲームにおける特図表示結果が「ハズレ」であったと判断して、演出プロセスフラグの値を初期値である“０”に更新する。
【０２１８】
ステップＳ１７４のファンファーレ演出処理は、演出プロセスフラグの値が“４”のときに実行される処理である。このファンファーレ演出処理において、演出制御用ＣＰＵ１２０は、例えば大当り遊技状態におけるファンファーレ演出内容に対応した演出制御パターン等を設定し、その設定内容に基づく演出画像を画像表示装置５の表示画面に表示させることや、音声制御基板１３に対する指令（効果音信号）の出力によりスピーカ８Ｌ、８Ｒから音声や効果音を出力させること、ランプ制御基板１４に対する指令（電飾信号）の出力により遊技効果ランプ９や装飾用ＬＥＤを点灯／消灯／点滅させることといった、各種の演出制御をファンファーレ演出処理が実行されるごとに実行する。また、大当り中演出処理では、例えば演出制御パターンから終了コードが読み出された場合などに演出制御プロセスフラグの値を“５”に更新する。ファンファーレ演出処理の実行が繰り返されること（１回の演出制御プロセス処理において１回のファンファーレ演出処理が実行されることが繰り返されること）で、ファンファーレ演出が実行されることになる。
【０２１９】
ステップＳ１７４の大当り中演出処理は、演出プロセスフラグの値が“５”のときに実行される処理である。この大当り中演出処理において、演出制御用ＣＰＵ１２０は、例えば大当り遊技状態における演出内容に対応した演出制御パターン等を設定し、その設定内容に基づく演出画像を画像表示装置５の表示画面に表示させることや、音声制御基板１３に対する指令（効果音信号）の出力によりスピーカ８Ｌ、８Ｒから音声や効果音を出力させること、ランプ制御基板１４に対する指令（電飾信号）の出力により遊技効果ランプ９や装飾用ＬＥＤを点灯／消灯／点滅させることといった、大当り遊技状態における各種の演出制御を実行する。また、大当り中演出処理では、例えば主基板１１からの大当り終了指定コマンドを受信したことに対応して、演出制御プロセスフラグの値をエンディング演出処理に対応した値である“６”に更新する。大当り中演出処理の実行が繰り返されること（１回の演出制御プロセス処理において１回の大当り中演出処理が実行されることが繰り返されること）で、ラウンド遊技に対応した演出などが実行されることになる。
【０２２０】
ステップＳ１７５のエンディング演出処理は、演出プロセスフラグの値が“６”のときに実行される処理である。このエンディング演出処理において、演出制御用ＣＰＵ１２０は、例えば第１制御期間フラグと第２制御期間フラグとのうちのいずれがオンであるかなどに対応した演出制御パターン等を設定し、その設定内容に基づく演出画像を画像表示装置５の表示画面に表示させることや、音声制御基板１３に対する指令（効果音信号）の出力によりスピーカ８Ｌ、８Ｒから音声や効果音を出力させること、ランプ制御基板１４に対する指令（電飾信号）の出力により遊技効果ランプ９や装飾用ＬＥＤを点灯／消灯／点滅させることといった、エンディング演出時における各種の演出制御を実行する。また、エンディング演出処理では、例えば演出制御パターンから終了コードが読み出された場合などに演出制御プロセスフラグの値を初期値である“０”に更新する。エンディング演出処理の実行が繰り返されること（１回の演出制御プロセス処理において１回のエンディング演出処理が実行されることが繰り返されること）で、エンディング演出などが実行されることになる。第１制御期間フラグがオン状態のときには、カウント値示唆演出が実行されない通常のエンディング演出が実行される演出制御パターンが設定されるので、通常のエンディング演出が実行される。第２制御期間フラグがオン状態のときには、カウント値示唆演出を含むエンディング演出が実行される演出制御パターンが設定されるので、カウント値示唆演出を含むエンディング演出が実行される。
【０２２１】
図２３は、可変表示開始設定処理として、図２２のステップＳ１７１にて実行される処理の一例を示すフローチャートである。図２３に示す可変表示開始設定処理において、演出制御用ＣＰＵ１２０は、まず、例えば主基板１１から伝送された可変表示結果通知コマンドにおけるＥＸＴデータを読み取ることなどにより、特図表示結果が「ハズレ」となるか否かを判定する（ステップＳ５２１）。特図表示結果が「ハズレ」となる旨の判定がなされたときには（ステップＳ５２１；Ｙｅｓ）、例えば主基板１１から伝送された可変表示パターン指定コマンドにおけるＥＸＴデータを読み取ることなどにより、指定された可変表示パターンが飾り図柄の可変表示態様を「非リーチ」とする場合に対応した非リーチ可変表示パターン（ＰＡ１−１〜ＰＡ１−３）であるか否かを判定する（ステップＳ５２２）。
【０２２２】
ステップＳ５２２にて非リーチ可変表示パターンであると判定された場合には（ステップＳ５２２；Ｙｅｓ）、非リーチ組合せを構成する最終停止図柄となる確定飾り図柄の組合せを決定する（ステップＳ５２３）。一例として、ステップＳ５２３の処理では、まず、ＲＡＭ１２２に設けられたランダムカウンタ等により更新される左確定図柄決定用の乱数値を示す数値データを抽出し、ＲＯＭ１２１などに予め記憶された所定の左確定図柄決定テーブルを参照することなどにより、確定飾り図柄のうち画像表示装置５の表示領域における「左」の飾り図柄表示エリア５Ｌに停止表示される左確定飾り図柄を決定する。次に、ＲＡＭ１２２に設けられたランダムカウンタ等により更新される右確定図柄決定用の乱数値を示す数値データを抽出し、ＲＯＭ１２１などに予め記憶された所定の右確定図柄決定テーブルを参照することなどにより、確定飾り図柄のうち画像表示装置５の表示領域における「右」の飾り図柄表示エリア５Ｒに停止表示される右確定飾り図柄を決定する。このときには、右確定図柄決定テーブルにおける設定などにより、右確定飾り図柄の図柄番号が左確定飾り図柄の図柄番号とは異なるように、決定されるとよい。続いて、ＲＡＭ１２２に設けられたランダムカウンタ等により更新される中確定図柄決定用の乱数値を示す数値データを抽出し、ＲＯＭ１２１などに予め記憶された所定の中確定図柄決定テーブルを参照することなどにより、確定飾り図柄のうち画像表示装置５の表示領域における「中」の飾り図柄表示エリア５Ｃに停止表示される中確定飾り図柄を決定する。
【０２２３】
ステップＳ５２２にて非リーチ可変表示パターンではないと判定された場合（ＰＡ２−１〜ＰＡ２−８のいずれかである場合）には（ステップＳ５２２；Ｎｏ）、リーチ組合せを構成する最終停止図柄となる確定飾り図柄の組合せを決定する（ステップＳ５２４）。一例として、ステップＳ５２４の処理では、まず、ＲＡＭ１２２に設けられたランダムカウンタ等により更新される左右確定図柄決定用の乱数値を示す数値データを抽出し、ＲＯＭ１２１などに予め記憶された所定の左右確定図柄決定テーブルを参照することなどにより、確定飾り図柄のうち画像表示装置５の表示領域における「左」と「右」の飾り図柄表示エリア５Ｌ、５Ｒにて揃って停止表示される図柄番号が同一の飾り図柄を決定する。さらに、ＲＡＭ１２２に設けられたランダムカウンタ等により更新される中確定図柄決定用の乱数値を示す数値データを抽出し、ＲＯＭ１２１などに予め記憶された所定の中確定図柄決定テーブルを参照することなどにより、確定飾り図柄のうち画像表示装置５の表示領域における「中」の飾り図柄表示エリア５Ｃにて停止表示される中確定飾り図柄を決定する。ここで、例えば中確定飾り図柄の図柄番号が左確定飾り図柄及び右確定飾り図柄の図柄番号と同一になる場合のように、確定飾り図柄が大当り組合せとなってしまう場合には、任意の値（例えば「１」）を中確定飾り図柄の図柄番号に加算または減算することなどにより、確定飾り図柄が大当り組合せとはならずにリーチ組合せとなるようにすればよい。あるいは、中確定飾り図柄を決定するときには、左確定飾り図柄及び右確定飾り図柄の図柄番号との差分（図柄差）を決定し、その図柄差に対応する中確定飾り図柄を設定してもよい。
【０２２４】
ステップＳ５２１にて特図表示結果が「ハズレ」ではないと判定されたときには（ステップＳ５２１；Ｎｏ）、大当り組合せを構成する最終停止図柄となる確定飾り図柄の組合せを決定する（ステップＳ５２５）。一例として、ステップＳ５２５の処理では、まず、ＲＡＭ１２２のランダムカウンタなどにより更新される大当り確定図柄決定用の乱数値を示す数値データを抽出し、続いてＲＯＭ１２１などに予め記憶された所定の大当り確定図柄決定テーブルを参照することなどにより、画像表示装置５の画面上で「左」、「中」、「右」の飾り図柄表示エリア５Ｌ、５Ｃ、５Ｒに揃って停止表示される図柄番号が同一の飾り図柄を決定する。
【０２２５】
ステップＳ５２５の処理を実行した後には、例えば主基板１１から伝送された大当り回数通知コマンドにおけるＥＸＴデータを読み取ることなどにより、大当り回数を特定する（ステップＳ５２６）。そして、ステップＳ５２６にて特定された大当り回数をＲＡＭ１２２に設けられた大当り回数カウンタにセットすることにより、大当り回数カウンタおける格納値（大当り回数カウント値）を更新する（ステップＳ５２７）。続いて、更新後の大当り回数カウント値が“７”であるか否かを判定する（ステップＳ５２８）。このとき、大当り回数カウント値が“７”であれば（ステップＳ５２８；Ｙｅｓ）、例えば主基板１１から伝送された遊技状態指定コマンドにおけるＥＸＴデータを読み取ることなどにより、高確低ベース状態に制御されているか否かを判定する（ステップＳ５２９）。
【０２２６】
ステップＳ５２９にて高確低ベース状態に制御されていると判定した場合（ステップＳ５２９；Ｙｅｓ）、報知演出に発展するか否かを煽ることにより、報知演出に発展する可能性を示唆する煽り演出の実行設定を行うとともに（ステップＳ５３０）、例えばＲＡＭ１２２などに設けられた報知演出フラグをオン状態にセットする（ステップＳ５３１）。煽り演出の実行設定では、煽り演出を実行する演出制御パターンが使用パターンとして設定される。なお、煽り演出を実行する演出制御パターンは、複数用意され、可変表示パターン指定コマンドにより指定された可変表示パターン（可変表示時間）に応じて、飾り図柄の可変表示中の期間において煽り演出を実行可能な長さの演出制御パターンを選択するようにしてもよい。
【０２２７】
ステップＳ５２８にて大当り回数カウント値が“７”以外である場合や（ステップＳ５２８；Ｎｏ）、ステップＳ５２９にて高確低ベース状態に制御されていないと判定した場合（ステップＳ５２９；Ｎｏ）、ステップＳ５３３の処理を実行した後には、大当り回数カウント値及び遊技状態（遊技状態指定コマンドに基づいて特定すればよい。）に応じて、飾り図柄の可変表示における演出モードの決定を行う（ステップＳ５３４）。例えば、遊技状態が低ベース状態のときには、演出モードを、大当り回数カウント値「０」〜「７」に応じて、低ベース演出モード０〜６の何れかに決定する（但し、今回のステップＳ１７１において大当り回数カウント値がステップＳ５２７の実行によって更新されている場合には、今回のステップＳ１７１においてのみ大当り回数カウント値を「１」減じるとよい。これによって、大当り時の可変表示において演出が発展してしまうことを防止する。）。遊技状態が高ベース状態のときには、演出モードを、大当り回数カウント値「０」〜「７」に応じて（但し、今回のステップＳ１７１において大当り回数カウント値がステップＳ５２７の実行によって更新されている場合には、今回のステップＳ１７１においてのみ大当り回数カウント値を「１」減じるとよい。これによって、大当り時の可変表示において演出が発展してしまうことを防止する。）、高ベース演出モード０〜６の何れかに決定する。遊技状態が中ベース状態のときには、演出モードを、特別演出モードに決定する。低ベース演出モード０は、低確低ベース状態のときの演出モードであり、高ベース演出モード０は、低確高ベース状態のときの演出モードである。低ベース演出モード１〜６は、高確低ベース状態のときの演出モードであり、高ベース演出モード１〜６は、高確高ベース状態のときの演出モードである。
【０２２８】
ステップＳ５３４のあと、演出制御用ＣＰＵ１２０は、例えば可変表示パターン指定コマンドにより指定された可変表示パターンが、カウント値示唆演出を実行するパターン（ＰＡ２−５〜ＰＡ２−６、ＰＡ３−５〜ＰＡ３−６）であるかを判定し（ステップＳ５３６）、カウント値示唆演出を実行するパターンである場合（ステップＳ５３６；Ｙｅｓ）、カウント値示唆演出の実行設定を行う（ステップＳ５３７）。カウント値示唆演出の実行設定では、例えば、カウント値示唆演出が実行される演出制御パターンが使用パターンとして設定される。カウント値示唆演出を実行する演出制御パターンは、複数用意され、可変表示パターン指定コマンドにより指定された可変表示パターン（可変表示時間）に応じて、飾り図柄の可変表示中の期間においてカウント値示唆演出が実行可能な長さの演出制御パターンを選択するようにしてもよい。また、上記で決定された演出モードに応じて異なる演出制御パターンを選択するようにして、演出モードに応じたカウント値示唆演出を実行するようにしてもよい。
【０２２９】
ステップＳ５３７のあと、又は、可変表示パターンがカウント値示唆演出を実行するパターンでない場合（ステップＳ５３６；Ｎｏ）、演出制御用ＣＰＵ１２０は、例えば可変表示パターン指定コマンドにより指定された可変表示パターンが、抽選結果示唆演出を実行するパターン（ＰＡ２−７〜ＰＡ２−８、ＰＡ３−７〜ＰＡ３−８）であるかを判定し（ステップＳ５３８）、抽選結果示唆演出を実行するパターンである場合（ステップＳ５３８；Ｙｅｓ）、抽選結果示唆演出の実行設定を行う（ステップＳ５３９）。
【０２３０】
抽選結果示唆演出の実行設定では、例えば、まず、抽選結果示唆演出の演出結果として、転落抽選に当選したことを報知するのか（当選報知を行うのか）、転落抽選に落選したことを報知するのか（落選報知を行うのか）、を決定する。この決定は、例えば、演出制御用ＣＰＵ１２０が、ランダムカウンタから所定の転落抽選結果報知決定用の乱数値を示す数値データを抽出し、抽出した乱数値に基づき、ＲＯＭ１２１に記憶された転落抽選結果報知決定テーブルを参照することにより行う。
【０２３１】
転落抽選結果報知決定テーブルとしては、第１転落抽選結果報知決定テーブルと第２転落抽選結果報知決定テーブルとが用意されており、主基板１１から伝送されてくる転落抽選結果通知コマンドによって通知される抽選結果が転落抽選当選である場合には、第１転落抽選結果報知決定テーブルを使用テーブルにセットして参照する。転落抽選結果通知コマンドによって通知される抽選結果が転落抽選落選である場合には、第２転落抽選結果報知決定テーブルを使用テーブルにセットして参照する。
【０２３２】
第１及び第２転落抽選結果報知決定テーブルでは、抽選結果示唆演出において当選報知を行うのか、落選報知を行うのかの決定結果それぞれに転落抽選結果報知決定用の乱数値と比較される決定値が割り当てられている。演出制御用ＣＰＵ１２０は、例えば、転落抽選結果報知決定用の乱数値と、前記各決定結果に割り当てられた決定値とを比較して、抽選結果示唆演出において当選報知を行うのか、落選報知を行うのかを決定する。
【０２３３】
そして、演出制御用ＣＰＵ１２０は、抽選結果示唆演出において当選報知を行うと決定した場合には、転落抽選に当選したことを最終的に報知する抽選結果示唆演出を実行する演出制御パターンを使用パターンとして設定する。抽選結果示唆演出において落選報知を行うと決定した場合には、転落抽選に落選したことを最終的に報知する抽選結果示唆演出を実行する演出制御パターンを使用パターンとして設定する。抽選結果示唆演出を実行する演出制御パターンは、落選報知、転落報知ごとに複数用意され、可変表示パターン指定コマンドにより指定された可変表示パターン（可変表示時間）に応じて、飾り図柄の可変表示中の期間において抽選結果示唆演出が実行可能な長さの演出制御パターンを選択するようにしてもよい。また、上記で決定された演出モードに応じて異なる演出制御パターンを選択するようにして、演出モードに応じた抽選結果示唆演出を実行するようにしてもよい。
【０２３４】
第１及び第２転落抽選結果報知決定テーブルでは、前記各決定結果に割り当てられている決定値の範囲が異なる。第１転落抽選結果報知決定テーブルでは、図２４（Ａ）に示すように、１／１０の割合で落選報知を行い、９／１０の割合で当選報知を行うと決定される。第２転落抽選結果報知決定テーブルでは、図２４（Ｂ）に示すように、９／１０の割合で落選報知を行い、１／１０の割合で当選報知を行うと決定される。これらから分かるように、落選報知や当選報知は、必ずしも正確なものでなくてもよい。
【０２３５】
その後、飾り図柄の可変表示の演出制御パターンを予め用意された複数パターンのいずれかに決定する（ステップＳ５４０）。このとき、演出制御用ＣＰＵ１２０は、例えば可変表示パターン指定コマンドにより指定された可変表示パターン及び演出モードなどに対応して、複数用意された特図可変表示用の演出制御パターンのいずれかを選択し、使用パターンとしてセットする。これによって、演出モードに応じた飾り図柄の可変表示やリーチ演出が実行される。なお、上記のように、ステップＳ５３４にて大当り回数カウント値を「１」〜「６」から「１」減じた場合には、大当り遊技状態後に演出モードが発展するので、演出モードを発展される可変表示を実行するための演出制御パターンを選択するとよい。
【０２３６】
ステップＳ５４０の処理を実行した後には、例えば可変表示パターン指定コマンドにより指定された可変表示パターンに対応して、ＲＡＭ１２２に設けられた演出制御プロセスタイマの初期値を設定する（ステップＳ５４１）。続いて、画像表示装置５における飾り図柄などの可変表示を開始させるための設定を行う（ステップＳ５４２）。このときには、例えばステップＳ５４０などにて使用パターンとして決定された演出制御パターンに含まれる表示制御データが指定する表示制御指令を表示制御部１２３のＶＤＰ等に対して伝送させることなどにより、画像表示装置５の画面上に設けられた「左」、「中」、「右」の各飾り図柄表示エリア５Ｌ、５Ｃ、５Ｒにて飾り図柄の可変表示を開始させればよい。その後、演出プロセスフラグの値を可変表示中演出処理に対応した値である“２”に更新してから（ステップＳ５４３）、可変表示開始設定処理を終了する。
【０２３７】
図２５は、図２２に示すステップＳ１７２の可変表示中処理の一例を示すフローチャートである。図２５に示す可変表示中処理において、演出制御用ＣＰＵ１０１は、まず、例えば所定の演出制御プロセスタイマ値を更新（例えば１減算）してから（ステップＳ５６１）、更新後の演出制御プロセスタイマ値をステップＳ５４０で使用パターンとしてセットした演出制御パターン（飾り図柄の可変表示用の演出制御パターン）にて示される演出制御プロセスタイマ判定値と比較して、いずれかのタイマ判定値と合致したか否かの判定を行う（ステップＳ５６２）。そして、いずれのタイマ判定値とも合致しなければ（ステップＳ５６２；Ｎｏ）、可変表示中処理を終了する。
【０２３８】
ステップＳ５６２にてタイマ判定値と合致した場合には（ステップＳ５６２；Ｙｅｓ）、そのタイマ判定値と対応付けて演出制御パターン（ステップＳ１７１で使用パターンとしてセットされた全ての演出制御パターン）に含まれる各種制御データ（例えば、表示制御データ、音声制御データ、ランプ制御データ、可動部材制御データの一部又は全部）又は終了コードを読み出す（ステップＳ５６３）。ここで、ステップＳ５６２の処理で複数の演出制御パターンにて示される複数のタイマ判定値が演出制御プロセスタイマ値と合致した場合には、合致した各々のタイマ判定値と対応付けて格納されている複数の演出制御実行データを、ステップＳ５６３の処理にて読み出すようにすればよい。そして、ステップＳ５６３にて飾り図柄の可変表示用の演出制御パターンから終了コードが読み出されたか否かの判定を行う（ステップＳ５６４）。このとき、終了コードではないと判定されれば（ステップＳ５６４；Ｎｏ）、ステップＳ５６３にて読み出された各種制御データに従った演出動作の制御を実行してから（ステップＳ５６５）、可変表示中処理を終了する。例えば、ステップＳ５６５の処理では、表示制御データが指定する表示制御指令をＶＤＰに対して伝送させること、音声制御データが指定する音声データ（音番号データ）に応じた指令（効果音信号）を音声出力基板１３に対して伝送させること、ランプ制御データが指定する信号出力（電飾信号）をランプ制御基板１４に対して行うことのうち、一部又は全部が順次に又は並行して（１つの動作のみであれば単独で）行われるようにしてもよい。
【０２３９】
ステップＳ５６５の処理では、ステップＳ５３１にて煽り演出の実行設定が行われた場合、報知演出に発展するか否かを煽ることにより、報知演出に発展する可能性を示唆する煽り演出となる演出動作の制御が実行される。また、大当り回数カウント値が１加算されて更新されて演出モードが発展するときには、例えば、大当り組合せとなる役物煽り無し図柄が停止表示された後、役物煽り発展図柄への発展に失敗したタイミングで、演出モードを発展させればよい。これに対して、大当り回数カウント値が“０”に更新された場合には、転落抽選に当選したとして、飾り図柄の可変表示の開始タイミングに演出モードを初期化すればよい。ステップＳ５３７にてカウント値示唆演出の実行設定が行われた場合には、カウント値を示唆するなどするカウント値示唆演出となる演出動作の制御が行われる。このカウント値示唆演出は、大当り回数が閾値“５”以上である場合、閾値未満である場合に比べて高い割合で実行される。ステップＳ５３９にて抽選結果示唆演出の実行設定が行われた場合には、抽選結果を示唆するなどする抽選結果示唆演出となる演出動作の制御が行われる。この抽選結果示唆演出は、大当り回数が閾値“５”以上である場合、閾値未満である場合に比べて高い割合で実行される。
【０２４０】
ステップＳ５６４にて終了コードであると判定された場合には（ステップＳ５６４；Ｙｅｓ）、例えば当り開始指定コマンド受信待ち時間に応じた所定のタイマ初期値を所定の演出制御プロセスタイマに設定することなどにより、当り開始指定コマンド受信待ち時間の設定を行う（ステップＳ５６６）。そして、演出プロセスフラグの値を飾り図柄可変表示終了時処理に対応した値である“３”に更新してから（ステップＳ５６７）、可変表示中処理を終了する。なお、主基板１１から演出制御基板１２に対して図柄確定コマンドが送信される場合において、大当り遊技状態に制御されないときには、ステップＳ５６４にて終了コードであると判定されたときに、「左」、「中」、「右」の図柄表示エリア５Ｌ、５Ｃ、５Ｒにて例えば飾り図柄の揺れ可変表示を行うように仮停止表示させ、図２２に示すステップＳ１７３の特図当り待ち処理にて図柄確定コマンドを受信したことに応答して、飾り図柄を完全停止（最終停止）させてもよい。これに対して、大当り遊技状態に制御されるときには、ステップＳ５６４にて終了コードであると判定されたときにも、図２２に示すステップＳ１７３の特図当り待ち処理にて図柄確定コマンドを受信するまで、飾り図柄の可変表示及びスーパーリーチとなるリーチ演出を継続するようにしてもよい。
【０２４１】
図２６は、図２２のステップＳ１７５にて実行される大当り中演出処理の一例を示すフローチャートである。この大当り中演出処理において、演出制御用ＣＰＵ１２０は、まず、主基板１１から伝送される大当り終了指定コマンドの受信があったか否かを判定する（ステップＳ６０１）。このとき、大当り終了指定コマンドの受信があれば（ステップＳ６０１；Ｙｅｓ）、大当り遊技状態に対応して行われる大当り中演出等を終了するための設定を行い（ステップＳ６０２）、演出プロセスフラグの値をエンディング演出処理に対応した“６”に更新してから（ステップＳ６０３）、大当り中演出処理を終了する。一例として、ステップＳ６０２の処理では、表示制御部１２３に対して所定の表示制御指令を供給することや、所定の効果音信号を音声制御基板１３に対して伝送すること、所定の電飾信号をランプ制御基板１４に対して伝送することなどにより、大当り中演出となる演出動作を終了させる制御が行われるようにすればよい。
【０２４２】
ステップＳ６０１にて大当り終了指定コマンドの受信がない場合には（ステップＳ６０１；Ｎｏ）、ＲＡＭ１２２に設けられた報知演出中フラグがオンであるか否かを判定する（ステップＳ６０４）。このとき、報知演出中フラグがオフであれば（ステップＳ６０４；Ｎｏ）、続いて、ＲＡＭ１２２に設けられた報知演出実行フラグがオンであるか否かを判定する（ステップＳ６０５）。
【０２４３】
ステップＳ６０５にて報知演出実行フラグがオンであれば（ステップＳ６０５；Ｙｅｓ）、演出制御プロセスタイマ値が所定の報知演出開始判定値と合致するか否かにより、報知演出開始タイミングとなったか否かを判定する（ステップＳ６０６）。このとき、報知演出開始タイミングとなっていれば（ステップＳ６０６；Ｙｅｓ）、例えば主基板１１から伝送された特定期間通知コマンドにおけるＥＸＴデータを読み取ることなどにより、特定期間として決定された特図ゲームの実行回数を報知する報知演出を開始するための設定を行う（ステップＳ６０７）。ステップＳ６０７の処理では、報知演出実行フラグをクリアしてオフ状態する処理や、報知演出中フラグをオン状態にセットする処理や、報知演出を実行する演出制御パターンを使用パターンとしてセットする処理などが行われればよい。
【０２４４】
ステップＳ６０４にて報知演出中フラグがオンである場合には（ステップＳ６０４；Ｙｅｓ）、演出制御プロセスタイマ値が所定の報知演出終了判定値と合致するか否かにより、報知演出終了タイミングとなったか否かを判定する（ステップＳ６０８）。このとき、報知演出終了タイミングでなければ（ステップＳ６０８；Ｎｏ）、報知演出を実行するための設定を行う（ステップＳ６０９）。一例として、ステップＳ６１０の処理では、演出制御プロセスタイマ値に応じて前記使用パターンとしてセットした演出制御パターンから読み出した制御データに従い、表示制御指令を表示制御部１２３に供給すること、効果音信号を音声制御基板１３に対して伝送すること、電飾信号をランプ制御基板１４に対して伝送することなどにより、報知演出となる演出動作を実行させる。具体的に、報知演出では、画像表示装置５の表示領域にて、例えばクルーンでＶ入賞するか否かを煽る演出画像を表示すればよい。そして、Ｖ入賞した場合には、Ｖ入賞しなかった場合に比べて多くの特図ゲームの実行回数（例えば６回〜８回）を特定期間として報知するようにし、Ｖ入賞しなかった場合には、Ｖ入賞した場合に比べて少ない特図ゲームの実行回数（例えば２回〜５回）を特定期間として報知すればよい。
【０２４５】
ステップＳ６０９にて報知演出終了タイミングとなった場合には（ステップＳ６０９；Ｙｅｓ）、報知演出を終了するための設定を行う（ステップＳ６１０）。ステップＳ６１０の処理では、報知演出中フラグをクリアしてオフ状態とする処理などが行われればよい。こうしたステップＳ６１０の処理を実行した後には、大当り中演出処理を終了する。
【０２４６】
ステップＳ６０５にて報知演出実行フラグがオフである場合や（ステップＳ６０５；Ｎｏ）、報知演出の開始タイミングではない場合には（ステップＳ６０６；Ｎｏ）、大当り遊技状態におけるラウンドの実行回数であるラウンド数に応じた大当り中演出となる演出動作を実行するための設定を行う（ステップＳ６１１）。一例として、ステップＳ６１１の処理では、主基板１１から伝送された通常開放ラウンド大当り用の大入賞口開放中指定コマンド（例えば、大入賞口を開放したときに主基板側で送信設定される。）などから、大当り遊技状態におけるラウンド数を特定する。そして、ラウンド数が更新されたときには、更新後のラウンド数に対応する演出制御パターンを各種演出制御パターンテーブルから読み出し、演出制御プロセスタイマの設定を行う。その後、演出制御プロセスタイマ値に応じて演出制御パターンから読み出した制御データに従い、表示制御指令を表示制御部１２３に供給すること、効果音信号を音声制御基板１３に対して伝送すること、電飾信号をランプ制御基板１４に対して伝送することなどにより、大当り中演出となる演出動作を実行させる。こうしたステップＳ６１１の処理を実行した後に、大当り中処理を終了する。これによって、大当り遊技状態に応じた演出が実行される。
【０２４７】
次に、画像表示装置における演出動作を説明する。
【０２４８】
飾り図柄の可変表示中には、カウント値示唆演出が実行される（図２７参照）。カウント値示唆演出は、例えば、所定割合で、リーチ成立後に実行される。カウント値示唆演出は、演出モードによらず共通であってもよいし、演出モードに応じて登場キャラクタを異ならせる等して演出態様を異ならせてもよい。
【０２４９】
なお、抽選結果示唆演出も、演出モードによらず共通であってもよいし、演出モードに応じて登場キャラクタを異ならせる等して演出態様を異ならせてもよい。
【０２５０】
カウント値示唆演出では、例えば、「リミッタ発動？」という文字を表示することで、確変リミッタが作動するかもしれないことが示唆される（図２８参照）。なお、大当り回数が７回であるときには、カウント値示唆演出にて確変リミッタが作動することを最終的に報知する演出制御パターンを所定割合でセットし、大当り回数が７回未満であるときには、カウント値示唆演出にて確変リミッタが作動しないことを最終的に報知する演出制御パターンを所定割合でセットし、例えば、確変リミッタが作動するかもしれないことを煽る演出（例えば、バトル演出など）と、この演出のあとに演出の結果として確変リミッタが作動するか否かを遊技者に報知する演出（例えば、バトル演出にて味方キャラクタが勝つことで確変リミッタが作動することを報知し、バトル演出にて味方キャラクタが負けることで確変リミッタが作動することを報知する演出など）と、を含む演出をカウント値示唆演出として実行するようにしてもよい。
【０２５１】
また、カウント値示唆演出は、図２９のように、エンディング期間でも実行されることになる。なお、カウント値示唆演出は、飾り図柄の可変表示中と、大当り遊技状態中とのいずれか一方のみで実行され得るものであってもよい。
【０２５２】
図３０及び図３１は、遊技状態の遷移及び画像表示装置における演出動作を説明するためのタイミングチャートである。なお、以下では特に言及しないが、各演出モードにおける飾り図柄の可変表示中に、カウント値示唆演出や抽選結果示唆演出などは適宜実行される。
【０２５３】
まず、低確低ベース状態中に可変表示結果が「大当り」となって大当り遊技状態に制御された場合、その終了後、主基板１１の側では、ＣＰＵ１０３が、図３０（Ａ）に示すように、高確低ベース状態に制御するとともに、高確低ベースカウンタによるカウントを開始する。具体的には、高確低ベース状態中に可変表示結果を「大当り」とすると決定する毎に、高確低ベースカウンタにおける格納値（高確低ベースカウント値）を１加算して更新する。
【０２５４】
一方、演出制御基板１２の側では、演出制御陽ＣＰＵ１２０が、高確低ベース状態中、その間に大当り遊技状態に制御された回数（大当り回数）に応じて、低ベース演出モード（この例では低ベース演出モード１〜６）を有利に発展させていく。具体的には、大当り組合せとなる役物煽り無し図柄が停止表示された後、役物煽り発展図柄への発展に失敗したタイミングで、演出モードを発展させればよい。演出モードが発展していくと、例えば、飾り図柄の可変表示において背景が変化する、リーチ演出などにおける登場キャラクタが変化するなどし、例えば、大当り遊技状態に制御されやすくなるような印象をより遊技者に与えやすくなったり、遊技者の興味のある画像が表示されたりする。低ベース演出モードでは、遊技者は現在が低ベースであることを認識できるようにしてもよい。なお、低確低ベース状態中では、低ベース演出モード０が演出モードになる。
【０２５５】
ここで、高確低ベース状態中に確変転落抽選に当選した場合、主基板１１の側では、ＣＰＵ１０３が、図３０（Ａ）に示すように、低確低ベース状態に制御するとともに、高確低ベースカウント値を初期化して“０”にする。
【０２５６】
そして、演出制御基板１２の側では、演出制御用ＣＰＵ１２０が、可変表示中演出処理を実行することにより、低ベース演出モード０の飾り図柄の可変表示等が実行される。演出制御用ＣＰＵ１２０は、飾り図柄の可変表示の開始時に低ベース演出モードを初期化して、演出モード０にする。
【０２５７】
可変表示結果が「大当り」になり、高確低ベースカウント値が“７”となった場合、主基板１１の側では、ＣＰＵ１０３が、特定期間を決定するとともに、特定期間として決定した特図ゲームの実行回数（この例では「５」）を特定期間カウンタにカウント初期値としてセットする。
【０２５８】
一方、演出制御基板１２の側では、演出制御用ＣＰＵ１２０が、大当り回数が“７”となったことに応じて、煽り演出を実行する。具体的に、煽り演出では、大当り組合せとなる役物煽り無し図柄を停止表示させた後、役物煽り発展図柄に発展するか否かを煽る演出画像を表示し、役物煽り発展図柄に発展させて大当り組合せとなる役物煽り発展図柄を最終停止図柄として導出表示させる。
【０２５９】
その後、演出制御用ＣＰＵ１２０は、大当り遊技状態中に、前記で決定された特定期間を遊技者に報知する報知演出を実行する。具体的に、報知演出では、画像表示装置５の表示領域にて、例えばクルーンでＶ入賞するか否かを煽る演出画像を表示する。そして、Ｖ入賞した場合には、Ｖ入賞しなかった場合に比べて多くの特図ゲームの実行回数（例えば６回〜８回）を特定期間として報知し、Ｖ入賞しなかった場合には、Ｖ入賞した場合に比べて少ない特図ゲームの実行回数（例えば２回〜５回）を特定期間として報知する。
【０２６０】
大当り遊技状態の終了後、主基板１１の側では、ＣＰＵ１０３が、高確低ベースカウンタを初期化してカウント値を“０”に更新するとともに、特定期間フラグをオン状態にセットして特定期間カウンタによるカウントを開始する。そして、低確中ベース状態に制御して特定期間を開始する。特定期間中では、特別演出モード（例えば、現在が特定期間であることを煽る演出モード）で可変表示などが実行される。
【０２６１】
その後、特定期間中に大当り遊技状態に制御した場合、ＣＰＵ１０３は、図３１（Ａ）に示すように、高確高ベース状態に制御するとともに、高確高ベースカウンタによるカウントを開始する。具体的には、高確高ベース状態中に可変表示結果を「大当り」とすると決定する毎に、高確高ベースカウンタにおける格納値（高確高ベースカウント値）を１加算して更新する。
【０２６２】
一方、演出制御基板１２の側では、演出制御陽ＣＰＵ１２０が、高確高ベース状態中、その間に大当り遊技状態に制御された回数（大当り回数）に応じて、高ベース演出モード（この例では高ベース演出モード１〜６）を有利に発展させていく。具体的には、大当り組合せとなる役物煽り無し図柄が停止表示された後、役物煽り発展図柄への発展に失敗したタイミングで、演出モードを発展させればよい。演出モードが発展していくと、例えば、飾り図柄の可変表示において背景が変化する、リーチ演出などにおける登場キャラクタが変化するなどし、例えば、大当り遊技状態に制御されやすくなるような印象をより遊技者に与えやすくなったり、遊技者の興味のある画像が表示されたりする。高ベース演出モードでは、遊技者は現在が高ベースであることを認識できるようにしてもよい。高ベース演出モードで実行されるリーチ演出などの各種演出は、低ベース演出モードと異なるようにしてもよい。なお、低確高ベース状態中では、低ベース演出モード０が演出モードになる。
【０２６３】
ここで、高確高ベース状態中に確変転落抽選に当選した場合には、高確中フラグをクリアしてオフ状態にして、低確高ベース状態に制御するとともに、高確高ベースカウンタを初期化してカウント値を“０”にする。この場合には、演出モードも高ベース演出モード０になる。
【０２６４】
これに対して、高確高ベース状態中に確変転落抽選に落選し、その後、高確高ベースカウント値が“７”となった場合には、図３１（Ｂ）に示すように、高確高ベースカウンタを初期化してカウント値を“０”にするとともに、低確低ベース状態に制御する。この場合には、演出モードも低ベース演出モード０になる。
【０２６５】
以上説明したように、本実施の形態におけるパチンコ遊技機１によれば、以下の効果を奏することができる。
【０２６６】
低確低ベース状態に制御されているときに、可変表示結果が「大当り」となったことに基づいて、大当り遊技状態に制御された場合、その終了後には、高確低ベース状態に移行制御されるとともに、高確低ベースカウンタによるカウントが開始される。高確低ベースカウンタは、高確低ベース状態の移行後における大当り遊技状態の制御回数をカウントするものである。高確低ベース状態カウンタにおける格納値（高確低ベースカウント値）は、高確低ベース状態に移行した後、可変表示結果を「大当り」とすると決定される毎に、１加算されることにより更新される。そして、高確低ベースカウント値は、所定の上限値「７」に達したときや確変転落抽選に当選したときに初期化されてカウンタ初期値「０」に更新される。
【０２６７】
高確低ベース状態に移行制御された後、高確低ベースカウント値が「７」に達する以前に、確変転落抽選に当選した場合には、高確低ベースカウント値が「０」に初期化されるとともに、低確低ベース状態に移行制御される。これに対して、高確低ベース状態に移行制御された後、確変転落抽選に当選することなく、高確低ベースカウント値が上限値「７」に達した場合（確変リミッタが作動した場合）には、大当り遊技状態の終了後、すなわち高確低ベース状態の終了後の特定期間（この実施の形態では特図ゲームが２〜８回実行される期間）、低確中ベース遊技状態に移行制御される。
【０２６８】
低確中ベース状態に制御されているときに、可変表示結果が「大当り」となったことに基づいて、大当り遊技状態に制御された場合、その終了後には、高確高ベース状態に移行制御されるとともに、高確高ベースカウンタによるカウントが開始される。高確高ベース状態に移行制御された後、高確高ベースカウント値が「７」に達する以前に、確変転落抽選に当選した場合には、高確高ベースカウント値が「０」にリセットされて高確状態が終了される一方で、高ベース状態が継続されることにより、低確高ベース状態に移行制御される。これに対して、高確高ベース状態に移行制御された後、確変転落抽選に当選することなく、確変回数カウント値が上限値「７」に達した場合（確変リミッタが作動した場合）には、大当り遊技状態の終了後、すなわち高確高ベース状態の終了後、低確低ベース状態に移行制御される。
【０２６９】
このように、高確低ベース状態に制御されている場合には、高確低ベースカウント値が上限値「７」に達することなく転落抽選に当選すれば、低確低ベース状態に移行する一方で、転落抽選に当選することなく高確低ベースカウント値が上限値「７」に達すれば（確変リミッタが作動すれば）、高確高ベース状態に移行する可能性がある。これに対して、高確高ベース状態に制御されている場合には、高確高ベースカウント値が上限値「７」に達することなく転落抽選に当選すれば、高確状態が終了するが、高確高ベースカウント値が「０」にリセットされるとともに、高ベース状態が継続されることにより、低確高ベース状態に移行制御される。その一方で、転落抽選に当選することなく高確高ベースカウント値が上限値「７」に達すれば（確変リミッタが作動すれば）、低確低ベース状態に移行する。このため、遊技者は、高確低ベース状態に制御されている場合、転落抽選に当選することなく高確高ベースカウント値が上限値「７」に達すること（確変リミッタが作動すること）を期待する一方で、高確低ベース状態に制御されている場合には、カウント回数が上限回数に達することなく転落抽選に当選することを期待する。このように、低ベース状態と高ベース状態とのいずれに制御されているかに応じて、遊技者の期待の対象が異なってくるので、遊技に減り張りを付けることができ、遊技の興趣が向上する。
【０２７０】
高確低ベース状態に制御されているときに、転落抽選に当選することなく高確低ベースカウント値が上限値「７」に達して確変リミッタが作動した場合には、特定期間となる特図ゲームの実行回数（この実施の形態では２回〜８回）を報知する報知演出が実行される。報知演出では、画像表示装置５の表示領域にて、例えばクルーンでＶ入賞するか否かを煽る演出画像を表示すればよい。そして、Ｖ入賞した場合には、Ｖ入賞しなかった場合に比べて多くの特図ゲームの実行回数（例えば６回〜８回）を特定期間として報知するようにし、Ｖ入賞しなかった場合には、Ｖ入賞した場合に比べて少ない特図ゲームの実行回数（例えば２回〜５回）を特定期間として報知すればよい。
【０２７１】
これにより、複数種類の特定期間（特図ゲームが２回〜８回実行されるまでの期間）のうち、いずれの特定期間に決定されたかを報知する報知演出に遊技者を注目させることができるため、遊技の興趣が向上する。
【０２７２】
また、かかる報知演出に関連して、高確低ベース状態に制御されているときに確変リミッタが作動した場合における飾り図柄の可変表示中に、上記報知演出に発展するか否かを煽ることにより、報知演出に発展する可能性を示唆する煽り演出が実行される。煽り演出では、大当り組合せとなる役物煽り無し図柄（通常の飾り図柄）を停止表示させた後、役物煽り発展図柄に発展するか否かを煽る演出画像を表示し、役物煽り発展図柄に発展させて大当り組合せとなる役物煽り発展図柄を最終停止図柄として導出表示させればよい。
【０２７３】
このように、報知演出に発展するか否かを煽ることにより、報知演出に発展する可能性を示唆する煽り演出を実行することで、遊技者に報知演出に発展することに対する期待感を与えることができるため、遊技の興趣が向上する。
【０２７４】
さらに、高確低ベース状態に制御されているときには、低確高ベースカウント値に応じて、高確高ベース状態に制御されているときには、高確高ベースカウント値に応じて、飾り図柄の可変表示における演出モードを有利な演出モードに発展させていく。転落抽選に当選した場合には、演出モードが初期化されればよい。演出モードの発展タイミングは、例えば飾り図柄の可変表示中の所定のタイミングであってもよいし、確定飾り図柄の導出タイミングであってもよい。具体的には、大当り組合せとなる役物煽り無し図柄が停止表示された後、役物煽り発展図柄への発展に失敗したタイミングで、演出モードを発展させればよい。これに対して、転落抽選に当選した場合の演出モードの初期化タイミングは、転落抽選に当選していない場合における演出モードの発展タイミングよりも早いタイミング、例えば飾り図柄の可変表示の開始時や飾り図柄の可変表示中の上記所定のタイミングよりも早いタイミングであればよい。
【０２７５】
これにより、演出モードが発展することに対する遊技者の期待感を持続することができるため、遊技の興趣が向上する。
【０２７６】
さらに、この実施の形態では、飾り図柄の可変表示中に、転落抽選結果を示唆する転落抽選結果示唆演出が実行される。転落抽選結果示唆演出は、主基板１１の側で可変表示パターンが決定されることなどに対応して実行するか否かが決定されればよい。例えば、高確低ベースカウント値や高確高ベースカウント値が所定の閾値（例えば「５」）以上である場合には、閾値未満の場合に比べて高い割合で、転落抽選結果示唆演出を実行する可変表示パターンが決定されればよい。
【０２７７】
これにより、転落抽選結果示唆演出を実行する可変表示パターンの決定割合を、高確低ベースカウント値や高確高ベースカウント値が所定の閾値（例えば「５」）以上であるか否かに応じて異ならせることができるため、遊技の進行に応じて高確状態から低確状態への転落を適切に煽ることができる。なお、転落抽選結果示唆演出は、主基板１１の側で決定された可変表示パターンにかかわらず、演出制御基板１２の側で実行するか否かが決定されてもよい。具体的には、演出制御基板１２の側で、演出制御用ＣＰＵ１２０が、リーチ可変表示パターンや大当り可変表示パターンなどを指定する可変表示パターン指定コマンドを受信したときに、大当り回数カウント値などに応じて、転落抽選結果示唆演出の実行の有無などを決定すればよい。
【０２７８】
さらに、この実施の形態では、飾り図柄の可変表示中又は大当り遊技状態中（エンディング期間中）に、大当り回数カウント値などを示唆するカウント値示唆演出が実行される。カウント値示唆演出は、主基板１１の側で可変表示パターンが決定されることなどに対応して実行するか否かが決定されればよい。例えば、高確低ベースカウント値や高確高ベースカウント値が所定の閾値（例えば「５」）以上である場合には、閾値未満の場合に比べて高い割合で、カウント値示唆演出を実行する可変表示パターンが決定されればよい。
【０２７９】
これにより、カウント値示唆演出を実行する可変表示パターンの決定割合を、高確低ベースカウント値や高確高ベースカウント値が所定の閾値（例えば「５」）以上であるか否かに応じて異ならせることができるため、遊技の進行に応じて高確状態から低確状態への転落を適切に煽ることができる。なお、カウント値示唆演出は、主基板１１の側で決定された可変表示パターンにかかわらず、演出制御基板１２の側で実行するか否かが決定されてもよい。具体的には、演出制御基板１２の側で、演出制御用ＣＰＵ１２０が、リーチ可変表示パターンや大当り可変表示パターンなどを指定する可変表示パターン指定コマンドを受信したときに、大当り回数カウント値などに応じて、カウント値示唆演出の実行の有無などを決定すればよい。
【０２８０】
この実施の形態では、上記の構成によって、所定の始動条件が成立したこと（例えば、第１始動入賞口又は第２始動入賞口などに遊技媒体が進入して入賞が発生したことなど）に基づいて、各々を識別可能な複数種類の識別情報（例えば、第１特別図柄、第２特別図柄、飾り図柄など）の可変表示を行い、表示結果を導出表示する可変表示手段（例えば、第１特別図柄表示装置４Ａ、第２特別図柄表示装置４Ｂ、画像表示装置５など）に、前記表示結果として特定表示結果（例えば、大当り図柄、大当り組合せの確定飾り図柄など）が導出表示されたときに遊技者にとって有利な特定遊技状態（例えば、大当り遊技状態など）に制御するパチンコ遊技機１が構成される。
【０２８１】
そして、パチンコ遊技機１は、前記始動条件が成立したことに基づいて、特定遊技状態に制御するか否かを前記表示結果が導出表示される以前に決定する事前決定手段（例えば、ステップＳ２４５の処理を実行するＣＰＵ１０３など）と、特定遊技状態の終了後、低確率状態（例えば、低確状態など）よりも前記事前決定手段が特定遊技状態に制御すると決定する確率が高い高確率状態（例えば、確変状態など）に制御する高確率状態制御手段（例えば、ステップＳ３７５、ステップＳ３８０、ステップＳ３８２の処理を実行するＣＰＵ１０３など）と、前記高確率状態制御手段が前記高確率状態に制御する回数をカウント初期値からカウントしていく高確率状態カウント手段（例えば、ステップＳ３７５、Ｓ３８０、ステップＳ２５０、Ｓ２５１の処理を実行するＣＰＵ１０３など）と、前記高確率状態において前記低確率状態に転落させるか否かの転落抽選を行う転落抽選手段（例えば、ステップＳ２４０の処理を実行するＣＰＵ１０３など）と、前記高確率状態カウント手段でカウントされるカウント回数が所定の回数に達したときに、前記高確率状態制御手段が前記高確率状態に制御することを禁止するとともに、前記カウント回数を前記カウント初期値に設定する高確率状態禁止手段（例えば、ステップＳ３７６、Ｓ３７８、Ｓ３８３、Ｓ３８４の処理を実行するＣＰＵ１０３など）と、前記転落抽選手段による前記転落抽選に当選した場合、前記低確率状態に制御する転落当選時低確率状態制御手段（例えば、ステップＳ２４２の処理を実行するＣＰＵ１０３な）と、前記識別情報の可変表示の可変表示パターンを複数種類から選択する可変表示パターン選択手段（例えば、ステップＳ２６６の処理を実行するＣＰＵ１０３など）と、前記可変表示パターン選択手段が選択した前記可変表示パターンに応じて、前記識別情報の可変表示を制御する可変表示制御手段（例えば、ステップＳ１１２の処理などを実行するＣＰＵ１０３、ステップＳ１７２の処理などを実行する演出制御用ＣＰＵ１２０など）と、所定の高ベース移行条件が成立したことにより、通常ベース状態よりも前記始動条件が成立しやすい高ベース状態に制御するベース状態制御手段（例えば、ステップＳ３８０の処理を実行するＣＰＵ１０３など）と、を備えることになる。
【０２８２】
そして、前記可変表示パターン選択手段は、前記カウント回数と前記所定の回数との差に応じて異なる選択割合で前記可変表示パターンを選択し（例えば、図１２、１４、１６、１８参照）、前記高確率状態カウント手段は、前記カウント回数が前記所定の回数に達する前に前記転落抽選に当選した場合、前記カウント回数を前記カウント初期値にリセットし（例えば、ステップＳ２７０の処理を行うＣＰＵ１０３など）、前記ベース状態制御手段は、前記高ベース状態に制御されていないときには、前記事前決定手段によって特定遊技状態に制御すると決定されたが当該特定遊技状態の終了後に前記高確率状態に制御することが前記高確率状態禁止手段によって禁止され、かつ、当該特定遊技状態後の特定期間内に前記事前決定手段によって特定遊技状態に制御すると決定されたことを、前記高ベース移行条件として、当該制御すると決定された特定遊技状態の終了後に前記高ベース状態に制御し（例えば、ステップＳ３８０の処理など）、前記ベース状態制御手段は、前記高ベース状態に制御されているときに前記転落抽選に当選した場合には所定の割合（この実施の形態では「１０割」）で前記高ベース状態の制御を継続する一方で、前記高ベース状態に制御されておりかつ前記カウント回数が前記所定の回数に達しているときに前記事前決定手段によって特定遊技状態に制御すると決定された場合には当該特定遊技状態の終了後に前記所定の割合よりも低い割合（この実施の形態では「０割」）で前記高ベース状態の制御を継続する（例えば、ステップＳ３８２、Ｓ３８４の処理などを実行するＣＰＵ１０３など）ことになる。
【０２８３】
なお、前記カウント回数と前記所定の回数との差に応じて異なる選択割合（この実施の形態のように、高確低ベースカウント値や高確高ベースカウント値をそのまま使用しても結局は前記差に応じて異なる選択割合になる。）で前記可変表示パターンを選択するとは、この実施の形態のように、前記差が所定の差（上限回数７回−カウント値４回＝３回）以上である場合と前記所定の差（上限回数７回−カウント値４回＝３回）未満である場合とで、異なる選択割合で前記可変表示パターンを選択する場合なども含む。前記カウント回数と前記所定の回数との差に応じて異なる選択割合で前記可変表示パターンを選択するとは、２種類以上にグループ分けされた差に応じて前記可変表示パターンの選択割合を異ならせることを含む。前記カウント回数と前記所定の回数との差に応じて異なる選択割合で前記可変表示パターンを選択することによって、前記差に応じて適切な可変表示パターンが選択されやすくなり、遊技の興趣が向上する。また、前記カウント回数と前記所定の回数との差（つまり、高確率状態が終了するまでの残り期間）が、可変表示パターンの選択割合で推測できる場合があり（例えば、所定の可変表示パターンでの可変表示が実行されやすので前記差が小さいと推測出来るなど）、前記差に遊技者を注目させて、遊技の興趣を向上させることができる。
【０２８４】
また、高確率状態カウント手段は、上記実施形態のように、高確率状態以外の状態（ここでは、低確率状態。以下同じ。）から高確率状態になる特定遊技状態を１回目として、高確率状態で可変表示結果が特定表示結果となって特定遊技状態に制御される回数をカウントすることによって、高確率状態に制御する回数をカウント初期値からカウントしていくようにしもてよいし、高確率状態に制御される回数を直接カウントするものでもよい（この場合、例えば、ステップＳ３７５やＳ３８２を実行するごとにカウント値を更新すればよい。）。高確率状態カウント手段でカウントされる「高確率状態に制御する回数」は、上記実施形態のように、特定遊技状態に制御されることで当該特定遊技状態後に高確率状態に制御する予定であることも１回と数えても良い。つまり、高確率状態カウント手段でカウントされる「高確率状態に制御する回数」のうち、所定の回数に達するときの回は、本来ならば高確率状態に制御されるが高確率状態禁止手段によって高確率状態に制御されることが禁止される回であってもよく、このような回も「高確率状態に制御する回数」のうちの１回に含まれる。高確率状態カウント手段によって高確率状態に制御する回数を直接カウントする場合、例えば、上記の実施形態では、高確率状態以外の状態から高確率状態になる特定遊技状態後の高確率状態を１回目として高確率状態に制御する回数をカウントし、所定の回数としてカウント回数が６回になった場合に、高確率状態カウント手段でカウントされるカウント回数が所定の回数（６回）に達したとして、この６回のときに特定遊技状態に制御されたときに、その後に高確率状態になることを禁止してもよい。カウント回数は、６回になったとき、又は、この６回のときに特定遊技状態に制御されたときなど、適宜のタイミングで初期値にリセットされればよい。同様に、高確率状態以外の状態から高確率状態になる特定遊技状態後の特定遊技状態を１回目として特定遊技状態に制御する回数をカウントし、所定の回数としてカウント回数が６回になった場合に、高確率状態カウント手段でカウントされるカウント回数が所定の回数（６回）に達したとして、この６回になったあとに特定遊技状態に制御されたときに、その後に高確率状態になることを禁止してもよい。カウント回数は、６回になったとき、又は、この６回のときに特定遊技状態に制御されたときなど、適宜のタイミングで初期値にリセットされればよい。「前記高確率状態カウント手段でカウントされるカウント回数が所定の回数（６回）に達したときに、前記高確率状態制御手段が前記高確率状態に制御することを禁止するとともに、前記カウント回数を前記カウント初期値に設定する」とは、このようなことも含む。もちろん、上記所定回数は、６回や７回に限られず、適宜の回数であればよい。また、所定の回数は、例えば、高確率状態以外の状態から高確状態に移行する大当り遊技状態中などの適宜のタイミングで、複数種類のうちから選択するようにしてもよい。このように、所定の回数は、可変であってもよい。
【０２８５】
この実施の形態では、特に前記した構成によって、高ベース状態に制御されていない場合にはカウント回数が所定の回数に達したときに高ベース状態に移行し得る。これに対して、高ベース状態に制御されている場合には、転落抽選に当選した方が高ベース状態に維持されやすい。このため、遊技者は、高ベース状態に制御されていない場合には、カウント回数が所定の回数に達することを期待可能である一方で、高ベース状態に制御されている場合には、転落抽選に当選することを期待する。このように、高ベース状態に制御されているか否かに応じて、遊技者の期待の対象が異なってくるので、遊技に減り張りを付けることができ、遊技の興趣が向上する。
【０２８６】
また、この実施の形態では、上記の構成によって、前記カウント回数を示唆する特定演出（例えば、カウント値示唆演出など）を実行する特定演出実行手段（例えば、ステップＳ１７５やステップＳ１７６でカウント回数示唆演出を実行する演出制御用ＣＰＵ１２０など）をさらに備え、前記可変表示パターン選択手段が選択可能な前記可変表示パターンには、前記特定演出実行手段が前記特定演出を実行可能な特定可変表示パターン（例えば、ＰＡ２−５、ＰＡ２−６、ＰＡ３−５、ＰＡ３−６など）が含まれ、前記可変表示パターン選択手段は、前記カウント回数と前記所定の回数との差が第１の回数の場合と前記第１の回数よりも少ない第２の回数の場合とのうち、前記第２の回数の場合の方が前記第１の回数の場合よりも前記特定可変表示パターンを選択しやすい（例えば、図１２、１４、１６、１８参照）、ようになっている。
【０２８７】
このような構成によれば、例えばカウント回数が所定の回数に近づいていることを好適に示唆でき、遊技の興趣が向上する。また、前記カウント回数と前記所定の回数との差（つまり、高確率状態が終了するまでの残り期間）が、特定演出の実行頻度で推測できる場合があり（例えば、特定演出の実行頻度が高い場合には前記差が小さいと推測出来るなど）、前記差に遊技者を注目させて、遊技の興趣を向上させることができる。
【０２８８】
また、この実施の形態では、上記の構成によって、パチンコ遊技機１は、前記高ベース状態に制御されていないときに、前記転落抽選に当選することなく前記カウント回数が前記所定の回数に達した場合、前記特定期間を複数種類のいずれかに決定する特定期間決定手段（例えばステップＳ２５３の処理を実行するＣＰＵ１０３など）と、前記カウント回数が前記上限回数に達してから前記低確率状態に移行するまでの間に、前記特定期間決定手段によって決定された前記特定期間を報知する報知演出を実行する報知演出実行手段（例えばステップＳ６０９の処理を実行する演出制御用ＣＰＵ１２０など）と、備えることになる。このような構成によれば、複数種類の特定期間のうち、いずれの特定期間に決定されたかを報知する報知演出に遊技者を注目させることができるため、遊技の興趣が向上する。なお、報知演出は、例えば、大当り遊技状態の開始時や大当り遊技状態におけるラウンドの実行中、大当り遊技状態においていずれかのラウンドが終了してから次のラウンドが開始されるまでの期間、大当り遊技状態において最終のラウンドが終了してから次の可変表示ゲームが開始されるまでの期間などにて実行されればよい。
【０２８９】
また、この実施の形態では、上記の構成によって、パチンコ遊技機１は、前記高ベース状態に制御されていないときに、前記転落抽選に当選することなく前記カウント回数が前記所定の回数に達した場合、前記識別情報の可変表示において、前記報知演出に発展する可能性を示唆する発展示唆演出（例えば煽り演出など）を実行する発展示唆演出実行手段（例えばステップＳ１７２の処理を実行する演出制御用ＣＰＵ１２０など）を備えることになる。このような構成によれば、報知演出に発展する可能性を示唆する発展示唆演出を実行することで、遊技者に報知演出に発展することに対する期待感を与えることができるため、遊技の興趣が向上する。
【０２９０】
また、この実施の形態では、上記の構成によって、パチンコ遊技機１は、前記カウント回数に応じて、前記識別情報の可変表示における演出モードを発展させて行くとともに、前記転落抽選に当選した場合、該演出モードを初期化する制御を行う演出モード制御手段（例えばステップＳ５３４の処理を実行する演出制御用ＣＰＵ１２０など）を備え、前記演出モード制御手段は、前記転落抽選に当選した場合、該転落抽選に当選していない場合における前記演出モードの発展タイミングよりも早いタイミングで該演出モードを初期化する。このような構成によれば、演出モードが発展することに対する遊技者の期待感を持続することができるため、遊技の興趣が向上する。
【０２９１】
また、この実施の形態では、上記の構成によって、パチンコ遊技機１は、特定遊技状態に制御する制御期間を期間の異なる複数種類（上記実施の形態では、エンディング期間を異ならせることによって制御期間を異ならせている。）から選択する制御期間選択手段（例えば、ステップＳ２９３の処理を実行するＣＰＵ１０３など）を備え、前記制御期間選択手段は、前記カウント回数と前記所定の回数との差に応じて異なる選択割合で前記制御期間を選択することになる。このような構成によって本実施形態では、前記差に応じて適切な制御期間が選択されやすくなり、遊技の興趣が向上する。特に、制御期間を長くすることで、上記カウント値示唆演出など、適宜の演出が実行できる。上記実施形態のように、高ベース状態において可変表示時間（特図ゲームの実行時間）が短かったりすると、特図ゲームの実行中にカウント値示唆演出などの適宜の演出が実行しにくくなる。そこで、上記制御期間で演出実行時間を確保することによって、カウント値示唆演出などの適宜の演出を実行できる。そして、カウント値示唆演出などの適宜の演出を実行するための制御期間の選択割合を前記差に応じて異ならせることによって、遊技の進行に応じて適切な制御期間を選択でき、適切に演出が実行され遊技の興趣が向上する。
【０２９２】
なお、前記カウント回数と前記所定の回数との差に応じて異なる選択割合で前記制御期間を選択するとは、この実施の形態のように、前記差が所定の差（上限回数７回−カウント値４回＝３回）以上である場合と前記所定の差（上限回数７回−カウント値４回＝３回）未満である場合とで、異なる選択割合で前記制御期間を選択する場合なども含む。前記カウント回数と前記所定の回数との差に応じて異なる選択割合で前記制御期間を選択するとは、２種類以上にグループ分けされた差に応じて前記制御期間の選択割合を異ならせることを含む。前記カウント回数と前記所定の回数との差に応じて異なる選択割合で前記制御期間を選択することによって、前記差に応じて適切な制御期間が選択されやすくなり、遊技の興趣が向上する。また、前記カウント回数と前記所定の回数との差（つまり、高確率状態が終了するまでの残り期間）が、制御期間で推測できる場合があり（例えば、ある制御期間が選択された場合には前記差が小さいと推測出来るなど）、前記差に遊技者を注目させて、遊技の興趣を向上させることができる。
【０２９３】
また、この実施の形態では、上記の構成によって、パチンコ遊技機１は、前記カウント回数を示唆する特定演出（例えば、カウント回数示唆演出など）を実行する特定演出実行手段（例えば、ステップＳ１７６でカウント回数示唆演出を実行する演出制御用ＣＰＵ１２０など）を備え、前記制御期間選択手段は、前記カウント回数と前記所定の回数との差が前記第１の回数の場合と前記第１の回数（例えば、３〜７回）よりも少ない第２の回数（例えば、０〜２回）の場合とのうち、前記第２の回数の場合の方が前記第１の回数の場合よりも前記特定演出実行手段が前記特定演出を実行可能な期間を前記制御期間に選択しやすい（例えば、図２０参照）ようになっている。このような構成によれば、例えばカウント回数が所定の回数に近づいていることを好適に示唆でき、遊技の興趣が向上する。また、前記カウント回数と前記所定の回数との差（つまり、高確率状態が終了するまでの残り期間）が、特定演出の実行の有無で推測できる場合があり（例えば、特定演出が実行された場合には前記差が小さいと推測出来るなど）、前記差に遊技者を注目させて、遊技の興趣を向上させることができる。
【０２９４】
なお、この発明は、上記実施の形態に限定されず、上記の実施形態について様々な変形及び応用が可能である。例えば、パチンコ遊技機１では、上記実施の形態で示した全ての技術的特徴を備えるものでなくてもよく、従来技術における少なくとも１つの課題を解決できるように、上記実施の形態で説明した一部の構成を備えたものであってもよい。以下、上記実施形態の変形例を例示する。下記の各変形例の構成の少なくとも一部は、他の変形例の構成の少なくとも一部と適宜組み合わせるとができる。
【０２９５】
（変形例１）
上記実施の形態では、高確低ベース状態中に確変リミッタが作動した後の特定期間に、可変表示結果が「大当り」となって大当り遊技状態に制御されたことを条件に、当該大当り遊技状態の終了後、高確高ベース状態に制御されるものとして説明した。しかしながら、高確低ベース状態中に確変リミッタが作動したときの大当り遊技状態において高ベース状態に制御するようにしてもよい。この場合、例えば、図２１の処理において、特定期間フラグなどを設けず、ステップＳ３７２、Ｓ３７９、Ｓ３８０、Ｓ３７７などを省略し、ステップＳ３７８で低確高ベースにする処理を行うなどする。
【０２９６】
このように、前記ベース状態制御手段は、前記高ベース状態に制御されていないときには、前記事前決定手段によって特定遊技状態に制御すると決定されたが当該特定遊技状態の終了後に前記高確率状態に制御することが前記高確率状態禁止手段によって禁止されたことを、前記高ベース移行条件として、当該特定遊技状態の終了後に前記高ベース状態に制御するようにしてもよい。
【０２９７】
このような構成によれば、高ベース状態に制御されていない場合にはカウント回数が所定の回数に達したときに高ベース状態に移行し得る。これに対して、高ベース状態に制御されている場合には、転落抽選に当選した方が高ベース状態に維持されやすい。このため、遊技者は、高ベース状態に制御されていない場合には、カウント回数が所定の回数に達することを期待可能である一方で、高ベース状態に制御されている場合には、転落抽選に当選することを期待する。このように、高ベース状態に制御されているか否かに応じて、遊技者の期待の対象が異なってくるので、遊技に減り張りを付けることができ、遊技の興趣が向上する。
【０２９８】
（変形例２）
また、大当り回数が特定値（例えば上記所定の回数−１回＝「６」など）のときは、特定値以外のときには実行されない所定演出を実行するようにしてもよい。大当り回数が特定値（例えば「６」）に達したことを示唆することで、確変リミッタが作動することを示唆し、遊技の興趣を向上させてもよい。この場合には、例えば、所定演出用の変動パターンを用意して、高確低ベースカウント値や高確高ベースカウント値が「６」になったときに、この変動パターンで可変表示などを実行して、所定演出を実行するようにすればよい。
【０２９９】
（変形例３）
上記実施の形態では、高確低ベース状態中に確変リミッタが作動した後の特定期間に、可変表示結果が「大当り」となって大当り遊技状態に制御されたことを条件に、当該特定遊技状態の終了後、高確高ベース状態に制御されるものとして説明した。しかしながら、高確低ベース状態中に確変リミッタが作動したときに、高確高ベース状態に制御するか否かの決定を行い、この決定結果に基づいて、大当り遊技状態の終了後、高確高ベース状態に制御すればよい。このようにしても、上記実施の形態と同様の効果を得ることができる。
【０３００】
具体的には、図３のステップＳ１１０の特別図柄通常処理において、図３２に示すように、高確低ベースカウント値が“７”に達したと判定した場合（ステップＳ２５２；Ｎｏ）、特定期間の決定に代えて、高確高ベース状態に制御するか否かの決定を行い（ステップＳ１２５３）、高確高ベース状態に制御する場合には（ステップＳ１２５４；Ｙｅｓ）、高確高ベース状態移行フラグをオン状態にセットすればよい（ステップＳ１２５５）。高確高ベース状態に制御するか否かの決定は、乱数値及びテーブルを用いて所定の決定割合となるように行われればよい。
【０３０１】
そして、図３のステップＳ１１７の大当り終了処理では、図３３に示すように、高確高ベース状態移行フラグがオンであるか否かを判定し（ステップＳ１３７２）、高確高ベース状態移行フラグがオンであれば（ステップＳ１３７２；Ｙｅｓ）、高確高ベース状態移行フラグをクリアしてオフ状態してから（ステップＳ１３７９）、高確高ベース状態に制御すればよい（ステップＳ３８０）。例えば、高確中フラグ及び高ベース中フラグをオン状態とする。また、ステップＳ３８０の処理では、高確高ベースカウント値を「０」から「１」に更新する。なお、この場合、図３のステップＳ１１３の特別図柄停止処理では、図１９のステップＳ２９９〜Ｓ３０２の処理をスキップなどすればよい。また、高確低ベースカウント値が「７」であった場合（ステップＳ３７４；Ｙｅｓ）、ステップＳ３７６の処理に続いて、低確低ベース状態の開始の設定を行う（ステップＳ１３８１）。このときは、例えば、高確中フラグ及び高ベース中フラグをオフ状態のままとする。また、高確低ベースカウント値が「７」でない場合（ステップＳ３７４；Ｎｏ）、高確低ベース状態開始設定を行う（ステップＳ３７５）。
【０３０２】
また、高確高ベース状態に制御すると決定された場合には、図２２のステップＳ１７５の大当り中演出処理では、大当り遊技状態の終了後に高確高ベース状態に制御されることを報知する報知演出を実行してもよい。このようにすれば、高ベース状態に移行させるか否かを報知する報知演出に遊技者を注目させることができるため、遊技の興趣が向上する。
【０３０３】
上記で例示するように、パチンコ遊技機１が、前記高ベース状態に制御されていないときに、前記転落抽選に当選することなく前記カウント回数が前記所定の回数に達した場合、前記特定遊技状態の終了後、前記高ベース状態に移行させるか否かを決定する移行決定手段を備えたり、さらに、前記カウント回数が前記所定の回数に達してから前記低確率状態に移行するまでの間に、前記移行決定手段による決定結果を報知する報知演出を実行する報知演出実行手段を備えたりすることで、遊技性が上がり、遊技の興趣が向上する。
【０３０４】
（変形例４）
上記実施の形態では、第１始動入賞口を進入した遊技球の検出に基づいて第１特図を用いた特図ゲームが実行され、第２始動入賞口を進入した遊技球の検出に基づいて第２特図を用いた特図ゲームが実行されるものとして説明した。しかしながら、この発明はこれに限定されず、第１始動入賞口と第２始動入賞口のいずれを遊技球が進入（例えば、通過）したかにかかわらず共通の特別図柄を用いた特図ゲームが実行されるものであってもよい。
【０３０５】
（変形例５）
上記カウント値示唆演出は、上記実施の形態では、大当り遊技状態のエンディング期間に実行されていたが、例えば、ファンファーレ演出において実行するようにしてもよい（図３４（Ａ）参照）。この場合には、ファンファーレ演出の期間をカウント値示唆演出が実行される期間にするか否かを決定すればよい。また、上記カウント値示唆演出は、例えば、ラウンド遊技の合間の中間演出において実行するようにしてもよい（図３４（Ｂ）参照）。なお、ラウンド遊技と時間的に重なるようにカウント値示唆演出を実行するようにしてもよい。この場合には、中間演出の期間などをカウント値示唆演出が実行される期間にするか否かを決定すればよい。
【０３０６】
（変形例６）
上記実施形態では、演出モードは、転落抽選に当選したりすると、初期化されるが、例えば、所定数戻った演出モードとしてもよい。例えば、低ベース演出モード５だったものと転落当選後には、低ベース演出モード０ではなくて、低ベース演出モード３などにしてもよい。これによって、演出が多様化し、遊技の興趣が向上する。
【０３０７】
（変形例７）
上記実施形態では、高ベース状態のときに転落抽選に当選したときには、かならず高ベース状態が維持され、高ベース状態のときに確変リミッタが作動したときには、かならず高ベース状態に制御されない（低ベース状態になる）が、高ベース状態のときに転落抽選に当選したときには、高ベース状態にならない場合があってもよい。また、高ベース状態のときに確変リミッタが作動したときには、高ベース状態になる場合があってもよい。但し、高ベース状態のときに確変リミッタが作動したときに高ベースが維持される割合の方が、高ベース状態のときに確変リミッタが作動したときに高ベースが維持される割合よりも高くするとよい。
【０３０８】
（変形例８）
抽選結果示唆演出やカウント値示唆演出は、上記実施の形態では、高確状態のときにのみ実行されるものとしたが、確変状態が所謂潜伏状態などで遊技者が確変状態を認識し難い場合などには、抽選結果示唆演出やカウント値示唆演出は、低確状態でも実行するようにしてもよい。抽選結果示唆演出やカウント値示唆演出の実行の有無の決定などは、演出制御基板１２側で決定してもよい。抽選結果示唆演出が報知する抽選結果は、可変表示パターンなどで演出制御基板１２側に指定するようにしてもよい。
【０３０９】
（変形例９）
上記実施形態では、中ベース状態のときに特別演出モードが用意されているが、中ベース状態を低ベース状態に近い状態とする場合などには、中ベース状態のときに低ベース演出モードが適用されてもよい。また、中ベース状態を高ベース状態に近い状態とする場合などには、中ベース状態のときに高ベース演出モードが適用されてもよい。また、中ベース状態のときには、可変表示パターンが低ベース状態と同様の割合で決定されていたが、高ベース状態と同様としてもよい。つまり、中ベース状態のときに時短制御を付加してもよい。また、中ベース状態用に、可変表示パターンの決定テーブルなどを用意し、中ベース状態用に可変表示パターンを決定してもよい。
【０３１０】
（変形例１０）
大当り遊技状態や大当り図柄は、複数種類あってもよい。例えば、大当り遊技状態の終了後に確変状態にならない大当り遊技状態や大当り図柄があってもよい。また、ラウンド遊技の回数が少なかったり、大入賞口の開放時間が短いことで、上記の大当り遊技状態よりも有利度の低い大当り遊技状態があってもよい。
【０３１１】
（変形例１１）
また、可変表示パターン選択手段が選択可能な可変表示パターンとして、所定の可変表示パターンを用意し、可変表示パターン選択手段は、特定遊技状態後の所定回数の可変表示において（又は特定遊技状態後の所定回数の可変表示においてのみ）、所定の可変表示パターンを含むテーブルなどを参照することによって、前記所定の可変表示パターンを選択可能としてもよい。特定遊技状態後の所定回数の可変表示において（又は特定遊技状態後の所定回数の可変表示においてのみ）、前記所定の可変表示パターンが選択された場合には、これに対応する所定の演出モードの演出を実行するようにしもよい。所定の演出モードに移行可能として、遊技の興趣を向上させることができる。
【０３１２】
（変形例１２）
また、前記カウント回数と前記所定の回数との差に応じて、リーチ演出を実行する可変表示パターンの選択割合を異ならせるようにしてもよい。これは、テーブルの選択割合などで実現できる。例えば、図１８において、カウント値が大きい場合のテーブルの方が、リーチ演出が実行される可変表示パターンの選択割合が大きくなるように各種テーブルを構成する。これによって、前記カウント回数と前記所定の回数との差（つまり、高確率状態が終了するまでの残り期間）が、リーチ演出の実行頻度で推測できる場合があり（例えば、リーチ演出の実行頻度が高い場合には前記差が小さいと推測出来るなど）、前記差に遊技者を注目させて、遊技の興趣を向上させることができる。
【０３１３】
（変形例１２）
また、前記カウント回数と前記所定の回数との差に応じて、リーチ演出の態様の選択割合（例えば、ノーマルリーチの可変表示パターンとスーパーリーチの可変表示パターンの選択割合）を異ならせるようにしてもよい。これは、テーブルの選択割合などで実現できる。例えば、図１８において、カウント値が大きい場合のテーブルの方が、スーパーリーチが実行される可変表示パターンの選択割合が大きくなるように各種テーブルを構成する。このようなことによって、前記カウント回数と前記所定の回数との差（つまり、高確率状態が終了するまでの残り期間）が、実行されやすいリーチ演出の態様の種類によって推測できる場合があり（例えば、スーパーリーチになりやすい場合には前記差が小さいと推測出来るなど）、前記差に遊技者を注目させて、遊技の興趣を向上させることができる。
【０３１４】
（変形例１３）
大入賞口の開放態様として、開放上限期間が２９秒の通常開放ラウンド（上記実施形態参照）と、開放上限期間が通常開放ラウンドよりも短い（例えば、０．５秒など）などして通常開放ラウンドよりも遊技者にとって有利度の低い短期開放ラウンドを用意してもよい。そして、「大当り」の大当り種別を複数用意するなどして、大当り種別に応じて、大当り遊技状態において通常開放ラウンドを行うか短期開放ラウンドを行うかを分けてもよい。
【０３１５】
例えば、特図表示結果が「大当り」に決定されたことに基づく大当り遊技状態として、通常開放大当り状態（１５Ｒの通常開放ラウンドが行われる大当り遊技状態）や短期開放大当り状態（２Ｒの短期開放ラウンドが行われる大当り遊技状態）を用意し、さらに、特殊開放大当り状態を用意してもよい。特殊開放大当り状態では、１回目のラウンド遊技（第１ラウンド）として、大入賞口を一旦は短期開放ラウンドと同様の開放態様で開放状態と閉鎖状態とに変化させた後、残り期間では通常開放ラウンドと同様に大入賞口を継続して開放状態に変化させる。
【０３１６】
例えば図３５に示すように、特図表示結果が「大当り」で大当り種別が「１５Ｒ大当りＢ」に決定された場合には、大入賞口開放回数が「１」で第１ラウンドが実行されるときに、大入賞口を最初に開放状態としてから０．１秒が経過したときに、大入賞口を閉鎖状態とする。こうして大入賞口を閉鎖してから０．１秒が経過したときには、大入賞口を開放状態とする。そして大入賞口を再度開放してから０．１秒が経過したときには、大入賞口を閉鎖状態とする。さらに大入賞口を再度閉鎖してから０．１秒が経過したときには、大入賞口を開放状態とする。その後、所定期間（大入賞口を３回目に開放状態としてから２９．１秒間、すなわち、大入賞口を最初に開放状態としてから２９．５秒間）が経過したとき、あるいは所定個数（例えば９個）の遊技球が大入賞口に進入して入賞球が発生したときに、第１ラウンドとなるラウンド遊技を終了させればよい。
【０３１７】
なお、特図表示結果が「大当り」で大当り種別が「２Ｒ大当りＡ」または「２Ｒ大当りＢ」に決定された場合には、第１ラウンドとして０．１秒間にわたって大入賞口を開放状態とするラウンド遊技を実行した後、大入賞口を０．１秒間にわたって閉鎖状態としてから、第２ラウンドとして０．１秒にわたって大入賞口を開放状態とするラウンド遊技が実行されればよい。
【０３１８】
このように特殊開放大当り状態では、特別可変入賞球装置７において大入賞口を第２期間（例えば０．１秒間）にわたって遊技者にとって有利な第１状態（開放状態）に変化させる可変入賞動作が２回行われた後に、継続して大入賞口を第１状態（開放状態）に変化させることで、短期開放大当り状態に見せかけてから、通常開放大当り状態と同様の開放態様で大入賞口を開放状態とすることができる。こうした特殊開放大当り状態となる大当りは、「見せかけ大当り」ともいう。
【０３１９】
特殊開放大当り状態を設けた場合には、通常開放大当り状態の第１ラウンドでは大当り中演出となる演出動作を実行する一方で、特殊開放大当り状態の第１ラウンドで２回の可変入賞動作が行われる所定期間や短期開放大当り状態では、スーパーリーチとなるリーチ演出の演出動作を実行するようにしてもよい。
【０３２０】
この場合、ステップＳ１７５の大当り中演出処理に、図３６のフローチャートに示すような処理が含まれても良い（当然、報知演出などが実行できるように、上記実施形態のフローを組み合わせてもよい）。図３６に示すフローは、大当り中演出処理において、主基板１１から伝送される大当り終了指定コマンドの受信がなかった場合に開始する（ステップＳ６０１；Ｎｏ）。また、この変形例では、確定特別図柄が導出標示されても、飾り図柄の可変表示は継続可能になっている（例えば、特図ゲームの実行時間よりも長い実行時間の演出制御パターンが選ばれる。）。
【０３２１】
図３６に示すフローでは、まず、演出制御用ＣＰＵ１２０は、短期開放大当り状態に制御されているか否かを判定する（ステップＳ１６０４）。演出制御用ＣＰＵ１２０は、主基板１１から伝送された当り開始指定コマンドまたは大入賞口開放中指定コマンドなどに基づいて、通常開放大当り状態、短期開放大当り状態あるいは特殊開放大当り状態のいずれであるかを特定できればよい。
【０３２２】
ステップＳ１４０４にて短期開放大当り状態に制御されている場合には（ステップＳ１６０４；Ｙｅｓ）、飾り図柄の可変表示およびスーパーリーチとなるリーチ演出を実行するための設定を行う（ステップＳ１６０５）。一例として、ステップＳ１６０５の処理では、演出制御プロセスタイマ値に応じて演出制御パターンから読み出した制御データに従い、表示制御指令を表示制御部１２３に供給すること、効果音信号を音声制御基板１３に対して伝送すること、電飾信号をランプ制御基板１４に対して伝送することなどにより、飾り図柄の可変表示およびスーパーリーチとなるリーチ演出を実行させる。ステップＳ１６０５の処理を実行した後には、大当り中演出処理を終了する。
【０３２３】
ステップＳ１６０４にて短期開放大当り状態に制御されていないと判定された場合には（ステップＳ１６０４；Ｎｏ）、特殊開放大当り状態に制御されているか否かを判定する（ステップＳ１６０６）。特殊開放大当り状態に制御されている場合には（ステップＳ６０６；Ｙｅｓ）、その特殊開放大当り状態におけるラウンド遊技の実行回数であるラウンド数が「１」であるか否かを判定する（ステップＳ１６０７）。演出制御用ＣＰＵ１２０は、主基板１１から大入賞口の開放時に伝送された大入賞口開放中指定コマンドなどに基づいて、大当り遊技状態におけるラウンド数を特定できればよい。
【０３２４】
ステップＳ１６０７にてラウンド数が「１」である場合には（ステップＳ６０７；Ｙｅｓ）、飾り図柄の可変表示およびスーパーリーチとなるリーチ演出を実行して確定飾り図柄を停止表示させてから、大当り中演出となる演出動作を実行するための設定を行う（ステップＳ１６０８）。一例として、ステップＳ１６０８の処理では、演出制御プロセスタイマ値に応じて演出制御パターンから読み出した制御データに従い、表示制御指令を表示制御部１２３に供給すること、効果音信号を音声制御基板１３に対して伝送すること、電飾信号をランプ制御基板１４に対して伝送することなどにより、飾り図柄の可変表示およびスーパーリーチとなるリーチ演出を実行して大当り組合せの確定飾り図柄を停止表示させてから、大当り中演出となる演出動作を実行させる。ステップＳ１６０８の処理を実行した後には、大当り中演出処理を終了する。
【０３２５】
ステップＳ１６０６にて特殊開放大当り状態に制御されていないと判定された場合や（ステップＳ１６０６；Ｎｏ）、ステップＳ１６０７にてラウンド数が「１」以外であると判定された場合には（ステップＳ１６０７；Ｎｏ）、ラウンド数に応じた大当り中演出となる演出動作を実行するための設定を行う（ステップＳ１６０９）。一例として、ステップＳ６０９の処理では、主基板１１から伝送された大入賞口開放中指定コマンドなどから、大当り遊技状態におけるラウンド数を特定する。そして、ラウンド数が更新されたときには、更新後のラウンド数に対応する演出制御パターンを読み出し、演出制御プロセスタイマの設定を行う。その後、演出制御プロセスタイマ値に応じて演出制御パターンから読み出した制御データに従い、表示制御指令を表示制御部１２３に供給すること、効果音信号を音声制御基板１３に対して伝送すること、電飾信号をランプ制御基板１４に対して伝送することなどにより、大当り中演出となる演出動作を実行させる。こうしたステップＳ６０９の処理を実行した後に、大当り中演出処理を終了する。
【０３２６】
図３７は、見せかけ大当りを設けた場合の画像表示装置５における演出動作例を説明するためのタイミングチャートである。
【０３２７】
特図表示結果が「ハズレ」に決定され、スーパーリーチのリーチ演出を伴う変動パターンに決定された場合には、図３７（Ａ）に示すように、スーパーリーチのリーチ演出が実行されてから、ハズレ図柄が確定特別図柄として停止表示されるタイミングで、所定のリーチ組合せとなる確定飾り図柄が停止表示される。このように、特図表示結果が「ハズレ」となる場合には、確定特別図柄が停止表示されるよりも前に、飾り図柄の可変表示およびスーパーリーチのリーチ演出を含めた特別演出が実行される。
【０３２８】
大当り種別が「１５Ｒ大当りＡ」に決定されたことに基づいて、通常開放大当り状態となる場合には、図３７（Ｂ）に示すように、スーパーリーチのリーチ演出が実行されてから、図柄番号が「７」の大当り図柄が確定特別図柄として停止表示されるタイミングで、所定の大当り組合せとなる確定飾り図柄が停止表示される。このように、特図表示結果が「大当り」で大当り種別が「１５Ｒ大当りＡ」となって通常開放大当り状態に制御される場合には、確定特別図柄が停止表示されるよりも前に、飾り図柄の可変表示およびスーパーリーチのリーチ演出を含めた特別演出が実行される。
【０３２９】
大当り種別が「２Ｒ大当りＡ」または「２Ｒ大当りＢ」に決定されたことに基づいて、短期開放大当り状態となる場合には、図３７（Ｃ）に示すように、スーパーリーチのリーチ演出が実行されている途中で、図柄番号が「１」または「５」の大当り図柄が確定特別図柄として停止表示され、特別可変入賞球装置７において大入賞口を第２期間（例えば０．１秒間）にわたり遊技者にとって有利な第１状態（開放状態）に変化させるラウンド遊技が２回行われる。その後に、所定のリーチ組合せとなる確定飾り図柄が停止表示される。このように、特図表示結果が「大当り」で大当り種別が「２Ｒ大当りＡ」または「２Ｒ大当りＢ」となって短期開放大当り状態に制御される場合には、確定特別図柄が停止表示されてから、特別可変入賞球装置７における大入賞口を遊技球が通過しにくい第２変化態様で第１状態（開放状態）に変化させるときに、飾り図柄の可変表示およびスーパーリーチのリーチ演出を含めた特別演出が実行される。
【０３３０】
大当り種別が「１５Ｒ大当りＢ」に決定されたことに基づいて、特殊開放大当り状態となる場合には、図３７（Ｄ）に示すように、スーパーリーチのリーチ演出が実行されている途中で、図柄番号が「３」の大当り図柄が確定特別図柄として停止表示され、特別可変入賞球装置７において大入賞口を第２期間（例えば０．１秒間）にわたり遊技者にとって有利な第１状態（開放状態）に変化させる可変入賞動作が２回行われる。その後に、所定の大当り組合せとなる確定飾り図柄が停止表示される。このように、特図表示結果が「大当り」で大当り種別が「１５Ｒ大当りＢ」となって特殊開放大当り状態に制御される場合には、確定特別図柄が停止表示されてから、特別可変入賞球装置７における大入賞口を遊技球が通過しにくい第２変化態様で第１状態（開放状態）に変化させるときに、飾り図柄の可変表示およびスーパーリーチのリーチ演出を含めた特別演出が実行される。
【０３３１】
このように、スーパーリーチのリーチ演出といった特別演出が、特別図柄の可変表示中にのみ実行される場合と、特別図柄の可変表示が終了した後に短期開放大当り状態や特殊開放大当り状態にて第１変化態様よりも遊技者にとって不利な第２変化態様で大入賞口を開放状態に変化させているときに実行される場合とを設ける。これにより、短期開放大当り状態や特殊開放大当り状態の契機となる特別図柄の可変表示結果が導出表示されたか否かを把握しづらくすることで、遊技状態に遊技者を注目させて、遊技の興趣を向上させることができる。
【０３３２】
この場合、例えば変動パターンを決定するために用いられる変動パターン決定テーブルにおける決定値の設定などに基づいて、確定特別図柄が停止表示されるよりも前にスーパーリーチのリーチ演出が実行されて確定飾り図柄が停止表示されたことで通常開放大当り状態に制御される割合を、大入賞口を第２変化態様で変化させているときにスーパーリーチのリーチ演出が実行されて確定飾り図柄が停止表示されたことで特殊開放大当り状態に制御される割合よりも高くなるように設定してもよい。したがって、確定特別図柄が停止表示されるより前にスーパーリーチのリーチ演出が実行されたときには、大入賞口が第２変化態様で変化するときにスーパーリーチのリーチ演出が実行されたときよりも高い割合で、大入賞口を遊技球が通過しやすい第１変化態様で第１状態（開放状態）に変化する。これにより、特別図柄の可変表示結果となる確定特別図柄が停止表示されるより前にスーパーリーチのリーチ演出が実行された場合に、短期開放大当り状態よりも遊技者にとって有利な通常開放大当り状態に対する遊技者の期待感を高めて、遊技の興趣を向上させることができる。
【０３３３】
このように、パチンコ遊技機１は、遊技者にとって不利な第１状態（例えば閉鎖状態など）と、該第１状態よりも有利な第２状態（例えば第２変化態様による開放状態など）と、該第２状態よりもさらに有利な第３状態（例えば第１変化態様による開放状態など）と、のいずれかに変化可能な特別入賞手段（例えば特別可変入賞球装置７など）と、識別情報の表示結果として複数種類の特定表示結果のうちの第１特定表示結果が導出表示されたときに、前記特定遊技状態において前記特別入賞手段を前記第３状態に変化させ、特殊表示結果（例えば、「２Ｒ大当りＡ」または「２Ｒ大当りＢ」に対応する表示結果であり、例えば、特定表示結果とは異なるもの）が導出表示されたときに、特殊遊技状態（特殊表示結果が可変表示にて導出表示された場合に制御される状態であって、特定遊技状態よりも有利度が低い。）において前記特別入賞手段を前記第２状態に変化させ、複数種類の特定表示結果のうちの第２特定表示結果が導出表示されたときに、前記特定遊技状態において前記特別入賞手段を前記第２状態に一旦変化させてから前記第３状態に変化させる制御を行う特別入賞制御手段（例えば図３５に示すような大入賞口の変化制御を行うＣＰＵ１０３など）と、識別情報の表示結果を前記特定表示結果とするか否かと、前記特殊表示結果とするか否かと、前記特定表示結果を予め定められた複数種類のうちのいずれとするかと、を該識別情報の表示結果が導出表示される以前に決定する事前決定手段と、前記事前決定手段が前記特定表示結果としないと決定した場合と前記第１特定表示結果とすると決定した場合には、前記可変表示制御手段によって識別情報の表示結果が導出表示される以前に、特別演出（例えばスーパーリーチのリーチ演出など）を実行し、前記第２特定表示結果とすると決定した場合と前記特殊表示結果とすると決定した場合には、前記特別入賞手段が前記第２特定態様で前記第１状態に変化しているときに、前記特別演出を実行する特別演出実行手段を備えるように構成されてもよい。このような構成においては、第２特定表示結果や特殊特定表示結果が導出表示されたか否かを把握しづらくすることで、遊技状態に遊技者を注目させて、遊技の興趣を向上させることができる。
【０３３４】
（変形例１４）
上記実施の形態においては、可変表示時間及びリーチ演出の種類等の変動態様を示す可変表示パターンを演出制御マイクロコンピュータに通知するために、可変表示を開始するときに1つの可変表示パターンコマンドを送信する例を示したが、２つ乃至それ以上のコマンドにより可変表示パターンを演出制御マイクロコンピュータに通知する様にしてもよい。具体的には、２つのコマンドにより通知する場合、遊技制御マイクロコンピュータは、１つ目のコマンドでは擬似連の有無、滑り演出の有無等、リーチとなる以前（リーチとならない場合には所謂第２停止の前）の変動時間や変動態様を示すコマンドを送信し、２つ目のコマンドではリーチの種類や再抽選演出の有無等、リーチとなった以降（リーチとならない場合には所謂第２停止の後）の変動時間や変動態様を示すコマンドを送信する様にしてもよい。この場合、演出制御マイクロコンピュータは２つのコマンドの組合せから導かれる可変表示時間にもとづいて可変表示における演出制御を行うようにすればよい。尚、遊技制御用マイクロコンピュータの方では２つのコマンドのそれぞれにより可変表示時間を通知し、それぞれのタイミングで実行される具体的な変動態様については演出制御マイクロコンピュータの方で選択を行う様にしてもよい。２つのコマンドを送る場合、同一のタイマ割込内で2つのコマンドを送信する様にしてもよく、１つ目のコマンドを送信した後、所定期間が経過してから（例えば次のタイマ割込において）２つ目のコマンドを送信する様にしてもよい。尚、それぞれのコマンドで示される変動態様はこの例に限定されるわけではなく、送信する順序についても適宜変更可能である。このように２つ乃至それ以上のコマンドにより変動パターンを通知する様にすることで、変動パターンコマンドとして記憶しておかなければならないデータ量を削減することができる。
【０３３５】
（変形例１５）
また、高確低ベースカウント値や高確高ベースカウント値は、大当り遊技状態の開始時、大当り遊技状態中、又は、大当り遊技状態終了時に更新されてもよい。大当り遊技状態終了時に更新を行う場合には、例えば、ＣＰＵ１０３は、図６のステップＳ２４８〜Ｓ２５４を省略し、ステップＳ１１７において図３８の処理を実行する。図３８のように、エンディング期間経過後（ステップＳ３７１；Ｙｅｓ）、ＣＰＵ１０３は、高確低ベースカウント値及び高確高ベースカウント値のうちのいずれかが「１」以上であるかを判定し（ステップＳ２３０１）、いずれかが「１」以上である場合（ステップＳ２３０１；Ｙｅｓ）、低確状態から高確状態へ移行したあとなので、「１」以上のカウント値を有する高確低ベースカウント値又は高確高ベースカウント値を「１」増加させる（ステップＳ２３０２）。いずれかが「０」である場合（ステップＳ２３０１；Ｎｏ）、ステップＳ３７２の処理を行う。また、ステップＳ３７７のあとには、図６のステップＳ２５３及びＳ２５４と同様に、特定期間を決定し（ステップＳ２３０３）、特定期間カウンタに決定値をセットする（ステップＳ２３０４）。他の処理は、図２１の処理と同様である。
【０３３６】
なお、ステップＳ２３０１及びステップＳ２３０２は別の処理としてもよい。例えば、図１９のステップＳ２９６の処理でフラグをクリアする前に、高確中フラグ及び高ベース中フラグなどに基づいて、大当り遊技状態前の遊技状態を特定し、遊技状態に応じたフラグなど（例えば、ＲＡＭ１０１に設けられる）をセットする。これによって、大当り遊技状態前の遊技状態が保存される。ステップＳ２３０１では、遊技状態に応じたフラグなどによって、大当り遊技状態前の遊技状態を特定し、ステップＳ２３０２では、特定した遊技状態が高確低ベース状態であれば高確低ベースカウント値を「１」増加させ、特定した遊技状態が高確高ベース状態であれば高確高ベースカウント値を「１」増加させ、その他の場合にはカウント値を更新しないようにしてもよい。
【０３３７】
高確低ベースカウント値や高確高ベースカウント値を、大当り遊技状態の開始時、大当り遊技状態中、又は、大当り遊技状態終了時に更新する場合、演出制御プロセス処理の実行内容もそれに合わせて適宜変更される。例えば、図２３のステップＳ５２８では、大当り回数カウント値が「６」であるかを判定してもよい。また、ステップＳ５３４では、大当り回数カウント値を「１」減じる必要もない。大当り回数通知コマンドは、高確低ベースカウント値又は高確高ベースカウント値を更新したときに主基板１１から演出制御基板１２に伝送されるものであってもよい。この場合には、演出制御基板１２では、大当り回数通知コマンドの伝送時に大当り回数カウント値を更新するようにしてよい。
【０３３８】
（変形例１６）
高確低ベースカウント値や高確高ベースカウント値は、初期値からカウントダウンされてもよい。また、高確低ベースカウント値や高確高ベースカウント値は、低確状態から高確状態への移行直後は、「０」のままであってもよい。つまり、高確低ベースカウント値や高確高ベースカウント値は、低確状態から高確状態への移行後、最初の「大当り」の発生によって、「１」になるものであってもよい。この場合、例えば、低ベース演出モード０や高ベース演出モード０は、高確状態において、高確低ベースカウント値や高確高ベースカウント値が「０」のときも実行され得る。
【０３３９】
（変形例１７）
その他にも、パチンコ遊技機１の装置構成、データ構成、フローチャートで示した処理、画像表示装置５の表示領域における演出画像の表示動作を含めた各種の演出動作などは、本発明の趣旨を逸脱しない範囲で、任意に変更及び修正が可能である。加えて、本発明の遊技機は、入賞球の検出に応答して所定数の賞球を払い出す払出式遊技機に限定されるものではなく、遊技球を封入し入賞球の検出に応答して得点を付与する封入式遊技機、さらには遊技用価値を用いて１ゲームに対して所定数の賭数を設定することによりゲームが開始可能となるとともに、各々が識別可能な複数種類の識別情報を可変表示表示可能な可変表示装置に表示結果が導出されることにより１ゲームが終了し、可変表示装置で導出された表示結果に応じて入賞が発生可能とされたスロットマシンにも適用することができる。
【０３４０】
本発明を実現するためのプログラム及びデータは、パチンコ遊技機１に含まれるコンピュータ装置などに対して、着脱自在の記録媒体により配布・提供される形態に限定されるものではなく、予めコンピュータ装置などの有する記憶装置にプリインストールしておくことで配布される形態を採っても構わない。さらに、本発明を実現するためのプログラム及びデータは、通信処理部を設けておくことにより、通信回線等を介して接続されたネットワーク上の、他の機器からダウンロードすることによって配布する形態を採っても構わない。
【０３４１】
そして、ゲームの実行形態も、着脱自在の記録媒体を装着することにより実行するものだけではなく、通信回線等を介してダウンロードしたプログラム及びデータを、内部メモリ等に一旦格納することにより実行可能とする形態、通信回線等を介して接続されたネットワーク上における、他の機器側のハードウェア資源を用いて直接実行する形態としてもよい。さらには、他のコンピュータ装置等とネットワークを介してデータの交換を行うことによりゲームを実行するような形態とすることもできる。
【符号の説明】
【０３４２】
１  …  パチンコ遊技機
２  …  遊技盤
３  …  遊技機用枠
４Ａ、４Ｂ  …  特別図柄表示装置
５  …  画像表示装置
６Ａ  …  普通入賞球装置
６Ｂ  …  普通可変入賞球装置
７  …  特別可変入賞球装置
８Ｌ、８Ｒ  …  スピーカ
９  …  遊技効果ランプ
１１  …  主基板
１２  …  演出制御基板
１３  …  音声制御基板
１４  …  ランプ制御基板
１５  …  中継基板
２０  …  普通図柄表示器
２１  …  ゲートスイッチ
２２Ａ、２２Ｂ  …  始動口スイッチ
２３  …  カウントスイッチ
３１Ａ  …  スティックコントローラ
３１Ｂ  …  プッシュボタン
１００  …  遊技制御用マイクロコンピュータ
１０１、１２１  …  ＲＯＭ
１０２、１２２  …  ＲＡＭ
１０３  …  ＣＰＵ
１０４、１２４  …  乱数回路
１０５、１２５  …  Ｉ／Ｏ
１２０  …  演出制御用ＣＰＵ
１２３  …  表示制御部
【図１】
2014068864.tif 000003
【図２】
2014068864.tif 000004
【図３】
2014068864.tif 000005
【図４】
2014068864.tif 000006
【図５】
2014068864.tif 000007
【図６】
2014068864.tif 000008
【図７】
2014068864.tif 000009
【図８】
2014068864.tif 000010
【図９】
2014068864.tif 000011
【図１０】
2014068864.tif 000012
【図１１】
2014068864.tif 000013
【図１２】
2014068864.tif 000014
【図１３】
2014068864.tif 000015
【図１４】
2014068864.tif 000016
【図１５】
2014068864.tif 000017
【図１６】
2014068864.tif 000018
【図１７】
2014068864.tif 000019
【図１８】
2014068864.tif 000020
【図１９】
2014068864.tif 000021
【図２０】
2014068864.tif 000022
【図２１】
2014068864.tif 000023
【図２２】
2014068864.tif 000024
【図２３】
2014068864.tif 000025
【図２４】
2014068864.tif 000026
【図２５】
2014068864.tif 000027
【図２６】
2014068864.tif 000028
【図２７】
2014068864.tif 000029
【図２８】
2014068864.tif 000030
【図２９】
2014068864.tif 000031
【図３０】
2014068864.tif 000032
【図３１】
2014068864.tif 000033
【図３２】
2014068864.tif 000034
【図３３】
2014068864.tif 000035
【図３４】
2014068864.tif 000036
【図３５】
2014068864.tif 000037
【図３６】
2014068864.tif 000038
【図３７】
2014068864.tif 000039
【図３８】
2014068864.tif 000040